(57)【要約】【課題】狭帯域（ＮＢ）ＬＴＥ動作のためのシステム、方法および手段を提供する。【解決手段】ＷＴＲＵが、例えば、ＰＤＳＣＨを介して、第１のダウンリンクデータ送信を受信することができる。ＷＴＲＵは、第１のダウンリンクデータ送信の受信に応答して、ＨＡＲＱ  ＡＣＫを送ることを決定することができる。ＷＴＲＵは、第１のアップリンク基準信号を送信することができる。ＷＴＲＵは、第１のアップリンク基準信号に適用される第１の巡回シフトインデックスを使用して、ＨＡＲＱ−ＡＣＫを示すことができる。ＷＴＲＵは、例えば、第２のダウンリンクデータ送信が正しく受信されないという条件で、ＨＡＲＱ−ＮＡＣＫを送ることを決定することができる。ＷＴＲＵは、第２のアップリンク基準信号を送ることができる。ＷＴＲＵは、第２のアップリンク基準信号に適用される第２の巡回シフトを使用して、ＨＡＲＱ−ＮＡＣＫを示すことができる。【選択図】図１６
2020074608.tif 000002
【特許請求の範囲】
【請求項１】
肯定応答（ＡＣＫ）の方法であって、
無線送受信ユニット（ＷＴＲＵ）が、物理ダウンリンク共有チャネル（ＰＤＳＣＨ）を介してダウンリンクデータ送信を受信することと、
前記ＷＴＲＵが、前記ダウンリンクデータ送信に応答して、ハイブリッド自動再送要求ＡＣＫ（ＨＡＲＱ−ＡＣＫ）またはＨＡＲＱ否定ＡＣＫ（ＨＡＲＱ−ＮＡＣＫ）を送るかどうかを決定することと、
前記ＷＴＲＵが前記ＨＡＲＱ−ＡＣＫを送ることを決定するという条件で、前記ＷＴＲＵが、前記ＨＡＲＱ−ＡＣＫを示すために第１の巡回シフトインデックスに従って決定された第１のシーケンスを使用して第１の信号を送信することと、
前記ＷＴＲＵが前記ＨＡＲＱ−ＮＡＣＫを送ることを決定するという条件で、前記ＨＡＲＱ−ＮＡＣＫを示すために第２の巡回シフトインデックスに従って決定された第２のシーケンスを使用して第２の信号を送信することと
を備える方法。
【請求項２】
無線送受信ユニット（ＷＴＲＵ）であって、
物理ダウンリンク共有チャネル（ＰＤＳＣＨ）を介してダウンリンクデータ送信を受信し、
前記ダウンリンクデータ送信に応答して、ハイブリッド自動再送要求（ＨＡＲＱ）肯定応答（ＡＣＫ）またはＨＡＲＱ否定ＡＣＫ（ＨＡＲＱ−ＮＡＣＫ）を送るかどうかを決定し、
前記ＷＴＲＵが前記ＨＡＲＱ−ＡＣＫを送ることを決定するという条件で、前記ＨＡＲＱ−ＡＣＫを示すために第１の巡回シフトインデックスに従って決定された第１のシーケンスを使用して第１の信号を送信し、
前記ＷＴＲＵが前記ＨＡＲＱ−ＮＡＣＫを送ることを決定するという条件で、前記ＨＡＲＱ−ＮＡＣＫを示すために第２の巡回シフトインデックスに従って決定された第２のシーケンスを使用して第２の信号を送信する
ように構成されるプロセッサを備えた、無線送受信ユニット（ＷＴＲＵ）。
【発明の詳細な説明】
【背景技術】
【０００１】
関連出願の相互参照
本出願は、2015年11月4日に出願された米国特許仮出願第62/250,798号明細書、2015年12月30日に出願された米国特許仮出願第62/272,835号明細書、2016年2月3日に出願された米国特許仮出願第62/290,630号明細書、および2016年3月14日に出願された米国特許仮出願第62/307,856号明細書の利益を主張するものであり、これらの内容は参照により本明細書に組み込まれている。
【０００２】
ロングタームエボリューション（ＬＴＥ）システムなどの無線通信システムが成熟し、それらのネットワーク配備が進展するにつれて、ネットワーク運用者は、通信ネットワークのコストおよび／または通信ネットワークの保守のコストを低減しようとしている。１つまたは複数のデバイスと通信するために使用されるチャネル帯域幅および／またはデータレートを低減することは、通信ネットワークのコストを低減し得る。例えば、チャネル帯域幅全体ではなくチャネル帯域幅の一部が、ネットワーク内のデバイスによって、および／またはそのようなデバイスと通信するときにネットワーク自体によってサポートされ得る。無線通信システム（例えば、ＬＴＥなど）は、例えばマシンタイプ通信（ＭＴＣ）デバイスのようないくつかのデバイスについての帯域幅低減を、あるレベル（例えば、１．４ＭＨｚ）まで考慮することができる。考慮される帯域幅低減レベルは、レガシシステムとの互換性の増大を可能にし、並びに／または新しい設計の時間および／もしくはコストを低減し得る（例えば、いくつかのＬＴＥセルが既に１．４ＭＨｚのシステム帯域幅での動作をサポートし得るため）。さらなる帯域幅低減が、いくつかのデバイス（例えば、スマートウォッチおよびアラーム）のために望ましいことがあり、それによりコストをさらに低減し得る。帯域幅のさらなる低減（例えば、２００ｋＨｚのオーダーまで）が実装されることがある。しかしながら、低減された帯域幅での動作をサポートしようとすると、厄介な問題、例えば、レガシシステム動作との互換性に関係付けられた問題が生じる可能性がある。
【発明の概要】
【０００３】
狭帯域（ＮＢ）ＬＴＥ動作のためのシステム、方法、および手段が開示される。ＮＢ動作は、セル／システム帯域幅の一部を使用して動作をサポートするデバイスによって使用され得る。例えば、ＮＢデバイスは、第１の帯域幅よりも大きい送信帯域幅（例えば、１０ＭＨｚ、２０ＭＨｚなど）を有するセルにおいて第１の帯域幅（例えば、１．４ＭＨｚ、２００ｋＨｚなど）を使用して動作するように構成されてよい。
【０００４】
ＷＴＲＵが、例えば、物理ダウンリンク共有チャネル（ＰＤＳＣＨ）を介して、第１のダウンリンクデータ送信を受信することができる。ＷＴＲＵは、第１のダウンリンクデータ送信の受信に応答して、ハイブリッド自動再送要求（ＨＡＲＱ）肯定応答（ＡＣＫ）を送ることを決定することができる。ＷＴＲＵは、第１のアップリンク信号（例えば、アップリンク基準信号）を送信することができる。ＷＴＲＵは、第１のアップリンク信号の第１のシーケンスの（例えば、第１のアップリンク信号の第１のシーケンスに適用される）第１の巡回シフトインデックスを使用して、ＨＡＲＱ−ＡＣＫを示すことができる。第１の巡回シフトインデックスは、複数のアップリンクシングルキャリア周波数分割多元接続（ＳＣ−ＦＤＭＡ）シンボルにわたる複数の基準信号にわたって適用されてよい。第１のダウンリンクデータ送信は、第１のサブフレームにおいて受信され得る。第１のアップリンク信号は、第２のサブフレームにおいて送信され得る。第１のアップリンク信号は、復調基準信号（ＤＭ−ＲＳ）またはサウンディング基準信号（ＳＲＳ）に対応するアップリンク基準信号であり得る。第１のアップリンク基準信号は、物理アップリンク共有チャネル（ＰＵＳＣＨ）を介して送られ得る。
【０００５】
ＷＴＲＵは、例えば、第２のダウンリンクデータ送信が正しく受信されないという条件で、ＨＡＲＱ否定ＡＣＫ（ＨＡＲＱ−ＮＡＣＫ）を送ることを決定することができる。ＷＴＲＵは、第２のアップリンク信号（例えば、第２のアップリンク基準信号）を送ることができる。ＷＴＲＵは、第２のアップリンク信号の第２のシーケンスの（例えば、第２のアップリンク信号の第２のシーケンスに適用される）第２の巡回シフトを使用して、ＨＡＲＱ−ＮＡＣＫを示すことができる。第１のシーケンスおよび第２のシーケンスは、同じベースシーケンス（base sequence）を使用してよい。ベースシーケンスは、Ｚａｄｏｆｆ−Ｃｈｕシーケンスであり得る。第１の巡回シフトインデックスは、第２の巡回シフトインデックスとは異なる。
【図面の簡単な説明】
【０００６】
【図１Ａ】１つまたは複数の開示される実施形態が実装され得る例示的な通信システムのシステム図である。
【図１Ｂ】図１Ａに示された通信システム内で使用され得る例示的な無線送受信ユニット（ＷＴＲＵ）のシステム図である。
【図１Ｃ】図１Ａに示された通信システム内で使用され得る例示的な無線アクセスネットワークおよび例示的なコアネットワークのシステム図である。
【図１Ｄ】図１Ａに示された通信システム内で使用され得る別の例示的な無線アクセスネットワークおよび例示的なコアネットワークのシステム図である。
【図１Ｅ】図１Ａに示された通信システム内で使用され得る別の例示的な無線アクセスネットワークおよび例示的なコアネットワークのシステム図である。
【図２】ＰＵＣＣＨのための物理リソースブロックに対する例示的なマッピングの図である。
【図３】ＰＵＳＣＨにおける例示的なＵＣＩおよびＵＬ−ＳＣＨ多重化の図である。
【図４】ＰＵＣＣＨのための物理リソースブロックに対する例示的なマッピングの図である。
【図５】例示的な拡張サブフレーム（expanded sub-frame）（Ｅサブフレーム）の図である。
【図６】例示的なＥサブフレームの図である。
【図７】フレーム当たり４つの利用可能なＤＬサブフレームを有する例示的なＥサブフレームの図である。
【図８】例示的なシンボル拡張（expansion）の図である。
【図９】狭帯域マスタ情報ブロック（ＮＢ−ＭＩＢ）の例示的なサブブロック送信の図である。
【図１０】サブブロックに対する複数の順列シーケンスの例の図である。
【図１１】Ｍｓｕｂ＝Ｎｓｕｂの場合のＰＵＳＣＨ上のＵＣＩの例示的な時間拡張の図である。
【図１２】Ｍｓｕｂ＜Ｎｓｕｂの場合のＰＵＳＣＨ上のＵＣＩの例示的な時間拡張の図である。
【図１３】Ｍｓｙｍ＜Ｎｓｙｍの場合のＰＵＳＣＨ上のＵＣＩの例示的な時間拡張の図である。
【図１４】アップリンクパイロット時間スロット（ＵｐＰＴＳ）における例示的なＨＡＲＱ−ＡＣＫ送信の図である。
【図１５】ＨＡＲＱ−ＡＣＫ送信のための例示的な変調シンボルの図である。
【図１６】２つのシンボルを有するＵｐＰＴＳにおける例示的なＨＡＲＱ−ＡＣＫチャネルの図である。
【図１７】１つのシンボルを有するＵｐＰＴＳにおける例示的なＨＡＲＱ−ＡＣＫチャネルの図である。
【図１８】シンボルにおける例示的なＨＡＲＱ−ＡＣＫ情報およびＲＳ多重化の図である。
【発明を実施するための形態】
【０００７】
ここで、例示的な実施形態の詳細な説明が種々の図を参照して説明される。この説明は可能な実装形態の詳細な説明を提供するが、詳細は例示であり、本出願の範囲を何ら限定することが意図されていないことに留意されたい。
【０００８】
図１Ａは、１つまたは複数の開示される実施形態が実装され得る例示的な通信システム１００の図である。通信システム１００は、音声、データ、ビデオ、メッセージング、ブロードキャストなどのコンテンツを複数の無線ユーザに提供する、多重アクセスシステムとすることができる。通信システム１００は、複数の無線ユーザが、無線帯域幅を含むシステムリソースの共有を通して、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を採用することができる。
【０００９】
図１Ａに示されるように、通信システム１００は、（一般的もしくは集合的にＷＴＲＵ１０２と呼ばれることがある）無線送受信ユニット（ＷＴＲＵ）１０２ａ、１０２ｂ、１０２ｃ、および／または１０２ｄ、無線アクセスネットワーク（ＲＡＮ）１０３／１０４／１０５、コアネットワーク１０６／１０７／１０９、公衆交換電話網（ＰＳＴＮ）１０８、インターネット１１０、並びに他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境で動作および／または通信するように構成された任意のタイプのデバイスとすることができる。例えば、ＷＴＲＵ１０２ａ、１０２ｂ、１０２ｃ、１０２ｄは、無線信号を送信および／または受信するように構成されることができ、ユーザ機器（ＵＥ）、移動局、固定またはモバイル加入者ユニット、ページャ、セルラ電話、携帯情報端末（ＰＤＡ）、スマートフォン、ラップトップ、ネットブック、パーソナルコンピュータ、無線センサ、および家庭用電化製品などを含み得る。
【００１０】
通信システム１００は、基地局１１４ａおよび基地局１１４ｂも含むことができる。基地局１１４ａ、１１４ｂの各々は、コアネットワーク１０６／１０７／１０９、インターネット１１０、および／またはネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインターフェースを取るように構成された、任意のタイプのデバイスとすることができる。例えば、基地局１１４ａ、１１４ｂは、トランシーバ基地局（ＢＴＳ）、ノードＢ、ｅＮｏｄｅＢ、ホームノードＢ、ホームｅＮｏｄｅＢ、サイトコントローラ、アクセスポイント（ＡＰ）、および無線ルータなどとすることができる。基地局１１４ａ、１１４ｂは各々が単一の要素として示されているが、基地局１１４ａ、１１４ｂが、任意の数の相互接続された基地局および／またはネットワーク要素を含むことができることは理解されよう。
【００１１】
基地局１１４ａは、ＲＡＮ１０３／１０４／１０５の一部とすることができ、ＲＡＮ１０３／１０４／１０５は、基地局コントローラ（ＢＳＣ）、無線ネットワークコントローラ（ＲＮＣ）、中継ノードなど、他の基地局および／またはネットワーク要素（図示せず）を含むこともできる。基地局１１４ａおよび／または基地局１１４ｂは、セル（図示せず）と呼ばれることがある特定の地理的領域内で、無線信号を送信および／または受信するように構成され得る。セルは、セルセクタにさらに分割され得る。例えば、基地局１１４ａに関連付けられたセルは、３つのセクタに分割され得る。従って、一実施形態では、基地局１１４ａは、３つのトランシーバ、例えば、セルのセクタごとに１つのトランシーバを含むことができる。別の実施形態では、基地局１１４ａは、多入力多出力（ＭＩＭＯ）技術を採用することができ、従って、セルのセクタごとに複数のトランシーバを利用することができる。
【００１２】
基地局１１４ａ、１１４ｂは、エアインターフェース１１５／１１６／１１７上でＷＴＲＵ１０２ａ、１０２ｂ、１０２ｃ、１０２ｄのうちの１つまたは複数と通信することができ、エアインターフェース１１５／１１６／１１７は、任意の適切な無線通信リンク（例えば、無線周波（ＲＦ）、マイクロ波、赤外線（ＩＲ）、紫外線（ＵＶ）、可視光など）とすることができる。エアインターフェース１１５／１１６／１１７は、任意の適切な無線アクセス技術（ＲＡＴ）を使用して確立され得る。
【００１３】
より具体的には、上述されたように、通信システム１００は、多重アクセスシステムとすることができ、ＣＤＭＡ、ＴＤＭＡ、ＦＤＭＡ、ＯＦＤＭＡ、ＳＣ−ＦＤＭＡなどの１つまたは複数のチャネルアクセス方式を採用することができる。例えば、ＲＡＮ１０３／１０４／１０５内の基地局１１４ａ、およびＷＴＲＵ１０２ａ、１０２ｂ、１０２ｃは、ユニバーサル移動体通信システム（ＵＭＴＳ）地上無線アクセス（ＵＴＲＡ）などの無線技術を実装することができ、その無線技術は、広帯域ＣＤＭＡ（ＷＣＤＭＡ（登録商標））を使用してエアインターフェース１１５／１１６／１１７を確立することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１４】
別の実施形態では、基地局１１４ａおよびＷＴＲＵ１０２ａ、１０２ｂ、１０２ｃが、進化型ＵＭＴＳ地上無線アクセス（Ｅ−ＵＴＲＡ）などの無線技術を実装することができ、その無線技術は、ロングタームエボリューション（ＬＴＥ）および／またはＬＴＥアドバンスト（ＬＴＥ−Ａ）を使用してエアインターフェース１１５／１１６／１１７を確立することができる。
【００１５】
他の実施形態では、基地局１１４ａおよびＷＴＲＵ１０２ａ、１０２ｂ、１０２ｃは、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、ＧＳＭ（登録商標）（Global System for Mobile Communications）、ＧＳＭ進化型高速データレート（ＥＤＧＥ）、ＧＳＭ  ＥＤＧＥ（ＧＥＲＡＮ）などの無線技術を実装することができる。
【００１６】
図１Ａの基地局１１４ｂは、例えば、無線ルータ、ホームノードＢ、ホームｅＮｏｄｅＢ、またはアクセスポイントとすることができ、職場、家庭、乗り物、およびキャンパスなどの局所化されたエリアにおける無線接続性を容易にするために、任意の適切なＲＡＴを利用することができる。一実施形態では、基地局１１４ｂおよびＷＴＲＵ１０２ｃ、１０２ｄは、ＩＥＥＥ８０２．１１などの無線技術を実装して、無線ローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実装して、無線パーソナルエリアネットワーク（ＷＰＡＮ）を確立することができる。さらに別の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１に示されるように、基地局１１４ｂは、インターネット１１０への直接接続を有することができる。従って、基地局１１４ｂは、コアネットワーク１０６／１０７／１０９を介してインターネット１１０にアクセスすることを必要とされなくてよい。
【００１７】
ＲＡＮ１０３／１０４／１０５は、コアネットワーク１０６／１０７／１０９と通信することができ、コアネットワーク１０６／１０７／１０９は、音声、データ、アプリケーション、および／またはＶｏＩＰ（Voice over Internet Protocol）サービスをＷＴＲＵ１０２ａ、１０２ｂ、１０２ｃ、１０２ｄのうちの１つまたは複数に提供するように構成された、任意のタイプのネットワークとすることができる。例えば、コアネットワーク１０６／１０７／１０９は、呼制御、請求サービス、モバイル位置情報サービス、プリペイド通話、インターネット接続性、およびビデオ配信などを提供すること、並びに／またはユーザ認証などの高レベルセキュリティ機能を実行することができる。図１Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを採用する他のＲＡＮと直接的または間接的に通信し得ることが理解されよう。例えば、Ｅ−ＵＴＲＡ無線技術を利用できるＲＡＮ１０３／１０４／１０５に接続されるのに加えて、コアネットワーク１０６／１０７／１０９は、ＧＳＭ無線技術を採用する別のＲＡＮ（図示せず）と通信してもよい。
【００１８】
コアネットワーク１０６／１０７／１０９は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイの役割をすることもできる。ＰＳＴＮ１０８は、基本電話サービス（ＰＯＴＳ）を提供する回線交換電話網を含むことができる。インターネット１１０は、ＴＣＰ／ＩＰインターネットプロトコルスイートにおけるＴＣＰ、ＵＤＰおよびＩＰなどの一般的通信プロトコルを使用する、相互接続されたコンピュータネットワークおよびデバイスのグローバルシステムを含むことができる。ネットワーク１１２は、他のサービスプロバイダによって所有および／または運用される有線または無線通信ネットワークを含むことができる。例えば、ネットワーク１１２は、１つまたは複数のＲＡＮに接続される別のコアネットワークを含むことができ、ＲＡＮは、ＲＡＮ１０３／１０４／１０５と同じＲＡＴまたは異なるＲＡＴを採用することができる。
【００１９】
通信システム１００内のＷＴＲＵ１０２ａ、１０２ｂ、１０２ｃ、１０２ｄの一部または全部は、マルチモード機能を含むことができ、例えば、ＷＴＲＵ１０２ａ、１０２ｂ、１０２ｃ、１０２ｄは、異なる無線リンク上で異なる無線ネットワークと通信するための複数のトランシーバを含むことができる。例えば、図１Ａに示されたＷＴＲＵ１０２ｃは、セルラベースの無線技術を採用することができる基地局１１４ａ、およびＩＥＥＥ８０２無線技術を採用することができる基地局１１４ｂと通信するように構成され得る。
【００２０】
図１Ｂは、例示的なＷＴＲＵ１０２のシステム図である。図１Ｂに示されるように、ＷＴＲＵ１０２は、ＷＴＲＵ１０２は、プロセッサ１１８、トランシーバ１２０、送受信要素１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６、および他の周辺機器１３８を含むことができる。ＷＴＲＵ１０２は、実施形態との整合性を保ちながら、上述の要素の任意の部分的組み合わせを含むことができることは理解されよう。また、実施形態では、基地局１１４ａおよび１１４ｂ、並びに／または基地局１１４ａおよび１１４ｂが表し得るノード、例えば、以下に限定されないが、特に、トランシーバ局（ＢＴＳ）、ノードＢ、サイトコントローラ、アクセスポイント（ＡＰ）、ホームノードＢ、進化型ホームノードＢ（ｅＮｏｄｅＢ）、ホーム進化型ノードＢ（ＨｅＮＢ）、ホーム進化型ノードＢゲートウェイ、プロキシノードなどが、図１Ｂに示され本明細書に説明される要素の一部または全部を含むことができることを企図している。
【００２１】
プロセッサ１１８は、汎用プロセッサ、専用プロセッサ、従来型プロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入出力処理、および／またはＷＴＲＵ１０２が無線環境で動作することを可能にする任意の他の機能性を実行することができる。プロセッサ１１８は、トランシーバ１２０に結合されることができ、トランシーバ１２０は、送受信要素１２２に結合されることができる。図１Ｂは、プロセッサ１１８およびトランシーバ１２０を別々のコンポーネントとして示しているが、プロセッサ１１８およびトランシーバ１２０は、電子パッケージまたはチップ内に一緒に統合され得ることが理解されよう。
【００２２】
送受信要素１２２は、エアインターフェース１１５／１１６／１１７上で、基地局（例えば基地局１１４ａ）へ信号を送信し、または基地局から信号を受信するように構成され得る。例えば、一実施形態では、送受信要素１２２は、ＲＦ信号を送信および／または受信するように構成されたアンテナとすることができる。別の実施形態では、送受信要素１２２は、例えば、ＩＲ、ＵＶ、または可視光信号を送信および／または受信するように構成されたエミッタ／ディテクタとすることができる。さらに別の実施形態では、送受信要素１２２は、ＲＦ信号と光信号の両方を送信および受信するように構成され得る。送受信要素１２２は、無線信号の任意の組み合わせを送信および／または受信するように構成され得ることが理解されよう。
【００２３】
また、図１Ｂでは送受信要素１２２は単一の要素として示されているが、ＷＴＲＵ１０２は、任意の数の送受信要素１２２を含むことができる。より具体的には、ＷＴＲＵ１０２はＭＩＭＯ技術を採用することができる。従って、一実施形態では、ＷＴＲＵ１０２は、エアインターフェース１１５／１１６／１１７上で無線信号を送信および受信するための２つ以上の送受信要素１２２（例えば、複数のアンテナ）を含むことができる。
【００２４】
トランシーバ１２０は、送受信要素１２２によって送信される信号を変調し、送受信要素１２２によって受信された信号を復調するように構成され得る。上述されたように、ＷＴＲＵ１０２はマルチモード機能を有することができる。従って、トランシーバ１２０は、例えば、ＵＴＲＡおよびＩＥＥＥ８０２．１１などの複数のＲＡＴを介してＷＴＲＵ１０２が通信することを可能にするために、複数のトランシーバを含むことができる。
【００２５】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合されることができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。また、プロセッサ１１８は、非リムーバブルメモリ１３０および／またはリムーバブルメモリ１３２など任意のタイプの適切なメモリからの情報にアクセスすることができ、それらにデータを記憶することができる。非リムーバブルメモリ１３０は、ＲＡＭ、ＲＯＭ、ハードディスク、または任意の他のタイプのメモリ記憶デバイスを含み得る。リムーバブルメモリ１３２は、加入者識別モジュール（ＳＩＭ）カード、メモリスティック、セキュアデジタル（ＳＤ）メモリカードなどを含み得る。他の実施形態では、プロセッサ１１８は、ＷＴＲＵ１０２上に物理的に配置されずにサーバまたはホームコンピュータ（図示せず）上などに配置されたメモリからの情報にアクセスすることができ、それらにデータを記憶することができる。
【００２６】
プロセッサ１１８は、電源１３４から電力を受け取ることができ、ＷＴＲＵ１０２内の他のコンポーネントへの電力を分配および／または制御するように構成され得る。電源１３４は、ＷＴＲＵ１０２に電力供給するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含み得る。
【００２７】
プロセッサ１１８は、ＧＰＳチップセット１３６にも結合されることができ、ＧＰＳチップセット１３６は、ＷＴＲＵ１０２の現在位置に関する位置情報（例えば、経度および緯度）を提供するように構成され得る。ＧＰＳチップセット１３６からの情報に加えて、またはその代わりに、ＷＴＲＵ１０２は、基地局（例えば、基地局１１４ａ、１１４ｂ）からエアインターフェース１１５／１１６／１１７上で位置情報を受信することができ、および／または２つ以上の近くの基地局から受信された信号のタイミングに基づいて、その位置を決定することができる。ＷＴＲＵ１０２は、実施形態との整合性を保ちながら、任意の適切な位置決定方法を用いて位置情報を取得できることが理解されよう。
【００２８】
プロセッサ１１８は、他の周辺機器１３８にさらに結合されることができ、他の周辺機器１３８は、追加の特徴、機能性、および／または有線もしくは無線接続性を提供する、１つまたは複数のソフトウェアモジュールおよび／またはハードウェアモジュールを含むことができる。例えば、周辺機器１３８は、加速度計、電子コンパス、衛星トランシーバ、（写真またはビデオ用）デジタルカメラ、ＵＳＢポート、振動デバイス、テレビトランシーバ、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザなどを含み得る。
【００２９】
図１Ｃは、実施形態によるＲＡＮ１０３およびコアネットワーク１０６のシステム図である。上述されたように、ＲＡＮ１０３は、エアインターフェース１１５上でＷＴＲＵ１０２ａ、１０２ｂ、１０２ｃと通信するためにＵＴＲＡ無線技術を採用することができる。ＲＡＮ１０３は、コアネットワーク１０６と通信することもできる。図１Ｃに示されるように、ＲＡＮ１０３は、ノードＢ１４０ａ、１４０ｂ、１４０ｃを含むことができ、ノードＢ１４０ａ、１４０ｂ、１４０ｃは各々が、エアインターフェース１１５上でＷＴＲＵ１０２ａ、１０２ｂ、１０２ｃと通信するための１つまたは複数のトランシーバを含むことができる。ノードＢ１４０ａ、１４０ｂ、１４０ｃは各々が、ＲＡＮ１０３内の特定のセル（図示せず）に関連付けられ得る。ＲＡＮ１０３はまた、ＲＮＣ１４２ａ、１４２ｂを含むことができる。ＲＡＮ１０３は、実施形態との整合性を保ちながら、任意の数のノードＢおよびＲＮＣを含むことができることは理解されよう。
【００３０】
図１Ｃに示されるように、ノードＢ１４０ａ、１４０ｂはＲＮＣ１４２ａと通信することができる。加えて、ノードＢ１４０ｃはＲＮＣ１４２ｂと通信することができる。ノードＢ１４０ａ、１４０ｂ、１４０ｃは、Ｉｕｂインターフェースを介してそれぞれのＲＮＣ１４２ａ、１４２ｂと通信することができる。ＲＮＣ１４２ａ、１４２ｂは、Ｉｕｒインターフェースを介して互いに通信することができる。ＲＮＣ１４２ａ、１４２ｂの各々は、各々が接続されたそれぞれのノードＢ１４０ａ、１４０ｂ、１４０ｃを制御するように構成され得る。加えて、ＲＮＣ１４２ａ、１４２ｂの各々は、アウターループ電力制御、負荷制御、アドミッション制御、パケットスケジューリング、ハンドオーバ制御、マクロダイバーシチ、セキュリティ機能、データ暗号化など、他の機能性を実施またはサポートするように構成され得る。
【００３１】
図１Ｃに示されたコアネットワーク１０６は、メディアゲートウェイ（ＭＧＷ）１４４、移動交換局（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上述の要素の各々はコアネットワーク１０６の一部として示されているが、これらの要素のいずれも、コアネットワーク運用者とは異なるエンティティによって所有および／または運用され得ることは理解されよう。
【００３２】
ＲＡＮ１０３内のＲＮＣ１４２ａは、ＩｕＣＳインターフェースを介してコアネットワーク１０６内のＭＳＣ１４６に接続され得る。ＭＳＣ１４６は、ＭＧＷ１４４に接続され得る。ＭＳＣ１４６およびＭＧＷ１４４は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。
【００３３】
ＲＡＮ１０３内のＲＮＣ１４２ａはまた、ＩｕＰＳインターフェースを介してコアネットワーク１０６内のＳＧＳＮ１４８に接続され得る。ＳＧＳＮ１４８は、ＧＧＳＮ１５０に接続され得る。ＳＧＳＮ１４８およびＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３４】
上述されたように、コアネットワーク１０６は、他のサービスプロバイダによって所有および／または運用される他の有線または無線ネットワークを含み得るネットワーク１１２にも接続され得る。
【００３５】
図１Ｄは、実施形態によるＲＡＮ１０４およびコアネットワーク１０７のシステム図である。上述されたように、ＲＡＮ１０４は、エアインターフェース１１６上でＷＴＲＵ１０２ａ、１０２ｂ、１０２ｃと通信するためにＥ−ＵＴＲＡ無線技術を採用することができる。ＲＡＮ１０４は、コアネットワーク１０７と通信することもできる。
【００３６】
ＲＡＮ１０４はｅＮｏｄｅＢ１６０ａ、１６０ｂ、１６０ｃを含み得るが、ＲＡＮ１０４は、実施形態との整合性を保ちながら、任意の数のｅＮｏｄｅＢを含むことができることは理解されよう。ｅＮｏｄｅＢ１６０ａ、１６０ｂ、１６０ｃは各々が、エアインターフェース１１６上でＷＴＲＵ１０２ａ、１０２ｂ、１０２ｃと通信するための１つまたは複数のトランシーバを含むことができる。一実施形態では、ｅＮｏｄｅＢ１６０ａ、１６０ｂ、１６０ｃは、ＭＩＭＯ技術を実装することができる。従って、ｅＮｏｄｅＢ１６０ａは、例えば、複数のアンテナを使用して、ＷＴＲＵ１０２ａに無線信号を送信し、ＷＴＲＵ１０２ａから無線信号を受信することができる。
【００３７】
ｅＮｏｄｅＢ１６０ａ、１６０ｂ、１６０ｃの各々は、特定のセル（図示せず）と関連付けられることができ、無線リソース管理決定、ハンドオーバ決定、並びにアップリンクおよび／またはダウンリンクでのユーザのスケジューリングなどを処理するように構成され得る。図１Ｄに示されるように、ｅＮｏｄｅＢ１６０ａ、１６０ｂ、１６０ｃは、Ｘ２インターフェース上で互いに通信することができる。
【００３８】
図１Ｄに示されたコアネットワーク１０７は、モビリティ管理ゲートウェイ（ＭＭＥ）１６２、サービングゲートウェイ１６４、およびパケットデータネットワーク（ＰＤＮ）ゲートウェイ１６６を含むことができる。上述の要素の各々はコアネットワーク１０７の一部として示されているが、これらの要素のいずれも、コアネットワーク運用者とは異なるエンティティによって所有および／または運用され得ることは理解されよう。
【００３９】
ＭＭＥ１６２は、ＲＡＮ１０４内のｅＮｏｄｅＢ１６０ａ、１６０ｂ、１６０ｃの各々にＳ１インターフェースを介して接続されることができ、制御ノードの役割をすることができる。例えば、ＭＭＥ１６２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期接続の際の特定のサービングゲートウェイの選択などを担当することができる。ＭＭＥ１６２はまた、ＲＡＮ１０４と、ＧＳＭまたはＷＣＤＭＡなど他の無線技術を採用する他のＲＡＮ（図示せず）との間の交換のための制御プレーン機能を提供することができる。
【００４０】
サービングゲートウェイ１６４は、Ｓ１インターフェースを介してＲＡＮ１０４内のｅＮｏｄｅＢ１６０ａ、１６０ｂ、１６０ｃの各々に接続され得る。サービングゲートウェイ１６４は一般に、ＷＴＲＵ１０２ａ、１０２ｂ、１０２ｃとの間でユーザデータパケットをルーティングおよび転送することができる。サービングゲートウェイ１６４はまた、ｅＮｏｄｅＢ間ハンドオーバ中のユーザプレーンのアンカリング、ダウンリンクデータがＷＴＲＵ１０２ａ、１０２ｂ、１０２ｃに利用可能な場合のページングのトリガ、ＷＴＲＵ１０２ａ、１０２ｂ、１０２ｃのコンテキストの管理および記憶など、他の機能を実行することができる。
【００４１】
サービングゲートウェイ１６４はまた、ＰＤＮゲートウェイ１６６に接続されることができ、ＰＤＮゲートウェイ１６６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００４２】
コアネットワーク１０７は、他のネットワークとの通信を容易にすることができる。例えば、コアネットワーク１０７は、ＰＳＴＮ１０８などの回線交換ネットワークへのアクセスをＷＴＲＵ１０２ａ、１０２ｂ、１０２ｃに提供し、ＷＴＲＵ１０２ａ、１０２ｂ、１０２ｃと従来の陸線通信デバイスとの間の通信を容易にすることができる。例えば、コアネットワーク１０７は、コアネットワーク１０７とＰＳＴＮ１０８の間のインターフェースの役割をするＩＰゲートウェイ（例えば、ＩＰマルチメディアサブシステム（ＩＭＳ）サーバ）を含むことができ、またはそのＩＰゲートウェイと通信することができる。また、コアネットワーク１０７は、ネットワーク１１２へのアクセスをＷＴＲＵ１０２ａ、１０２ｂ、１０２ｃに提供し、ネットワーク１１２は、他のサービスプロバイダによって所有および／または運用される他の有線または無線ネットワークを含むことができる。
【００４３】
図１Ｅは、実施形態によるＲＡＮ１０５およびコアネットワーク１０９のシステム図である。ＲＡＮ１０５は、エアインターフェース１１７上でＷＴＲＵ１０２ａ、１０２ｂ、１０２ｃと通信するためにＩＥＥＥ８０２．１６無線技術を採用するアクセスサービスネットワーク（ＡＳＮ）とすることができる。以下でさらに説明されるように、ＷＴＲＵ１０２ａ、１０２ｂ、１０２ｃ、ＲＡＮ１０５、およびコアネットワーク１０９の異なる機能エンティティ間の通信リンクは、参照点として定義され得る。
【００４４】
図１Ｅに示されるように、ＲＡＮ１０５は基地局１８０ａ、１８０ｂ、１８０ｃおよびＡＳＮゲートウェイ１８２を含み得るが、ＲＡＮ１０５は、実施形態との整合性を保ちながら、任意の数の基地局およびＡＳＮゲートウェイを含むことができることは理解されよう。基地局１８０ａ、１８０ｂ、１８０ｃは各々が、ＲＡＮ１０５内の特定のセル（図示せず）に関連付けられることができ、また各々が、エアインターフェース１１７上でＷＴＲＵ１０２ａ、１０２ｂ、１０２ｃと通信するための１つまたは複数のトランシーバを含むことができる。一実施形態では、基地局１８０ａ、１８０ｂ、１８０ｃは、ＭＩＭＯ技術を実装することができる。従って、基地局１８０ａは、例えば、複数のアンテナを使用して、ＷＴＲＵ１０２ａに無線信号を送信し、ＷＴＲＵ１０２ａから無線信号を受信することができる。基地局１８０ａ、１８０ｂ、１８０ｃはまた、ハンドオフのトリガ、トンネル確立、無線リソース管理、トラフィック分類、サービス品質（ＱｏＳ）ポリシー施行など、モビリティ管理機能を提供することができる。ＡＳＮゲートウェイ１８２は、トラフィック集約点の役割をすることができ、ページング、加入者プロファイルのキャッシング、コアネットワーク１０９へのルーティングなどを担当することができる。
【００４５】
ＷＴＲＵ１０２ａ、１０２ｂ、１０２ｃとＲＡＮ１０５との間のエアインターフェース１１７は、ＩＥＥＥ８０２．１６仕様を実装するＲ１参照点として定義され得る。また、ＷＴＲＵ１０２ａ、１０２ｂ、１０２ｃの各々は、コアネットワーク１０９との論理インターフェース（図示せず）を確立することができる。ＷＴＲＵ１０２ａ、１０２ｂ、１０２ｃとコアネットワーク１０９との間の論理インターフェースは、認証、認可、ＩＰホスト構成管理、および／またはモビリティ管理に使用され得るＲ２参照点として定義され得る。
【００４６】
基地局１８０ａ、１８０ｂ、１８０ｃの各々の間の通信リンクは、ＷＴＲＵハンドオーバおよび基地局間のデータの転送を容易にするためのプロトコルを含むＲ８参照点として定義され得る。基地局１８０ａ、１８０ｂ、１８０ｃとＡＳＮゲートウェイ１８２との間の通信リンクは、Ｒ６参照点として定義され得る。Ｒ６参照点は、ＷＴＲＵ１０２ａ、１０２ｂ、１０２ｃの各々に関連付けられたモビリティイベントに基づくモビリティ管理を容易にするためのプロトコルを含むことができる。
【００４７】
図１Ｅに示されるように、ＲＡＮ１０５は、コアネットワーク１０９に接続され得る。ＲＡＮ１０５とコアネットワーク１０９との間の通信リンクは、例えば、データ転送機能、モビリティ管理機能を容易にするためのプロトコルを含むＲ３基準点として定義され得る。コアネットワーク１０９は、モバイルＩＰホームエージェント（ＭＩＰ−ＨＡ）１８４、認証、認可、アカウンティング（ＡＡＡ）サーバ１８６、およびゲートウェイ１８８を含むことができる。上述の要素の各々はコアネットワーク１０９の一部として示されているが、これらの要素のいずれも、コアネットワーク運用者とは異なるエンティティによって所有および／または運用され得ることは理解されよう。
【００４８】
ＭＩＰ−ＨＡは、ＩＰアドレス管理を担当することができ、異なるＡＳＮおよび／または異なるコアネットワークの間でＷＴＲＵ１０２ａ、１０２ｂ、１０２ｃがローミングすることを可能にし得る。ＭＩＰ−ＨＡ１８４は、インターネット１１０などのパケット交換ネットワークへのアクセスをＷＴＲＵ１０２ａ、１０２ｂ、１０２ｃに提供し、ＷＴＲＵ１０２ａ、１０２ｂ、１０２ｃとＩＰ対応デバイスとの間の通信を容易にすることができる。ＡＡＡサーバ１８６は、ユーザ認証、およびユーザサービスのサポートを担当することができる。ゲートウェイ１８８は、他のネットワークとの相互動作を容易にすることができる。例えば、ゲートウェイ１８８は、ＰＳＴＮ１０８などの回線交換ネットワークへのアクセスをＷＴＲＵ１０２ａ、１０２ｂ、１０２ｃに提供し、ＷＴＲＵ１０２ａ、１０２ｂ、１０２ｃと従来の陸線通信デバイスとの間の通信を容易にすることができる。また、ゲートウェイ１８８は、ネットワーク１１２へのアクセスをＷＴＲＵ１０２ａ、１０２ｂ、１０２ｃに提供することができ、ネットワーク１１２は、他のサービスプロバイダによって所有および／または運用される他の有線または無線ネットワークを含み得る。
【００４９】
図１Ｅには示されていないが、ＲＡＮ１０５は他のＡＳＮに接続されてよく、コアネットワーク１０９は他のコアネットワークに接続されてよいことは理解されよう。ＲＡＮ１０５と他のＡＳＮとの間の通信リンクは、ＲＡＮ１０５と他のＡＳＮとの間のＷＴＲＵ１０２ａ、１０２ｂ、１０２ｃのモビリティを調整するためのプロトコルを含むことができるＲ４基準点として定義され得る。コアネットワーク１０９と他のコアネットワークとの間の通信リンクは、ホームコアネットワークと訪問されたコアネットワークとの間の相互動作を容易にするためのプロトコルを含むことができるＲ５基準点として定義され得る。
【００５０】
ＬＴＥシステムは、予め定められたシステム帯域幅（ＢＷ）（例えば、１．４ＭＨｚ、３ＭＨｚ、５ＭＨｚ、１０ＭＨｚ、または２０ＭＨｚなど）を有するダウンリンク（ＤＬ）および／またはアップリンク（ＵＬ）でキャリアおよび／またはセルを運用することができる。サブキャリア間隔は、１５ｋＨｚとすることができる。タイムスロットは０．５ｍｓを含むことができる。時間のサブフレームは、２つのタイムスロットおよび／または１ｍｓを含むことができる。フレームは、１つまたは複数のサブフレーム（例えば１０個など）を含むことができる。ＤＬは、直交周波数分割多元接続（ＯＦＤＭＡ）に基づくことができる。ＵＬは、シングルキャリア周波数分割多元接続（ＳＣ−ＦＤＭＡ）に基づくことができる。サブフレームは、１つまたは複数のシンボル（例えば、ノーマル巡回プレフィックス（ＣＰ）に対してサブフレーム内に１４個のシンボルなど）を含むことができる。ＤＬにおける最初の０、１、２、または３個のシンボルが、物理ＤＬ制御チャネル（ＰＤＣＣＨ）または他の目的のために使用および／または予約され得る。
【００５１】
ＵＬおよび／またはＤＬにおける割り当ては、リソースブロック（ＲＢ）および／またはＲＢペア単位でなされてよい。ＲＢは、１タイムスロット×１２サブキャリア（例えば、１タイムスロット×１８０ｋＨｚ）を含むことができる。最小割り当てが、例えば、少なくともいくつかのチャネル（例えば、物理ダウンリンク共有チャネル（ＰＤＳＣＨ）、ＰＵＳＣＨ）について使用され得る。最小の割り当ては、例えば、ＲＢペアであり得る。ＲＢペアは、２つのタイムスロット（例えば、１つのサブフレーム）を含むことができる。ＲＢは、物理ＲＢ（ＰＲＢ）を含み得る。ＲＢおよびＰＲＢは交換可能に使用されてよい。ＲＢは、１つのＲＢ、ＲＢペア、および／またはＰＲＢペアを表し得る。
【００５２】
システムおよび／またはシステムのコンポーネント（例えば、ＷＴＲＵ／ＵＥ、デバイス、またはｅＮｏｄｅＢ）は、リソースを使用し、リソースで動作し、および／またはリソースを割り当てることができる。システムおよび／またはシステムのコンポーネントは、少なくとも１つの他の通信システム帯域幅、例えばＬＴＥ帯域幅に対して異なり得る（例えば、小さい）帯域幅内で、リソースを使用し、リソースで動作し、および／またはリソースを割り当てることができる。例えば、デバイスは、１．４ＭＨｚ帯域幅のＬＴＥ帯域幅と、ＬＴＥシステム帯域幅よりも小さくてよい第２の帯域幅とを利用するように構成され得る。異なる（例えば、より小さいまたは低減された）帯域幅は、２００ｋＨｚまたは１８０ｋＨｚ（例えば、１８０ｋＨｚの使用可能または送信ＢＷを有する合計２００ｋＨｚのＢＷ）であり得る。狭帯域ＬＴＥ（ＮＢ−ＬＴＥ）という用語は、デバイスがＬＴＥシステム帯域幅の一部（例えばサブセット）を使用して動作するように構成されたときのシステムおよび／またはシステムコンポーネントを指すまたは表すために使用され得る。ＮＢ−ＬＴＥ動作の例は、１．４ＭＨｚ、３ＭＨｚ、５ＭＨＺ、１０ＭＨＺまたは２０ＭＨｚセル帯域幅のうちの１つを使用して動作しているＬＴＥセルに滞在および／または接続されている間に、（例えば、１８０ｋＨｚの使用可能帯域幅を有する）合計２００ｋＨｚの帯域幅で動作するデバイスを含み得る。ＬＴＥは、通信システムのタイプの非限定的例として使用されている。別のタイプの通信システムがＬＴＥの代わりに用いられても、本開示と整合性を有することができる。
【００５３】
ＬＴＥ帯域幅よりも小さくてよい帯域幅で動作するように構成されたＷＴＲＵは、ＮＢ−ＬＴＥ  ＷＴＲＵと呼ばれることがある。ＷＴＲＵ、帯域幅が制限されたＷＴＲＵ、ＮＢ−ＬＴＥ  ＷＴＲＵ、ＮＢ−ＩｏＴ  ＷＴＲＵ、ＩｏＴ  ＷＴＲＵ、低コストＷＴＲＵ、低複雑性ＷＴＲＵ、帯域幅が低減されたＷＴＲＵ、および能力が制限されたＷＴＲＵは、本明細書では交換可能に使用され得る。カバレッジが制限されたＷＴＲＵ、および帯域幅が低減されたＷＴＲＵという用語は、本明細書では交換可能に使用され得る。
【００５４】
セルおよびｅＮＢという用語は、本明細書では交換可能に使用され得る。
【００５５】
いくつかの例はＰＤＣＣＨに関して説明されることがあるが、それらの例は、拡張ＰＤＣＣＨ（ＥＰＤＣＣＨ）、マシンタイプ通信（ＭＴＣ）ＰＤＣＣＨ（Ｍ−ＰＤＣＣＨ）、狭帯域  ＰＤＣＣＨ（ＮＢ−ＰＤＣＣＨ）、および／または他のＤＬ制御チャネルなどの他のタイプの制御チャネルを使用するシグナリングに同様に適用可能であり、そうであっても本開示と整合性を有することができる。コンポーネントキャリア（ＣＣ）およびサービングセルという用語は、本明細書では交換可能に使用され得る。ＷＴＲＵ、ＷＴＲＵ媒体アクセス制御（ＭＡＣ）エンティティ、およびＭＡＣエンティティという用語は、本明細書では交換可能に使用され得る。
【００５６】
アップリンク制御情報（ＵＣＩ）送信の例が提供され得る。ＬＴＥ  ＵＣＩは、ＵＬフィードバック情報を含むことができる。ＵＬフィードバック情報は、チャネル品質情報（ＣＱＩ）、プリコーディング行列インジケータ（ＰＭＩ）、ランクインジケータ（ＲＩ）、および／または、ＤＬ送信に対応するハイブリッド自動再送要求（ＨＡＲＱ）情報（例えば、肯定応答（ＡＣＫ）および／または否定ＡＣＫ（ＮＡＣＫ））を含むことができる。ＣＱＩは、変調および符号化方式（ＭＣＳ）レベル（例えば、好ましいＭＣＳレベル）を示すことができる。ＰＭＩは、多入力多出力（ＭＩＭＯ）動作のためのプリコーディング行列（例えば、好ましいプリコーディング行列）を示すことができる。ＲＩは、レイヤの数（例えば、好ましい数）を示すことができる。
【００５７】
２つ以上のＵＣＩ送信フォーマットがサポートされ得る。２つ以上のＵＣＩ送信フォーマットは、物理アップリンク制御チャネル（ＰＵＣＣＨ）ベースのＵＣＩ送信および／または物理アップリンク共有チャネル（ＰＵＳＣＨ）ベースのＵＣＩ送信などを含み得る。
【００５８】
ＰＵＣＣＨベースのＵＣＩ送信は、ＵＣＩ送信のための専用チャネルを含み得る。ＵＣＩ送信のための専用チャネルは、ＵＬシステム帯域幅（例えばＰＵＣＣＨ領域）の境界に配置され得る。
【００５９】
図２は、ＰＵＣＣＨのための物理リソースブロックに対する例示的なマッピング２００の図である。ＬＴＥ  ＰＵＣＣＨ制御構造は、周波数領域符号多重化を使用することができる。周波数領域符号多重化は、ベースシーケンスの巡回時間シフトを含むことができる。ＬＴＥ  ＰＵＣＣＨ制御構造は、時間領域符号多重化を使用することができる。時間領域符号多重化は、異なる直交ブロック拡散符号を含むことができる。ＬＴＥ  ＰＵＣＣＨ制御構造は、（例えば同時に）２つ以上のＷＴＲＵからの小さなペイロード（例えば、２２個の符号化ビットまでの）をサポートする効率的な直交制御チャネルを可能にすることができる。ＬＴＥ  ＰＵＣＣＨ制御構造は、低い信号対雑音比（ＳＮＲ）で動作能力を改善することができる。
【００６０】
図３は、ＰＵＳＣＨにおける例示的なＵＣＩおよびＵＬ−ＳＣＨ多重化３００を示す。ＵＣＩ送信は、ＰＵＳＣＨを介して送られ得る（例えば、ＰＵＳＣＨ上のＵＣＩ）。ＣＱＩ／ＰＭＩ、ＡＣＫ／ＮＡＣＫ、および／またはＲＩのために使用される１つまたは複数のリソース要素（ＲＥ）は、ＰＵＳＣＨに割り当てられたＭＣＳに基づくことができる。１つまたは複数のオフセットパラメータが、上位レイヤシグナリングを介して構成（例えば、準静的に構成）され得る。
【００６１】
ＰＵＣＣＨのために使用される物理リソースは、１つまたは複数のパラメータ（例えば、２つのパラメータ）に依存し得る。１つまたは複数のパラメータは、１つまたは複数の上位レイヤを介して提供され得る。例えば、ＰＵＣＣＨのために使用される物理リソースは、上位レイヤによって提供される
【００６２】
【数１】
2020074608.tif 000003
【００６３】
および／または
【００６４】
【数２】
2020074608.tif 000004
【００６５】
に基づくことができる。変数
【００６６】
【数３】
2020074608.tif 000005
【００６７】
は、（例えば、各スロットにおけるＰＵＣＣＨフォーマット２／２ａ／２ｂ送信によって使用するために）利用可能なリソースブロックの数に基づく帯域幅を示すことができる。変数
【００６８】
【数４】
2020074608.tif 000006
【００６９】
は、フォーマット１／１ａ／１ｂおよび２／２ａ／２ｂの混合に対して使用されるリソースブロックにおけるＰＵＣＣＨフォーマット１／１ａ／１ｂに使用される巡回シフトの数を示すことができる。
【００７０】
【数５】
2020074608.tif 000007
【００７１】
の値は、
【００７２】
【数６】
2020074608.tif 000008
【００７３】
の整数倍を（例えば、｛０，１，・・・，７｝の範囲内で）含むことができる。
【００７４】
【数７】
2020074608.tif 000009
【００７５】
の値は、１つまたは複数の上位レイヤによって提供され得る。
【００７６】
【数８】
2020074608.tif 000010
【００７７】
の場合、混合されたリソースブロックは存在しなくてよい。各スロット中のリソースブロックが、フォーマットの混合（例えば、１／１ａ／１ｂおよび２／２ａ／２ｂ）をサポートすることができる。ＰＵＣＣＨフォーマット（例えば、１／１ａ／１ｂ、２／２ａ／２ｂ、および／または３など）の送信のために使用されるリソースはそれぞれ、非負のインデックス
【００７８】
【数９】
2020074608.tif 000011
【００７９】
【数１０】
2020074608.tif 000012
【００８０】
によって表され得る。
【００８１】
複素数値シンボル
【００８２】
【数１１】
2020074608.tif 000013
【００８３】
からなるブロックは、（例えば、指定された送信電力ＰPUCCHに一致するために、）振幅スケーリングファクタ（amplitude scaling factor）βPUCCHで乗算され得る。複素数値シンボルのブロックは、
【００８４】
【数１２】
2020074608.tif 000014
【００８５】
から開始するシーケンスでリソース要素にマッピングされ得る。ＰＵＣＣＨは、サブフレーム内の２つのスロットのそれぞれにおいて１つのリソースブロックを使用することができる。送信のために使用され得る物理リソースブロック内で、（例えば、基準信号の送信に使用されない、）アンテナポートｐにおけるリソース要素（ｋ，ｌ）に対する
【００８６】
【数１３】
2020074608.tif 000015
【００８７】
のマッピングは、昇順（例えば、ｋから、次にｌ、最後にスロット番号）であり得る。
【００８８】
【数１４】
2020074608.tif 000016
【００８９】
のマッピングは、サブフレーム内の最初のスロットから開始することができる。インデックス
【００９０】
【数１５】
2020074608.tif 000017
【００９１】
とアンテナポート番号ｐとの間の関係は、表１によって与えられ得る。
【００９２】
【表１】
2020074608.tif 000018
【００９３】
スロットｎSにおけるＰＵＣＣＨの送信に使用される物理リソースブロックは、以下に基づいて決定され得る。
【００９４】
【数１６】
2020074608.tif 000019
【００９５】
式中、変数ｍはＰＵＣＣＨフォーマットに依存することができる。例えば、ＰＵＣＣＨが１、１ａ、および／または１ｂとしてフォーマットされる場合、変数ｍは以下のように表され得る。
【００９６】
【数１７】
2020074608.tif 000020
【００９７】
ＰＵＣＣＨが２、２ａ、および／または２ｂとしてフォーマットされる場合、変数ｍは以下のように表され得る。
【００９８】
【数１８】
2020074608.tif 000021
【００９９】
ＰＵＣＣＨが３としてフォーマットされる場合、変数ｍは以下のように表され得る。
【０１００】
【数１９】
2020074608.tif 000022
【０１０１】
図４は、物理アップリンク制御チャネル（ＰＵＣＣＨ）のための物理リソースブロックに対する変調シンボルの例示的なマッピング４００を示す。サウンディング基準信号がＰＵＣＣＨフォーマット１、１ａ、１ｂ、および／または３を用いて送信され、１つのサービングセルが構成される場合、短縮されたＰＵＣＣＨフォーマットが使用され得る。例えば、サブフレームの第２のスロットにおける最後のシングルキャリア周波数分割多元接続（ＳＣ−ＦＤＭＡ）シンボルが空／空白のままとされてよく、最後のＳＣ−ＦＤＭＡシンボルは、（例えば、ＷＴＲＵ構成および／またはネットワークトリガに応じて）サービングセルにおいてＳＲＳを送信するために１つまたは複数のＷＴＲＵによって使用されてよい。１つまたは複数（例えば２つ）のアンテナポート（ｐ∈［ｐ0，ｐ1］）上のＨＡＲＱ−ＡＣＫ送信は、ＰＵＣＣＨフォーマット１ａ／１ｂについてサポートされ得る。
【０１０２】
ＦＤＤおよび１つの構成されたサービングセルの場合、ＷＴＲＵはＰＵＣＣＨリソース
【０１０３】
【数２０】
2020074608.tif 000023
【０１０４】
を使用して、ＰＵＣＣＨフォーマット１ａ／１ｂについて、アンテナポートｐにマップされた
【０１０５】
【数２１】
2020074608.tif 000024
【０１０６】
に関して、サブフレームｎにおけるＨＡＲＱ−ＡＣＫを送信することができる。サブフレームｎ−４における対応するＰＤＣＣＨの検出によって示されたＰＤＳＣＨ送信のために、および／またはサブフレームｎ−４におけるダウンリンクＳＰＳリリースを示すＰＤＣＣＨのために、ＷＴＲＵは、アンテナポートｐ0について
【０１０７】
【数２２】
2020074608.tif 000025
【０１０８】
を使用することができる。ここで、ｎCCEは、対応するダウンリンク制御情報（ＤＣＩ）割り当ての送信に使用される第１のＣＣＥの数（例えば、ＰＤＣＣＨを構成するために使用される最低のＣＣＥインデックス）を表すことができる。
【０１０９】
【数２３】
2020074608.tif 000026
【０１１０】
は、１つまたは複数の上位レイヤによって構成され得る。２つのアンテナポート送信の場合、アンテナポートｐ1に対するＰＵＣＣＨリソースは、
【０１１１】
【数２４】
2020074608.tif 000027
【０１１２】
によって表され得る。
【０１１３】
周波数分割複信（ＦＤＤ）および１つの構成されたサービングセルの場合、ＷＴＲＵは、ＰＵＣＣＨリソース
【０１１４】
【数２５】
2020074608.tif 000028
【０１１５】
を使用して、ＰＵＣＣＨフォーマット１ａ／１ｂについて、アンテナポートｐにマップされた
【０１１６】
【数２６】
2020074608.tif 000029
【０１１７】
に関して、サブフレームｎにおけるＨＡＲＱ−ＡＣＫを送信することができる。サブフレームｎ−４において検出された対応するＰＤＣＣＨが存在しないプライマリセルでのＰＤＳＣＨ送信の場合、
【０１１８】
【数２７】
2020074608.tif 000030
【０１１９】
の値は、上位レイヤ構成に応じて決定され得る。１つまたは複数（例えば２つ）のアンテナポート送信のために構成されたＷＴＲＵの場合、ＰＵＣＣＨリソース値は、１つまたは複数（例えば２つ）のＰＵＣＣＨリソースにマップすることができる。１つまたは複数のＰＵＣＣＨリソースのうちの第１のＰＵＣＣＨリソース
【０１２０】
【数２８】
2020074608.tif 000031
【０１２１】
は、第１のアンテナポートｐ0を表すことができる。１つまたは複数のＰＵＣＣＨリソースのうちの第２のＰＵＣＣＨリソース
【０１２２】
【数２９】
2020074608.tif 000032
【０１２３】
は、第２のアンテナポートｐ1を表すことができる。ＰＵＣＣＨリソース値は、第１のアンテナポートｐ0について単一のＰＵＣＣＨリソース
【０１２４】
【数３０】
2020074608.tif 000033
【０１２５】
にマップすることもできる。
【０１２６】
例では、異なる送信タイミングが異なる送信に対して利用され得る。例えば、異なる送信が異なる帯域幅に関連付けられてよく、異なる帯域幅送信が異なる送信タイミングを利用してよい。例えば、ある送信では、Ｎ個のＰＲＢのセットの割り当ておよび／または送信が、Ｎ個のサブフレームにわたって、例えばサブフレーム当たり１つのＰＲＢで、時間領域に広げられまたは拡張され得る。
【０１２７】
例えば、１．４ＭＨｚシステムの送信帯域幅（ＢＷ）（例えば、使用可能な送信ＢＷ）が、６つのＰＲＢおよび／またはＰＲＢペアに対応することができる。低減された送信ＢＷ（例えば、１８０ｋＨｚの使用可能なＢＷ）で動作しているとき、６つのＰＲＢが送信のために割り当てられてよく、および／または６つのサブフレームが送信のために使用されてよい。
【０１２８】
例示目的でＮに対して６の値が使用されてよい。別の数のＰＲＢおよび／または異なる拡張が使用されても、本開示と整合性を有することができる。例えば、Ｎ（例えば６）個のＰＲＢが、サブフレーム当たりＹ（例えば２）個のＰＲＢを有するＸ（例えば３）個のサブフレームにわたって拡張され得る。Ｙは、Ｎ／Ｘと等しくてよい。Ｎ／Ｘが整数でない場合、サブフレーム当たりＹ個までのＰＲＢが存在してよく、ここでは、ＹはＣＥＩＬ（Ｎ／Ｘ）と等しくてよい。
【０１２９】
本明細書に説明される実施形態および例では、サブフレーム当たり１つのＰＲＢを有する拡張が、非限定的例として使用され得る。別の拡張（例えば、サブフレーム当たり２つのＰＲＢなど）が、本明細書に説明される実施形態および例と整合性を有して使用されてもよい。
【０１３０】
図５は、６つのサブフレーム（例えば、レガシサブフレーム＝６ｍｓ）にわたって広げられまたは拡張された６つのＰＲＢの例示的な割り当ておよび／または送信５００を示す。サブキャリア間隔および／または基礎となるＯＦＤＭシンボル持続時間、スロット持続時間、スロットフォーマット、およびサブフレーム持続時間のうちの１つまたは複数（例えば全て）が、レガシシステムの場合と同じであってよい。拡張されるサブフレーム（Ｅサブフレーム）５０４（例えば、新しいサブフレーム）は、６ｍｓを含むことができる。拡張されるフレーム（Ｅフレーム）５０２（例えば、新しいフレーム）は、６０ｍｓを含むことができる。例えば、Ｅフレーム５０２は、１つまたは複数（例えば１０個）のＥサブフレーム５０４Ａ、５０４Ｂ、５０４Ｃを含むことができる。Ｅサブフレーム５０４は、１つまたは複数（例えば６つ）のサブフレーム５０６Ａ、５０６Ｂ、５０６Ｃ、５０６Ｄ、５０６Ｅ、５０６Ｆを含むことができる。各サブフレーム５０６は１ｍｓとすることができる。各サブフレーム５０６は、１つまたは複数（例えば２つ）のスロット５０８Ａ、５０８Ｂを含むことができる。各スロット５０８は、１つまたは複数（例えば７つ）のシンボル５１０Ａ、５１０Ｂ、５１０Ｃ、５１０Ｄ、５１０Ｅ、５１０Ｆ、５１０Ｇを含むことができる。各シンボル５１０は、巡回プレフィックス５１２および信号５１４を含むことができる。
【０１３１】
サブフレーム、レガシサブフレーム、および／または通常のサブフレームという用語は、現行、通常、レガシ、および／または拡張されていないサブフレーム、例えば、１ｍｓの長さのサブフレームを指すまたは表すために使用され得る。フレーム、レガシフレーム、および／または通常のフレームという用語は、現行、通常、レガシ、および／または拡張されていないフレーム、例えば、１０ｍｓ（例えば、１０個のサブフレーム）の長さのフレームを指すまたは表すために使用され得る。
【０１３２】
Ｅサブフレーム５０６は、１つまたは複数のサブフレーム５０６Ａ、５０６Ｂ、５０６Ｃ、５０６Ｄ、５０６Ｅ、５０６Ｆ（例えばレガシサブフレーム）のセットを含むことができる。Ｅフレーム５０２は、１つまたは複数のフレーム（例えばレガシフレーム）のセットを含むことができる。
【０１３３】
サブキャリア間隔が低減されてよく、および／またはシンボル持続時間が比例して増大されてよい。例えば、サブキャリア間隔は、６分の１（例えば、１５ｋＨｚ／６＝２．５ｋＨｚ）に低減されてよい。サブキャリア間隔低減は、例えば、１２個のサブキャリアの割り当て（例えば、２．５ｋＨｚ×１２＝３０ｋＨｚなど）、および／または６×３０ｋＨｚ＝１８０ｋＨｚに対応する６個のＰＲＢをもたらすことができる。シンボル持続時間は、サブキャリア間隔低減に比例して増大され得る。例えば、シンボル持続時間は６倍に増大してよい。シンボル持続時間は、例えば、物理ランダムアクセスチャネル（ＰＲＡＣＨ）が、既に異なるサブキャリア間隔を利用できるため、ＵＬ送信に関するサブキャリア間隔低減と比例して増大されてよい。
【０１３４】
何らかの理由で１つまたは複数のサブフレームが利用不可能である場合、ＷＴＲＵおよび／またはシステム動作の問題が発生することがある。そうした問題は、例えば、デバイスがレガシＬＴＥシステム内のＮＢ−ＬＴＥ帯域内原理に従って動作しようとしているときに特に深刻であり得る。
【０１３５】
例えば、本明細書に説明されるような狭帯域システムは、Ｎ個のＰＲＢの送信のためにＮ（例えば６）個の連続したサブフレームを使用することができる。Ｎ個の連続したサブフレームのうちの１つまたは複数が（例えば、時分割複信（ＴＤＤ）配備により）同じ方向で利用可能でない場合、１つまたは複数の代替送信方式が必要とされおよび／または使用され得る。
【０１３６】
例えば、１つまたは複数のフレームにおける１つまたは複数の（例えばセットの）サブフレームがＤＬ送信に利用可能でないことがある。別の例として、１つまたは複数のフレームにおける１つまたは複数の（例えばセットの）サブフレームがＵＬ送信に利用可能でないことがある。Ｅサブフレーム、固定された拡張、可変拡張、制御チャネル拡張、および／またはデータチャネル拡張のうちの１つまたは複数が、時間ギャップを扱うために提供され得る。
【０１３７】
例では、マルチメディアブロードキャスト／マルチキャストサービス（ＭＢＭＳ）のために使用、指定、および／または予約されている１つまたは複数のサブフレームが、別の送信（例えば、ＮＢ−ＬＴＥ送信）に（例えば、ＤＬにおいて）利用可能でないことがある。１つまたは複数のサブフレームが、マルチキャストブロードキャスト単一周波数ネットワーク（ＭＢＳＦＮ）サブフレームと呼ばれることがある。ＭＢＳＦＮサブフレームは、ＤＬサブフレームを含むことができる。ＭＢＳＦＮサブフレームは、ＦＤＤシステムおよび／またはＴＤＤシステムに適用可能であり得る。例えば、ＬＴＥシステムにおいて、１つまたは複数のＭＢＳＦＮサブフレーム（例えば、ＭＢＳＦＮサブフレームのパターン）が、期間（例えば、１または４フレームなど）にわたって１つまたは複数のサブフレームに対して構成され得る。ＭＢＳＦＮサブフレームのパターンは反復され得る。例えば、ＭＢＳＦＮサブフレームのパターンは、割り当て期間（例えば、１、２、４、８、１６、または３２フレーム）ごとに反復することができる。ＭＢＳＦＮサブフレームのパターンの開始は、フレームの開始からオフセットされてよい。１つまたは複数の構成されたＭＢＳＦＮサブフレームは、他のＤＬ送信に利用可能でなくてよい。１つまたは複数のサブフレーム（例えば、サブフレーム０、４、５、９のうちの１つまたは複数）は、（例えば、ＦＤＤ用に）ＭＢＳＦＮサブフレームとして構成されてなくてよい。１つまたは複数のサブフレーム（例えば、サブフレーム０、１、５、および６のうちの１つまたは複数）は、（例えば、ＴＤＤ用に）ＭＢＳＦＮサブフレームとして構成されてなくてよい。例えばセル内で、１つまたは複数の構成されたＭＢＳＦＮサブフレームは、表示によって、例えば、ブロードキャストされ得る上位レイヤまたは無線リソース制御（ＲＲＣ）シグナリングなどによって、構成および／または識別されてよい。例えば、１つまたは複数の構成されたＭＢＳＦＮサブフレームは、システム情報で構成、シグナリング、および／または識別されてよい。システム情報はブロードキャストされてよい。
【０１３８】
別の例では、１つまたは複数のＴＤＤサブフレームが、ＤＬ送信のために構成（例えば、指定、使用など）され得る。ＤＬ送信のために構成された１つまたは複数のＴＤＤサブフレームは、ＵＬ送信（例えば、ＮＢ−ＬＴＥ  ＵＬ送信など）に利用可能でなくてよい。１つまたは複数のＴＤＤサブフレームは、ＵＬ送信のために構成（例えば、指定、使用など）され得る。ＵＬ送信のために構成された１つまたは複数のＴＤＤサブフレームは、ＤＬ送信（例えば、ＮＢ−ＬＴＥ  ＤＬ送信など）に利用可能でなくてよい。１つまたは複数の特殊なサブフレームが、ＵＬおよび／またはＤＬ送信（例えば、ＮＢ−ＬＴＥ  ＵＬおよび／またはＤＬ送信など）に利用可能（例えば完全に利用可能）でなくてよい。セル内で使用するためのＴＤＤ  ＵＬ／ＤＬ構成は、システム情報、ブロードキャストシグナリング、専用シグナリング、上位レイヤ（例えばＲＲＣ）シグナリング、および／もしくは物理レイヤシグナリングのうちの１つもしくは複数によって構成され、並びに／またはそれらの１つもしくは複数を使用して示されてよい。１つまたは複数のサブフレーム（例えばＴＤＤサブフレーム）の方向（例えば、現在の方向）は、システム情報、ブロードキャストシグナリング、専用シグナリング、上位レイヤ（例えばＲＲＣ）シグナリング、および物理レイヤシグナリングのうちの１つもしくは複数によって構成され、並びに／またはそれらの１つもしくは複数を使用して示されてよい。セル内でまたはセルにより使用され得るＴＤＤ  ＵＬ／ＤＬ構成のセットが、提供または構成され得る。表２は、ＴＤＤ  ＵＬ／ＤＬ構成の例示的セットを提供する。ＤはＤＬサブフレームを示すことができる。ＵはＵＬサブフレームを示すことができる。Ｓは特殊なサブフレームを示すことができる。特殊なサブフレームは、ＤＬ部分、保護期間、および／またはＵＬ部分のうちの１つまたは複数を含むことができる。特殊なサブフレーム（例えば、特殊なサブフレーム内のガード期間）は、ＤＬからＵＬへの移行を可能にすることができる。
【０１３９】
【表２】
2020074608.tif 000034
【０１４０】
例えば、柔軟な送信タイミングを可能にするために、Ｅサブフレーム構造設計が利用され得る。Ｅサブフレーム構造設計は、時間拡張、サブフレーム拡張、および／またはシンボル拡張のうちの１つまたは複数を含むことができる。時間および／またはサブフレーム拡張が提供および／または使用されてもよい。
【０１４１】
Ｅサブフレームは、Ｎ個のサブフレームを含むことができる。Ｎは整数であってよい。Ｎは固定されてよい。Ｎは準静的および／または動的に構成されてよい。Ｎは送信方向で送信に利用可能なサブフレームの数の関数であってよい。Ｎはフレームまたは他の時間期間当たりのＤＬおよび／またはＵＬの関数であってよい。
【０１４２】
１つまたは複数のサブフレーム、例えばＳ個のサブフレームが、例えばフレームまたは他の期間において、送信に利用可能であってよい。Ｓ個のサブフレームは、固定されてよい。Ｓ個のサブフレームは、準静的および／または動的に構成されてよい。
【０１４３】
１つまたは複数のサブフレーム、例えば、Ｍ個のサブフレームが、Ｅサブフレームにおいて送信に利用可能であってよい（例えば、使用されてよい）。Ｍは整数であってよい。ＭはＮ以下であってよい。
【０１４４】
ＤＬサブフレームにおいて、１つまたは複数のシンボルが、ＤＬ制御チャネル、例えば、ＤＬ制御領域のために使用および／または予約され得る。ＤＬサブフレームにおいて、１つまたは複数のシンボルが、ＰＤＳＣＨ送信、例えばＤＬサブフレームのデータ領域のために使用されてよく、および／または利用可能であってよい。ＤＬ制御領域は、ＮＢ送信のために使用されなくてよい。例えば、ＮＢ送信は、ＤＬ制御領域をスキップしてよく、および／またはＤＬサブフレームのデータ領域（例えば、そのデータ領域のみ）を使用してよい。ＮＢ送信は、ＤＬサブフレームのデータ領域（例えば、そのデータ領域のみ）に、対応するＤＬ制御チャネル、例えばＮＢ−ＰＤＣＣＨを含むことができる。ＮＢ送信は、ＤＬサブフレームのデータ領域（例えば、そのデータ領域のみ）に、対応するＤＬデータチャネル、例えばＮＢ−ＰＤＳＣＨを含むことができる。
【０１４５】
ＮＢ送信は、Ｐ個のＰＲＢを含むことができる。Ｐ個のＰＲＢは、Ｐ個のサブフレームの各々において１つのＰＲＢとして送信され得る。Ｐ個のＰＲＢは、例えばＮＢ送信の１つまたは複数のシンボルにおいて、ＮＢ−ＰＤＣＣＨを含むことができる。Ｐ個のＰＲＢは、残りのシンボルの１つまたは複数（例えば全部）において、ＮＢ−ＰＤＳＣＨを含むことができる。サブフレームで送信されたＰＲＢ（例えば、各ＰＲＢ）は、１つもしくは複数のＮＢ−ＰＤＣＣＨシンボルおよび／または１つもしくは複数のＮＢ−ＰＤＳＣＨシンボルから構成されてよい。ＮＢ−ＰＤＣＣＨによって使用されるように意図された１つまたは複数のシンボルは、（例えば、ＮＢ−ＰＤＣＣＨが存在しないサブフレームにおいて）ＮＢ−ＰＤＳＣＨのために使用されなくてよい。ＭはＰと等しくてよい。
【０１４６】
図６は、例示的なＥサブフレーム６０２、６０４を示す。Ｅサブフレーム６０２、６０４は、１５個のサブフレームを含むことができる（例えば、Ｎ＝１５）。Ｅサブフレーム６０２、６０４は、１５ｍｓとすることができる（例えば、各サブフレームが１ｍｓの場合）。フレームは、１つもしくは複数（例えば１０個）のサブフレーム、および／または１つもしくは複数（例えば４つ）の利用可能なＤＬサブフレームを含むことができる（例えば、Ｓ＝４）。Ｅサブフレーム６０２、６０４は、ＤＬ送信に利用可能な１つまたは複数（例えば６つ）のサブフレームを含むことができる（例えば、Ｍ＝６）。例えば、６個のＰＲＢ  ＤＬ送信（例えば、Ｐ＝６）は、Ｅサブフレーム６０２、６０４における６個の個別のＰＲＢとして送信され得る。１つまたは複数の利用可能なサブフレーム（例えば０、４、５、９）で、以下のセットのサブフレームが、３つの連続したフレームにわたって送信に利用可能であり得る。すなわち、第１の１．５フレーム：０，４，５，９，０，４；第２の１．５フレーム：５，９，０，４，５，９が利用可能である。サブフレームは、ＰＲＢ６０６を含むことができる。ＰＲＢ６０６は、ＰＤＣＣＨ領域６０８を含むことができる。ＰＲＢ６０６は、ＮＢ−ＰＤＣＣＨ領域６１０を含むことができる。ＰＲＢ６０６は、ＮＢ−ＰＤＳＣＨ領域６１２を含むことができる。
【０１４７】
ＮＢ送信はＰ１個のＰＲＢを含むことができる。ＮＢ送信は、例えば、Ｐ１個のサブフレームの各々において１つのＰＲＢとして送信され得る。Ｐ１個のＰＲＢは、例えばＮＢ送信の１つまたは複数のシンボル（例えば、シンボルの全部）において、ＮＢ−ＰＤＣＣＨを含むことができる。Ｐ１個のＰＲＢの各々は、サブフレームで送信され得る。ＮＢ送信は、Ｐ２個のＰＲＢを含むことができる。ＮＢ送信は、例えば、Ｐ２個のサブフレームの各々において１つのＰＲＢとして送信され得る。Ｐ２個のＰＲＢは、例えばＮＢ送信の１つまたは複数のシンボル（例えば、シンボルの全部）において、ＮＢ−ＰＤＳＣＨを含むことができる。Ｐ２個のＰＲＢの各々は、サブフレームで送信され得る。ＮＢ−ＰＤＣＣＨのためのＰ１個のＰＲＢの送信は、ＮＢ−ＰＤＳＣＨのためのＰ２個のＰＲＢの送信に先行することができる。Ｍは、Ｐ１＋Ｐ２と等しくてよい。
【０１４８】
例では、１つもしくは複数（例えば２つ）のＰＲＢがＮＢ−ＰＤＣＣＨの送信のために使用されてよく、並びに／または１つもしくは複数（例えば４つ）のＰＲＢがＮＢ−ＰＤＳＣＨの送信のために使用されてよい（例えば、合計６つのＰＲＢの場合）。
【０１４９】
図７は、例示的なＥサブフレーム７０２、７０４を示す。例示的なＥサブフレーム７０２、７０４は、１５個のサブフレームを含むことができる（例えば、Ｎ＝１５）。フレームは、１つもしくは複数（例えば１０個）のサブフレーム、および／または１つもしくは複数（例えば４つ）の利用可能なＤＬサブフレームを含むことができる（例えば、Ｓ＝４）。Ｅサブフレームは、ＤＬ送信に利用可能な１つまたは複数（例えば６つ）のサブフレームを含むことができる（例えば、Ｍ＝６）。例えば、１つもしくは複数（例えば２つ）のＰＲＢ７０６がＮＢ−ＰＤＣＣＨのために使用されてよく、並びに／または１つもしくは複数（例えば４つ）のＰＲＢ７０８がＮＢ−ＰＤＳＣＨのために使用されてよい。例えば、Ｅサブフレーム７０２、７０４における第１のＤＬサブフレーム上の第１のＰＲＢ  ７０６Ａ、７０６Ｃおよび／または第２のＤＬサブフレーム上の第２のＰＲＢ  ７０６Ｂ、７０６Ｄが、ＮＢ−ＰＤＣＣＨのために使用されてよい。Ｅサブフレーム７０２、７０４における１つまたは複数のダウンリンクサブフレーム上の１つまたは複数（例えば４つ）のＰＲＢ７０８Ａ、７０８Ｂ、７０８Ｃ、７０８Ｄ、７０８Ｅ、７０８Ｆ、７０８Ｇ、７０８ＥのＰＲＢが、ＮＢ−ＰＤＳＣＨのために使用されてよい。ＮＢ−ＰＤＣＣＨは、例えば、ＵＬグラントがＮＢ−ＰＤＣＣＨを使用して提供された場合、ＮＢ−ＰＤＳＣＨの代わりに送信され得る。
【０１５０】
ＮＢ−ＰＵＳＣＨは、ＮＢ−ＰＤＣＣＨによってグラントされ得る。ＮＢ  ＵＬ送信は、Ｐ個のＰＲＢを含むことができる。ＮＢ  ＵＬ送信は、例えば、Ｐ個のサブフレームの各々において１つのＰＲＢとして送信され得る。ＵＬサブフレームにおけるシンボルの１つまたは複数、例えば全てが、ＮＢ−ＰＵＳＣＨのために使用されてよい。１つまたは複数のサブフレームにおいて、最後のシンボルがパンクチャされ得る。最後のシンボルは、例えば１つまたは複数の他のＷＴＲＵからの１つまたは複数のＳＲＳ送信との衝突を回避するためにパンクチャされ得る。
【０１５１】
Ｅサブフレームのタイミングは、通常のサブフレームに従ってよい。１つまたは複数の利用可能なサブフレームが、ＮＢ−ＰＤＣＣＨを送信および／または監視するために１つまたは複数の開始サブフレームを含むことができる。ＮＢ−ＰＤＣＣＨについての１つまたは複数の開始サブフレームが構成され得る。
【０１５２】
Ｅサブフレーム構造設計は、１つまたは複数のシンボルの拡張を含むことができる。サブキャリア間隔が低減されてよく、および／またはシンボル持続時間が例えば比例して増大されてよい。例えば、サブキャリア間隔は、６分の１に低減されてよく、および／またはシンボル持続時間は６倍に増大されてよい。Ｅサブフレームは、拡張されるシンボルのセットを含むことができる。拡張されるシンボルは、Ｅシンボルと呼ばれることがある。
【０１５３】
シンボル持続時間が増大しているとき、１つまたは複数のＥシンボルは、Ｅシンボルの方向に送信に利用可能でなくてよいサブフレームの少なくとも一部と重なり得る。この重なりは、対処および／または回避され得る。
【０１５４】
例えば、利用不可能なサブフレームに少なくとも部分的に重なり得るＥシンボルは、あたりでパンクチャおよび／またはレートマッチングされ得る。利用不可能なサブフレームのあたりのパンクチャおよび／またはレートマッチングは、性能低下をもたらすことがある。利用不可能なサブフレーム重なりのあたりのパンクチャおよび／またはレートマッチングは、パンクチャまたはレートマッチングの量（例えば、絶対量または送信のサイズに対する相対量）が閾値を下回る場合に実行され得る。閾値は、既知とされても構成されてもよい。パンクチャまたはレートマッチングは、送信機および／または受信機によって使用および／または実行され得る。例えば、ＤＬでは、ｅＮＢが送信機であってよく、および／またはＷＴＲＵが受信機であってよい。別の例として、ＵＬでは、ＷＴＲＵが送信機であってよく、および／またはｅＮＢが受信機であってよい。
【０１５５】
利用不可能なサブフレーム重なりは、Ｅシンボルを送信することによって回避され得る。Ｅシンボルは、別の利用可能なサブフレームにおいて、例えば次の利用可能なサブフレームにおいて利用不可能なサブフレームに重なり得る。例えば、シンボル持続時間が約１ｍｓ／１４シンボル≒７１．４μｓの場合、６つの拡張を有するＥシンボルは約０．４３ｍｓであり得る。この例では、１つまたは複数（例えば２つ）のＥシンボルがサブフレームで送信され得る。２つ以上のＥシンボルが、利用可能なサブフレームにおいてグループ、例えば２つのグループで送信されてもよい。
【０１５６】
図８は、例示的なシンボル拡張８００を示す。例示的なシンボル拡張は、（例えば、例示的なＴＤＤ  ＵＬ／ＤＬ構成に従って）１つまたは複数の利用可能なサブフレームを使用することができる。
【０１５７】
シンボルは、（例えば、ＳＲＳシンボルの場合などに）利用不可能であり得る。利用不可能なシンボルと重なり得るＥシンボルは、パンクチャされてよく、および／または別の利用可能な（例えば、次の利用可能な）サブフレームに移動され、もしくはそのサブフレームで送信されてよい。
【０１５８】
Ｅサブフレーム、例えばＵＬ  Ｅサブフレームは、ＮＢ送信の少なくとも１つまたは複数のＥシンボルを含むことができる。
【０１５９】
送信機会および／または割り当てが、本明細書に説明されるように送信に代えて用いられてよい。
【０１６０】
シンボル拡張は、Ｅサブフレームにおいて実行され得る。
【０１６１】
シンボル拡張のタイミングは、通常のサブフレームに従ってよい。シンボル拡張の１つまたは複数の利用可能なサブフレームが、ＮＢ−ＰＵＳＣＨについて送信および／または受信するために開始サブフレームを含むことができる。ＮＢ−ＰＵＳＣＨについての開始サブフレームは、ＮＢ−ＰＵＳＣＨのためのリソースにグラントするＭ−ＰＤＣＣＨのタイミングの関数とすることができる。
【０１６２】
時間の拡張、サブフレームおよび／またはシンボル拡張は、固定および／または構成されてよい。
【０１６３】
例えばサブフレームおよび／または時間の観点で、Ｅサブフレームのサイズは、固定および／または構成されてよい。Ｅサブフレームのサイズは、１つもしくは複数の利用可能なサブフレームおよび／または１つもしくは複数の構成された値の関数とすることができる。１つまたは複数の構成された値は、１つまたは複数の利用可能なサブフレームに関連付けられる（例えば、１つもしくは複数の利用可能なサブフレームを含む）ことができる。時間の拡張は、ＤＬおよび／またはＵＬに適用可能であり得る。
【０１６４】
時間の拡張、時間拡張、および／または送信時間間隔（ＴＴＩ）（例えばＴＴＩサイズ）は、本明細書に説明されるように互いにおよび／またはＥサブフレームに代えて用いられてよい。サブフレームは、本明細書に説明されるように時間に代えて用いられてよく、逆も同様である。
【０１６５】
Ｅサブフレームは、少なくともＰ（例えば６）個のＰＲＢ（例えば、その送信）のために必要とされるおよび／または使用される時間に対応し得る。少なくともＰ個のＰＲＢのために必要とされるおよび／または使用される時間は、最初のＰＲＢの開始（例えば、第１のＰＲＢを含むことができるサブフレームの開始）の際に始まってよい。少なくともＰ個のＰＲＢのために必要とされるおよび／または使用される時間は、最後のＰＲＢの終了（例えば、最後のＰＲＢを含むことができるサブフレームの終了）の際に終了してよい。少なくともＰ個のＰＲＢのために必要とされるおよび／または使用される時間は、最初のＰＲＢの開始から最後のＰＲＢの終了までの時間を含む、および／または少なくともその時間と同じ大きさであるタイムスパンであり得る。Ｅサブフレームは、固定された開始サブフレームを含んでよい。Ｅサブフレームは、可変開始サブフレームを含んでよい。
【０１６６】
拡張は、サブフレームのセットの各々における１つまたは複数（例えばＰ個）のＰＲＢの一部の送信および／または受信を含むことができる。１つまたは複数のＰＲＢの一部は、サブフレームのセット内のサブフレームの各々において同じまたは異なることがある。１つまたは複数のＰＲＢの一部は、例えば時間拡張に関して、整数のＰＲＢを含むことができる。１つまたは複数のＰＲＢの一部は、Ｐ個のＰＲＢのうちの１つまたは複数についていくつか（例えば整数）のシンボルを含むことができる。
【０１６７】
与えられた方向における１つまたは複数の利用可能なサブフレームが、（例えば、シグナリングを介してｅＮＢによって）構成され得る。１つまたは複数の利用可能なサブフレームは、ＷＴＲＵによって決定される（例えば既知とされる）ことができる。ＤＬにおける１つまたは複数の利用可能なサブフレームは、ＤＬおよび／またはＵＬについてのＴＴＩおよび／または時間の拡張を決定することができる（例えば、決定するために使用され得る）。
【０１６８】
Ｅフレームは、Ｅサブフレームのセットを含むことができる。Ｅフレームは、１０個のＥサブフレームを含んで、例えば、１フレーム＝１０サブフレームの既存の関係と整合し得る。
【０１６９】
各フレームは、システムフレーム番号（ＳＦＮ）に対応することができる。拡張フレーム番号（Ｅ−ＳＦＮ）は、１つまたは複数（例えば各々）のＥフレームに対応することができる。ＥＦＮおよびＥ−ＳＦＮは、交換可能に使用されてよい。Ｅ−ＳＦＮサイクルは、いくつか（例えば１０２４個）のＥフレームを含むことができる。Ｅ−ＳＦＮサイクルは、Ｅフレームの数（例えば、Ｅフレームの最小数）に対応することができる。Ｅフレームの数は、ＳＦＮサイクルの整数倍を含むことができる。
【０１７０】
ＷＴＲＵは、（例えば、フレームおよび／またはＥフレームにおいて送信および／または受信のためにどのサブフレームを使用するかを理解するために、）ＳＦＮおよび／またはＥ−ＳＦＮを知る必要があり得る。Ｅ−ＳＦＮはＳＦＮと合致してよい。例えば、Ｅ−ＳＦＮ０とＳＦＮ０は、例えば周期的に合致することができる。Ｅ−ＳＦＮサイクルは、ＳＦＮ０とＥ−ＳＦＮ０が合致する周期を含むことができる。Ｅ−ＳＦＮサイクルは、ＳＦＮ０とＥ−ＳＦＮ０が合致する周期の複数を含むこともできる。
【０１７１】
利用可能なサブフレームを決定するためのＥ−ＳＦＮサイクルは、Ｅ−ＳＦＮ０から開始してよい。１つまたは複数の利用可能なサブフレームを決定するためのＥ−ＳＦＮサイクルは、Ｅ−ＳＦＮ０とＳＦＮ０が合致するときに始まってよい。
【０１７２】
ＷＴＲＵは、Ｅサブフレームに対応する１つまたは複数のサブフレームにおいてＵＬで送信しおよび／またはＤＬで受信することができる。ＷＴＲＵは、Ｅサブフレーム内の１つまたは複数の利用可能なサブフレームにおいてＵＬで送信しおよび／またはＤＬで受信することができる。ＷＴＲＵは、Ｅサブフレームの少なくとも部分にわたって拡張された１つまたは複数のＰＲＢにおいてＤＬ制御チャネルを受信することができる。ＤＬ制御チャネルは、ＮＢ−ＰＵＳＣＨおよび／またはＮＢ−ＰＤＳＣＨに対するＵＬグラントおよび／またはＤＬグラントを提供することができる。ＮＢ−ＰＵＳＣＨおよび／またはＮＢ−ＰＤＳＣＨは、ＤＬ制御チャネルを搬送するＥサブフレームの最後のサブフレームのｋサブフレーム後に、および／またはＤＬ制御チャネルの最後のサブフレームのｋサブフレーム後に始まることができる。ＷＴＲＵは、ＵＬグラントおよび／またはＤＬグラントに基づいて、ＮＢ−ＰＤＳＣＨを受信し、および／またはＮＢ−ＰＵＳＣＨを送信することができる。
【０１７３】
ＮＢ−ＰＤＳＣＨは、（例えば、ＤＬ受信のための）次のＤＬ  Ｅサブフレームの開始の際に始まることができる。ＮＢ−ＰＤＳＣＨは、（例えば、ＤＬ受信のための）第１の利用可能なＤＬサブフレームの開始の際に始まることができる。第１の利用可能なＤＬサブフレームは、次のＤＬ  Ｅサブフレーム内にあってよい。ＮＢ−ＰＵＳＣＨは、（例えば、ＵＬ受信のための）次のＵＬ  Ｅサブフレームの開始の際に始まることができる。ＮＢ−ＰＵＳＣＨは、第１の利用可能なＵＬサブフレームの開始の際に始まることができる。第１の利用可能なＵＬサブフレームは、次のＵＬ  Ｅサブフレーム内にあってよい。次のＵＬ  Ｅサブフレームは、ＤＬ制御チャネルを搬送する（例えばＥサブフレームの）最後のサブフレームの少なくともｋサブフレーム後であってよい。ｋの値は、０または１（例えばＤＬ用）または４（例えばＵＬ用）であり得る。
【０１７４】
利用可能なサブフレームは、その方向（例えば、送信および／または受信の方向）で送信および／または受信に利用可能なサブフレームであってよい。
【０１７５】
反復が（例えば、カバレッジ拡張（ＣＥ）モードで）ＵＬおよび／またはＤＬで使用され得る。１つまたは複数の反復が、１つまたは複数の利用可能なサブフレームおよび／またはＥサブフレームで実行され得る。
【０１７６】
Ｅサブフレームは、Ｅサブフレーム内の１つまたは複数のサブフレーム（例えば、利用可能なサブフレーム）間の周波数ホッピングを含むことができる。ＷＴＲＵは、（例えば、周波数ホッピングパターンおよび／または規則に従って）周波数ホッピングされたＥサブフレームでＤＬ送信（例えば、ＤＬ制御チャネルおよび／またはＮＢ−ＰＤＳＣＨ）を受信することができる。ＷＴＲＵは、（例えば、周波数ホッピングパターンおよび／または規則に従って）ＥサブフレームにおいてＵＬで送信することができる。周波数ホッピングパターンおよび／または規則は、上位レイヤシグナリングおよび／または物理レイヤシグナリングによって（例えば、ＮＢ−ＰＤＳＣＨおよび／またはＮＢ−ＰＵＳＣＨのためのＤＣＩフォーマットグラントおよび／または割り当てなどにおいて）構成され得る。
【０１７７】
時間拡張、シンボル拡張、ＴＴＩサイズ、および／またはＥサブフレームサイズのうちの１つまたは複数が可変であってよい。可変拡張は、１つまたは複数のサブフレームおよび／または時間単位（例えばｍｓ）でなされてよい。
【０１７８】
拡張タイプは、時間および／または周波数の拡張の量および／またはレベルに対応することができる。例えば、拡張タイプは、６個のサブフレームの各々における１個のＰＲＢ、３個のサブフレームの各々における１個のＰＲＢ、および／または３個のサブフレームの各々における２個のＰＲＢなどに対応することができる。拡張時間は、１つまたは複数のシンボルおよび／またはサブフレームに対応することができる。拡張周波数は、例えばサブフレームにおける、１つまたは複数のサブキャリアおよび／またはグループのサブキャリア（例えば、ＰＲＢ）に対応することができる。
【０１７９】
可変拡張は、１つまたは複数の送信パラメータを含むことができる。１つまたは複数の送信パラメータは、トランスポートブロックサイズ（ＴＢＳ）、変調および符号化方式（ＭＣＳ）、送信のための１つもしくは複数の符号化ビット、受信のための１つもしくは複数の符号化ビット、サブキャリア間隔、１つもしくは複数の割り当てられたおよび／もしくはグラントされたＰＲＢ、サブフレームで送信するための１つもしくは複数のＰＲＢ、拡張に使用するための１つもしくは複数のサブフレーム、並びに／または拡張タイプのうちの１つまたは複数を含むことができる。
【０１８０】
送信パラメータは、１つまたは複数のパラメータから決定され得る。送信パラメータ、および／または送信パラメータが決定され得る１つもしくは複数のパラメータは、ｅＮＢによってＷＴＲＵに対してシグナリングされてよい。送信パラメータ、および／または送信パラメータが決定され得る１つもしくは複数のパラメータは、ＤＬ制御チャネルおよび／またはＤＣＩフォーマットでシグナリングされてよい。ＤＣＩフォーマットは、ＵＬおよび／またはＤＬ割り当ておよび／またはグラントに対応することができる。送信パラメータ、および／または送信パラメータが決定され得る１つもしくは複数のパラメータは、（例えば、ブロードキャストされ得るシステム情報などでのＲＲＣシグナリングまたはブロードキャストシグナリングなどの専用シグナリングで）準静的にシグナリングされてよい。
【０１８１】
トランスポートブロックサイズ（ＴＢＳ）および／または１つもしくは複数の他の送信パラメータは、（例えば、Ｅサブフレームなどの）時間の期間内の１つまたは複数の利用可能なサブフレームの関数として決定され得る。例えば、より少ないサブフレームが拡張に利用可能であるときに、より小さいＴＢＳが使用され得る。
【０１８２】
ＴＢＳおよび／または１つもしくは複数の他の送信パラメータは、ｅＮＢおよび／またはＷＴＲＵによって決定され得る。ｅＮＢは、ｅＮＢに決定されたパラメータ、および／または、ｅＮＢに決定されたパラメータをＷＴＲＵが決定できる１つもしくは複数の他のパラメータを、ＷＴＲＵに対してシグナリングすることができる。ｅＮＢは、ＮＢ−ＰＤＣＣＨおよび／またはＤＣＩフォーマットを介して、ｅＮＢに決定されたパラメータをシグナリングすることができる。
【０１８３】
時間期間および／またはＴＴＩ（例えば送信用）は、例えばＴＢＳおよび／または１つもしくは複数のＰＲＢに関して、十分な数の利用可能なサブフレームを提供するように決定され得る。増大されたＴＴＩは、利用可能なサブフレームの予め定められた閾値（例えば最小）数を下回るように使用され得る。Ｎ（例えば６）個のサブフレームの公称ＴＴＩおよび／またはＥサブフレームサイズに関して、利用可能なサブフレームの数が、予め定められた閾値（例えば、３個のサブフレーム）を下回る場合、ＴＴＩおよび／またはＥサブフレームのサイズが増大され得る。ＴＴＩおよび／またはＥサブフレームのサイズは、利用可能なサブフレームの少なくとも閾値数を含むように増大され得る。増大されたＴＴＩおよび／または利用可能なサブフレームの閾値数に対応する、ＴＢＳおよび／またはＰＲＢ割り当てが、選択され得る（例えば、選ばれまたは使用される）。公称ＴＴＩでの利用可能なサブフレームにわたる拡張に対応する、ＴＢＳおよび／またはＰＲＢ割り当てが、選択され得る（例えば、公称ＴＴＩでの利用可能なサブフレームが閾値以上である場合）。ＴＴＩおよび／またはＥサブフレームサイズは、ｅＮＢによって決定され得る。
【０１８４】
反復が（例えば、カバレッジ拡張（ＣＥ）モードで）ＵＬおよび／またはＤＬで使用され得る。反復は、反復された送信を含むことができる。１つまたは複数の反復が、１つまたは複数の利用可能なサブフレームおよび／またはＥサブフレームで実行され得る。反復された送信は、元の送信に含まれる拡張を含むことができる。反復された送信に含まれる拡張は、時間、周波数、および／またはシンボルのうちの１つまたは複数（例えば全て）を含むことができる。
【０１８５】
制御チャネルおよびデータチャネル拡張が使用され得る。制御チャネルの拡張は、データチャネルの拡張と分離してよい（例えば異なってよい）。
【０１８６】
ＤＬ制御チャネル（例えば、ＮＢ−ＰＤＣＣＨ）は、ＤＬデータチャネル（例えば、ＮＢ−ＰＤＳＣＨ）とは別に送信され得る。ＮＢ−ＰＤＣＣＨによって搬送され得るＮＢ−ＰＤＣＣＨおよび／またはＤＣＩは、ＮＢ−ＰＤＳＣＨおよび／またはＮＢ−ＰＵＳＣＨのうちの少なくとも１つに関する時間および／または時間拡張情報を含むおよび／または示すことができる。
【０１８７】
ＤＬ制御チャネル（例えばＱ−ＰＤＣＣＨ）およびＤＣＩは、交換可能に使用されてよい。Ｑ−ＰＤＣＣＨにおけるＱは、（例えば任意の）プレフィックス（例えば、Ｅ、Ｍ、ＮＢ、および／またはプレフィックス無しなど）とすることができる。ＤＣＩおよびＤＣＩフォーマット交換可能に使用されてよい。
【０１８８】
ＤＣＩは、ＵＬおよび／またはＤＬリソースに対するグラントおよび／または割り当てを提供することができる。ＷＴＲＵは、グラントされたまたは割り当てられたＵＬリソースで、例えばＮＢ−ＰＵＳＣＨを送信することができる。ＷＴＲＵは、グラントされたまたは割り当てられたＤＬリソースで、例えばＮＢ−ＰＤＳＣＨを受信することができる。
【０１８９】
拡張された様式で、ｅＮＢがＮＢ−ＰＤＣＣＨを送信してよく、および／またはＷＴＲＵがＮＢ−ＰＤＣＣＨを監視してよい。ＮＢ−ＰＤＣＣＨは、Ｘ個のサブフレームにわたって拡張されてよく、Ｘは、ＮＢ−ＰＤＣＣＨのために構成および／または使用される１つまたは複数のＰＲＢを表すことができる。例えば、Ｘは、２または４であってよい。
【０１９０】
ＮＢ−ＰＤＣＣＨは、ＤＬ送信に利用可能（例えば、常に利用可能、または常に少なくとも部分的に利用可能）である１つまたは複数のサブフレームで送信され得る。例えば、ＦＤＤにおいて、サブフレームのセット（例えば、｛０，４，５，９｝など）がＤＬ送信に利用可能（例えば、常に利用可能）であり得る。ＮＢ−ＰＤＣＣＨは、サブフレームのセットで（例えば、それのみで）送信され得る。ＤＬおよび／またはＮＢ−ＰＤＣＣＨ送信に利用可能な１つまたは複数のサブフレームは、既知とされてよく、または構成および／もしくは識別されてよい。例えば、ＤＬおよび／またはＮＢ−ＰＤＣＣＨ送信に利用可能な１つまたは複数のサブフレームは、シグナリング（例えば、システム情報および／またはＰＢＣＨなどにおけるブロードキャストシグナリングなど）を介して受信された表示（indication）を使用して決定されてよい。ＷＴＲＵは、表示を受信することができる。ＷＴＲＵは、ＮＢ−ＰＤＣＣＨを監視するためのサブフレームを決定することができる。
【０１９１】
ＮＢ−ＰＤＣＣＨ送信のために使用され得る１つまたは複数のサブフレームは、既知とされてよく、または構成および／もしくは識別されてよい。例えば、ＮＢ−ＰＤＣＣＨ送信のために使用され得る１つまたは複数のサブフレームは、シグナリング（例えば、システム情報および／またはＰＢＣＨなどにおけるブロードキャストシグナリングなど）を介して受信された表示を使用して決定されてよい。ＷＴＲＵは、表示を受信することができる。ＷＴＲＵは、ＮＢ−ＰＤＣＣＨを監視するためのサブフレームを決定することができる。
【０１９２】
１つまたは複数のサブフレームが、ＮＢ−ＰＤＣＣＨ送信および／または拡張のための開始サブフレームに使用され得る。この１つまたは複数のサブフレームは構成および／または決定され得る。例えば、１つまたは複数のサブフレームは、（例えば、ＮＢ−ＰＤＣＣＨのために）１つもしくは複数の利用可能なＤＬサブフレーム、並びに／またはＮＢ−ＰＤＣＣＨのために構成および／もしくは使用される１つもしくは複数のＰＲＢに基づいて決定され得る。例えば、ＤＬ送信またはＮＢ−ＰＤＣＣＨに利用可能なサブフレームが各フレーム内のサブフレームのセット、例えば｛０，４，５，９｝であり、ＮＢ−ＰＤＣＣＨのために構成および／もしくは使用される１つまたは複数のＰＲＢがＸ、例えば２である場合、ＮＢ−ＰＤＣＣＨは、セット内のサブフレームのうちの１つ（例えば、サブフレームの任意の１つ）で始まることができる。ＮＢ−ＰＤＣＣＨは、セット（例えば｛０，５｝など）内の１つまたは複数の特定のサブフレームで始まるように限定され得る。ＮＢ−ＰＤＣＣＨがセット内の１つまたは複数の特定のサブフレームで始まるように限定されたとき、２ＰＲＢ  ＮＢ−ＰＤＣＣＨは、サブフレーム０および４の各々での１ＰＲＢとして送信されてよい。２  ＰＲＢ  ＮＢ−ＰＤＣＣＨは、サブフレーム５および９の各々での１ＰＲＢとして送信されてもよい。ＮＢ−ＰＤＣＣＨがセット内の１つまたは複数の特定のサブフレームで始まるように限定されていないとき、２ＰＲＢ  ＮＢ−ＰＤＣＣＨは、サブフレーム｛０，４｝、｛４，５｝、｛５，９｝、および／または｛９，０｝の各々での１ＰＲＢとして送信されてよい。
【０１９３】
ＷＴＲＵは、（例えば、ＮＢ−ＰＤＣＣＨを受信するために）Ｘ個のサブフレームの１つまたは複数のセット（例えば、各可能なセット）を監視することができる。ＣＥモードＷＴＲＵは、（例えば、ＮＢ−ＰＤＣＣＨを首尾よく受信するために）セットの１つまたは複数の反復を組み合わせることができる。
【０１９４】
１つまたは複数の利用可能なサブフレームは、時間期間（例えば、１または４個のサブフレームなど）にわたって構成され得る。
【０１９５】
ＮＢ−ＰＤＣＣＨおよび／またはＤＣＩは、ＮＢ（例えば、ＮＢ−ＰＤＳＣＨおよび／またはＮＢ−ＰＵＳＣＨ）送信および／または受信に対する周波数割り当ておよび／またはグラントを含むことができる。ＮＢ−ＰＤＣＣＨおよび／またはＤＣＩは、ＮＢ（例えば、ＮＢ−ＰＤＳＣＨおよび／またはＮＢ−ＰＵＳＣＨ）送信および／または受信に対する時間および／またはシンボル割り当ておよび／またはグラントを含むことができる。
【０１９６】
ＮＢ−ＰＤＣＣＨおよび／またはＤＣＩは、ＮＢ送信および／または受信のための時間位置、時間拡張、および／またはシンボル拡張のうちの少なくとも１つを含む（例えば、識別する）ことができる。時間位置、時間拡張、および／またはシンボル拡張の識別は、明示的であってよい。時間位置、時間拡張、および／またはシンボル拡張は、（例えば、ＮＢ−ＰＤＣＣＨおよび／またはＤＣＩに含まれる１つまたは複数のパラメータおよび／または値を使用して）決定されてよい。
【０１９７】
例えば、ＮＢ−ＰＤＣＣＨおよび／またはＤＣＩは、割り当てられたおよび／またはグラントされたＮＢ−ＰＤＳＣＨおよび／またはＮＢ−ＰＵＳＣＨの少なくとも一部を含み得る１つまたは複数の後続サブフレーム（例えば、ＮＢ−ＰＤＣＣＨを含むサブフレームに続くサブフレーム）を示すことができる。時間割り当ては、ＮＢ−ＰＤＣＣＨに対して、並びに／または現在および／もしくは次のＥサブフレームおよび／もしくはＥフレームに対して関連し得る。
【０１９８】
ＮＢ−ＰＤＣＣＨおよび／またはＤＣＩは、以下の少なくとも１つを含むことができる。ＮＢ−ＰＤＣＣＨおよび／またはＤＣＩは、（例えば、ＮＢ−ＰＤＣＣＨ拡張の最後のサブフレームからのサブフレームおよび／または利用可能なサブフレームの差分として）ＮＢ送信のための開始サブフレームを含むことができる。ＮＢ−ＰＤＣＣＨおよび／またはＤＣＩは、拡張に使用するためのサブフレーム（例えば、利用可能なサブフレーム）の数を含むことができる。ＮＢ−ＰＤＣＣＨは、サブフレームで送信するためのＰＲＢおよび／またはサブキャリアの数を含むことができる。ＮＢ−ＰＤＣＣＨおよび／またはＤＣＩは、シンボル拡張および／またはサブフレーム拡張を使用するかどうかの表示を含むことができる。ＮＢ−ＰＤＣＣＨおよび／またはＤＣＩは、拡張に使用するための（例えば、拡張のための開始サブフレームに対する）１つまたは複数の特定のサブフレームを含むことができる。ビットマップが、１つまたは複数の特定のサブフレームを識別するために使用され得る。ＮＢ−ＰＤＣＣＨおよび／またはＤＣＩは、現在および／または将来の時間期間（例えば、現在および／または次のフレームおよび／またはＥフレームなど）に対する（例えば、ＵＬおよび／またはＤＬ方向での）１つまたは複数の利用可能なサブフレームを含むことができる。ＮＢ−ＰＤＣＣＨおよび／またはＤＣＩは、トランスポートブロックサイズ（ＴＢＳ）、および／またはＴＢＳを決定するための１つもしくは複数のパラメータを含むことができる。ＮＢ−ＰＤＣＣＨおよび／またはＤＣＩは、変調および符号化方式（ＭＣＳ）を含むことができる。ＮＢ−ＰＤＣＣＨおよび／またはＤＣＩは、サブキャリア間隔を含むことができる。ＮＢ−ＰＤＣＣＨおよび／またはＤＣＩは、割り当てられたおよび／またはグラントされたＰＲＢの数を含むことができる。ＮＢ−ＰＤＣＣＨおよび／またはＤＣＩは、サブフレームで送信するためのＰＲＢの数を含むことができる。ＮＢ−ＰＤＣＣＨおよび／またはＤＣＩは、拡張の各サブフレームにおけるＰＲＢおよび／または開始ＰＲＢの位置（例えば、各サブフレームにおいて使用するための単一の位置、または各サブフレームにおいて周波数ホッピングパターンと共に使用するための位置）を含むことができる。
【０１９９】
ＮＢ送信のための開始サブフレームがＮＢ−ＰＤＣＣＨおよび／またはＤＣＩに含まれてよい。ＮＢ送信のための開始サブフレームは、ＮＢ−ＰＤＣＣＨに対して決定され得る。例えば、ＮＢ送信のための開始サブフレームは、送信の方向で、次の利用可能なサブフレームとすることができ、このサブフレームは、（例えば、カバレッジ拡張と共に動作するときの）ＮＢ−ＰＤＣＣＨ拡張の最後のサブフレームおよび／またはＮＢ−ＰＤＣＣＨ拡張の最後の反復から、少なくともｋサブフレームである。ｋの値は、ＮＢ−ＰＤＳＣＨについて０または１であり得る。ｋの値は、ＮＢ−ＰＵＳＣＨについて４であり得る。ＴＤＤについては、ｋの値はＴＤＤ  ＵＬ／ＤＬ構成の関数であり得る。
【０２００】
拡張に使用するためのサブフレームの数は、割り当てられたおよび／またはグラントされたＰＲＢの数と等しくてよい。ＷＴＲＵは、割り当てられたＰＲＢの数をＤＣＩフォーマットのコンテンツから決定することができる。ＷＴＲＵは、（例えば、ＤＬ受信および／またはＵＬ送信のための）拡張に使用するためのサブフレームの数として割り当てられたＰＲＢの数を使用することができる。
【０２０１】
Ｐ個のサブフレームの拡張は、サブフレーム当たり（例えばＰ個のサブフレームの各々に対して）１個のＰＲＢに対応することができる。Ｐ個のサブフレームの最初のサブフレームは、開始サブフレームとして決定され得る。残りのＰ−１個のサブフレームは、次のＰ−１個の利用可能なサブフレームおよび／または指定されたサブフレーム（例えばＤＣＩに従う）であり得る。
【０２０２】
ＷＴＲＵは、１つまたは複数の規則および／または受信されたパラメータに基づいて、拡張のための１つまたは複数のパラメータを決定することができる。ＷＴＲＵは、この決定に従って送信および／または受信することができる。
【０２０３】
受信の試みが、本明細書に説明されるように受信に代えて用いられてよい。
【０２０４】
受信は、本明細書に説明されるように送信に代えて用いられてよい。
【０２０５】
ＮＢ−ＰＤＣＣＨは、物理ＨＡＲＱインジケータチャネル（ＰＨＩＣＨ）チャネル（例えば、ＮＢ−ＰＨＩＣＨなど）を含むことができる。
【０２０６】
ＴＤＤ特殊サブフレームが、制御チャネル（例えば、ＮＢ−ＰＤＣＣＨ）並びにデータチャネル（例えば、ＮＢ−ＰＤＳＣＨおよび／またはＮＢ−ＰＵＳＣＨ）に対して異なるように扱われてよい。１つまたは複数の特殊なサブフレームが、（例えば、閾値基準を満たすことに基づいて、）ＮＢ−ＰＤＣＣＨ、ＮＢ−ＰＤＳＣＨ、および／またはＮＢ−ＰＵＳＣＨのうちの１つまたは複数のために使用されてよい。閾値基準は、１つまたは複数の異なるチャネルに対して異なってよい。特殊なサブフレームは、ＮＢ−ＰＤＣＣＨ、ＮＢ−ＰＤＳＣＨ、および／またはＮＢ−ＰＵＳＣＨのうちの１つまたは複数のために（例えば全く）使用されなくてよい。例えば、ＤＬ部分が閾値基準を満たす、例えばＤＬ部分の時間が閾値を超える場合、１つまたは複数の特殊なサブフレームはＮＢ−ＰＤＣＣＨのために使用されてよい。特殊なサブフレームがＮＢ−ＰＤＳＣＨのために使用され得るか、および／または特殊なサブフレームがＮＢ−ＰＤＳＣＨのために使用され得ないかを決定するために、同じまたは異なる閾値が使用され得る。特殊なサブフレームは、ＮＢ−ＰＵＳＣＨのために使用されなくてもよい。
【０２０７】
周波数ホッピングが、（例えば、ＮＢ拡張で使用され得る）１つまたは複数のサブフレームの間で使用され得る。例えば、２つ以上の周波数が、拡張の第１のサブフレームから拡張の第２のサブフレームへとホッピングされる。周波数ホッピングは、構成されたおよび／または既知とされたパターンおよび／または規則を含むことができる。ＮＢ−ＰＤＳＣＨおよび／またはＮＢ−ＰＵＳＣＨのために、周波数ホッピングパターンおよび／または規則は、上位レイヤシグナリングおよび／または物理レイヤシグナリングによって（例えば、ＮＢ−ＰＤＳＣＨおよび／またはＮＢ−ＰＵＳＣＨのためのＤＣＩフォーマットグラントおよび／または割り当てなどにおいて）構成され得る。ＷＴＲＵは、（例えば、周波数ホッピングパターンおよび／または規則に従って）周波数ホッピングされる様式でＤＬ送信（例えば、ＤＬ制御チャネルおよび／またはＮＢ−ＰＤＳＣＨ）を受信することができる。ＷＴＲＵは、周波数ホッピングパターンおよび／または規則を使用してＵＬで送信することができる。
【０２０８】
ＮＢ−ＰＤＣＣＨおよびＮＢ−ＰＤＳＣＨは、サブフレームで送信され得る。ＮＢ−ＰＤＣＣＨおよびＮＢ−ＰＤＳＣＨは、Ｐ個のサブフレーム（例えば、Ｐ個の利用可能なサブフレーム）にわたって拡張され得る。ＷＴＲＵは、データのＰ個のサブフレームを受信することができる。ＷＴＲＵは、（例えば、データのＮＢ−ＰＤＣＣＨ部分を使用して）データのＮＢ−ＰＤＳＣＨ部分をどのように復号するかを決定することができる。ＷＴＲＵは、ＤＬデータ受信のための周波数位置を使用することができる。ＤＬデータ受信のための周波数位置は、ＷＴＲＵ  ＩＤおよび／またはブロードキャスト構成の関数であり得る。Ｐは、固定された値であってよい。
【０２０９】
時間の拡張は、反復がチャネル推定（ＣＥ）に行われるのと同様の様式で実行され得る。ＣＥでは、反復は、チャネル全体および／またはトランスポートブロック（ＴＢ）の反復であり得る。ＣＥでは、反復は、利用可能に構成および／または識別され得るサブフレームで実行され得る。受信機は、（例えば、性能を改善し、並びに／またはチャネルおよび／もしくはＴＢを首尾よく受信するために、）反復をソフトコンバイン（soft combine）することができる。
【０２１０】
時間拡張のために、チャネルおよび／またはＴＢは、サブフレーム（例えば利用可能なサブフレーム）のセット間で分割され得る。時間拡張のために、受信機は、チャネルおよび／またはＴＢを１つまたは複数の部分から再構成することができる。１つまたは複数の部分は、別個の符号化ビットを表すことができる。１つまたは複数の部分は、ソフトコンバインされなくてよい。チャネルおよび／またはＴＢ分割は、周波数（例えばＰＲＢ）および／または時間（例えばシンボル）でなされてよい。時間拡張されるチャネルおよび／またはＴＢは、（例えば、カバレッジ拡張のために）反復されてよい。反復は、ソフトコンバインされてよい。
【０２１１】
拡張は、ページングのために使用され得る。例えば、ページングフレーム（ＰＦ）および／またはページング機会（ＰＯ）が、（例えば、ＷＴＲＵのために、またはＷＴＲＵによって）決定され得る。ＰＦおよび／またはＰＯは、規則（例えば、レガシ規則など）に基づいて決定され得る。ＰＯは、ＤＲＸサイクルおよび／またはＷＴＲＵ−ＩＤ（例えば、ＷＴＲＵ国際移動体加入者識別番号（ＩＭＳＩ）など）のうちの１つまたは複数に基づいて決定され得る。（例えば、ＮＢ−ＬＴＥ  ＷＴＲＵをページングするための）決定されたＰＯサブフレームは、（例えば、ＷＴＲＵのためのページングＤＣＩフォーマットを搬送することができる）ＮＢ−ＰＤＣＣＨの拡張のための開始サブフレームであり得る。ＮＢ−ＰＤＣＣＨの拡張は、開始サブフレームで始まり、並びに／または、ＤＬおよび／もしくはＮＢ−ＰＤＣＣＨに利用可能であり得るＰ１個のサブフレーム（例えば、次のＰ１−１個の追加的サブフレーム）にわたって拡張することができる。ＰＯサブフレームは、ＤＬサブフレームで（例えば常に）あり得るサブフレームに対応することができる。ＷＴＲＵは、例えばサブフレーム当たりＹ１個のＰＲＢを伴う、決定されたＰＯおよび／または拡張がされたＰ１個のサブフレームにおいて開始するページングのために、ＮＢ−ＰＤＣＣＨを監視することができる。Ｙ１は１であり得る。Ｐ１は、固定および／または構成された数であってよい。ページングのためのＮＢ−ＰＤＣＣＨは、ページングＲＮＴＩ（例えばＰ−ＲＮＴＩ）でスクランブルされたＣＲＣを有することができるＤＣＩを含むことができる。ＷＴＲＵは、Ｐ１個のサブフレームにおける１つまたは複数の送信から、ＮＢ−ＰＤＣＣＨを再構成することができる。拡張されるＮＢ−ＰＤＣＣＨは、（例えば、ＣＥが使用される場合に）１つまたは複数の（例えば、後続の）利用可能なサブフレームにわたって反復され得る。ＷＴＲＵは、ＮＢ−ＰＤＣＣＨ（例えば、拡張および／または再構成されたＮＢ−ＰＤＣＣＨ）の１つまたは複数の反復を組み合わせることができる。ＷＴＲＵは、ＮＢ−ＰＤＣＣＨの１つまたは複数の反復を使用してＮＢ−ＰＤＣＣＨを受信（例えば首尾よく受信）することができる。１つまたは複数の反復は、再構成の前および／または後に組み合わされてよい。
【０２１２】
ＮＢ−ＰＤＣＣＨによって搬送されたＮＢ−ＰＤＣＣＨおよび／またはＤＣＩは、（例えば、１つまたは複数のページングレコードを搬送することができる）ＮＢ−ＰＤＳＣＨのための周波数および／または時間のリソース割り当てを提供することができる。時間情報は、それからＷＴＲＵがＮＢ−ＰＤＳＣＨの拡張を決定できる情報を含むことができる。ＮＢ−ＰＤＳＣＨは、ＮＢ−ＰＤＣＣＨと同じセットのサブフレーム、または他の（例えば、後の）セットのサブフレームにおいて拡張され得る。ＷＴＲＵは、（例えば、ＮＢ−ＰＤＳＣＨがＮＢ−ＰＤＣＣＨと同じセットのサブフレームにおいて拡張される場合に）ＮＢ−ＰＤＣＣＨを受信する間にＮＢ−ＰＤＳＣＨを受信および／または記憶することができる。後のセットのサブフレームは、（例えば、ＮＢ−ＰＤＳＣＨが後のセットのサブフレームにおいて拡張される場合に）ＤＬおよび／またはＮＢ−ＰＤＳＣＨのための利用可能なサブフレームのセットであり得る。ＮＢ−ＰＤＳＣＨは、サブフレーム当たりＹ２個のＲＰＢを有するＰ２個のサブフレームにわたって拡張され得る。Ｙ２は１であり得る。Ｐ１およびＰ２は、同じまたは異なり得る。Ｐ２は、ＮＢ−ＰＤＣＣＨ  ＤＣＩに含まれ得る。Ｐ２は、ＮＢ−ＰＤＳＣＨのための割り当てられたＰＲＢの数を表すことができる。
【０２１３】
ＮＢ−ＰＤＣＣＨ（例えば、ＮＢ−ＰＤＣＣＨ拡張の開始または終了）とＮＢ−ＰＤＳＣＨ（例えば、ＮＢ−ＰＤＳＣＨ拡張の開始）との間の時間関係は、既知とされ、構成され、および／またはＤＣＩ（例えば、ページングＤＣＩ）に含まれ得る。
【０２１４】
ＷＴＲＵがページングＤＣＩ（例えば、Ｐ−ＲＮＴＩでスクランブルされた巡回冗長検査（ＣＲＣ）を有するページングＤＣＩ）を首尾よく受信した場合に、ＷＴＲＵは、関連付けられた拡張されたＮＢ−ＰＤＳＣＨを受信および／または復号することができる（例えば、ＮＢ−ＰＤＳＣＨが存在できることをＤＣＩが示した場合）。ＷＴＲＵは、ＮＢ−ＰＤＳＣＨを再構成することができる。ＷＴＲＵは、（例えば、同じサブフレームにおけるＮＢ−ＰＤＣＣＨおよびＮＢ−ＰＤＳＣＨのための）Ｐ１個のサブフレーム、および／または（例えば、ＮＢ−ＰＤＣＣＨと異なるまたはその後のサブフレームにおけるＮＢ−ＰＤＳＣＨのための）Ｐ２個のサブフレームにおける１つまたは複数の送信から、ＮＢ−ＰＤＳＣＨを再構成することができる。拡張されるＮＢ−ＰＤＳＣＨは、（例えば、ＣＥが使用される場合に）１つまたは複数の後続の利用可能なサブフレームにわたって反復され得る。
【０２１５】
ＷＴＲＵは、ＮＢ−ＰＤＳＣＨ（例えば、拡張および／または再構成されたＮＢ−ＰＤＳＣＨ）の２以上の反復を組み合わせて、ＮＢ−ＰＤＳＣＨを首尾よく受信することができる。２以上の反復は、再構成の前および／または後に組み合わされ得る。ＷＴＲＵは、ＮＢ−ＰＤＳＣＨのコンテンツを受信することができる。ＷＴＲＵは、ＮＢ−ＰＤＳＣＨのコンテンツに基づいて、ＷＴＲＵのためのページが存在するかどうかを決定し、例えば、そのＩＭＳＩまたは一時的移動体加入者識別番号（ＴＭＳＩ）または短縮されたＴＭＳＩ（ｓ−ＴＭＳＩ）がページング記録のいずれかに含まれ得るかどうかを決定することができる。ＷＴＲＵは、ＮＢ−ＰＤＳＣＨのコンテンツに基づいて、例えば、ページングレコードのいずれかに含まれているＩＭＳＩおよび／またはｓ−ＴＭＳＩの存在に基づいて、ＷＴＲＵのためのページが存在することを決定することができる。
【０２１６】
ページングＮＢ−ＰＤＣＣＨおよび／またはＮＢ−ＰＤＳＣＨは、システム情報更新を示すことができる。ＷＴＲＵは、ページングＮＢ−ＰＤＣＣＨおよび／またはＮＢ−ＰＤＳＣＨからシステム情報更新表示を受信した場合、ＷＴＲＵは、システム情報（例えば、１つまたは複数のＳＩＢ）を再取得することができる。
【０２１７】
ＵＬおよび／またはＤＬ送信に利用可能な１つまたは複数のサブフレームが、例えば、ブロードキャストされ得るシグナリングおよび／またはシステム情報を介して、提供および／または構成され得る。上位レイヤシグナリング（例えば、ＲＲＣシグナリングおよび／もしくはシステム情報ブロック（ＳＩＢ））並びに／または物理レイヤシグナリング（例えば、ＭＩＢおよび／もしくはＰＢＣＨ）は、ＵＬおよび／またはＤＬ送信に利用可能な１つまたは複数のサブフレームの表示を含むことができる。構成および／またはシグナリングは、ｅＮＢによって提供され得る。構成および／またはシグナリングは、１つまたは複数のＷＴＲＵによって受信され得る。１つまたは複数の利用可能なサブフレームは、時間期間、例えば、１つまたは複数のフレーム（例えば、１または４個のフレーム）などにおいて識別され得る。方向における１つまたは複数の利用可能なサブフレームは、１つまたは複数の特定の目的（例えば、全ての目的）について識別され得る。例えば、ＤＬに利用可能であると識別された１つまたは複数のサブフレームは、ＮＢ−ＰＤＣＣＨおよび／またはＮＢ−ＰＤＳＣＨに利用可能であり得る。別の例では、１つまたは複数のサブフレームが、ＮＢ−ＰＤＣＣＨおよびＮＢ−ＰＤＳＣＨについて別々に利用可能であると識別され得る。
【０２１８】
１つまたは複数の利用可能なサブフレームは、明示的に識別されてよい。１つまたは複数の利用可能なサブフレームは、他の情報から決定されてよい。例えば、１つまたは複数の利用可能なＤＬサブフレームは、少なくともＭＢＳＦＮ構成および／または１つもしくは複数のＴＤＤ  ＵＬ／ＤＬ構成から決定されてよい。１つまたは複数の利用可能なＵＬサブフレームは、少なくとも１つまたは複数のＴＤＤ  ＵＬ／ＤＬ構成から決定されてよい。ＴＤＤ特殊サブフレームが１つまたは複数のＵＬおよび／またはＤＬチャネルに利用可能とみなされ得るかどうかが、セルに対する構成された特殊なサブフレームフォーマットに関して構成および／または決定され得る。
【０２１９】
１つまたは複数の利用可能なサブフレームはシステム情報更新を介して修正され得る。
【０２２０】
狭帯域動作のための一次（primary）および／または二次（secondary）同期チャネルが、ＮＢ−ＩｏＴ帯域幅（例えば２００ｋＨｚ）内で送信され得る。狭帯域一次同期信号（ＮＢ−ＰＳＳ）および／または狭帯域二次同期信号（ＮＢ−ＳＳＳ）がそれぞれ、連続した６個のＯＦＤＭシンボルを含むことができ、および／またはそれらに拡張することができる。
【０２２１】
例えば、ＮＢ一次同期信号（ＮＢ−ＰＳＳ）およびＮＢ二次同期信号（ＮＢ−ＳＳＳ）が、ＭＢＳＦＮサブフレーム候補（例えば、ＦＤＤ用の無線フレーム内の１／２／３／６／７／８サブフレーム、および／またはＴＤＤ用の無線フレーム内の３／４／７／８／９サブフレーム）に配置され得る。例えば、第１のシンボルは、レガシＷＴＲＵのために使用および／または予約されてよく、残りの１２個のＯＦＤＭシンボルは、（例えば、ＮＢ−ＰＳＳおよび／またはＮＢ−ＳＳＳを搬送するサブフレームでの）ＮＢ−ＰＳＳおよび／またはＮＢ−ＳＳＳ送信のために使用されてよい。残りの１２個のＯＦＤＭシンボルのうちの最初の６個のＯＦＤＭシンボルは、ＮＢ−ＳＳＳおよび／またはＮＢ−ＰＳＳのために使用されてよく、残りの１２個のＯＦＤＭシンボルのうちの最後の６個のＯＦＤＭシンボルは、ＮＢ−ＰＳＳおよび／またはＮＢ−ＳＳＳのために使用されてよい。ＮＢ−ＰＳＳおよび／またはＮＢ−ＳＳＳは、ＮＢ−ｓｙｎｃと呼ばれることがある。
【０２２２】
ＮＢ−ｓｙｎｃを搬送するサブフレームにおいて、ＷＴＲＵは、（例えば、最初の２つのＯＦＤＭシンボルを除く）ＯＦＤＭシンボルでＣＲＳが送信されることがないと決定し得る。
【０２２３】
別の例では、ＰＳＳおよび／またはＳＳＳは、非ＭＳＢＦＮサブフレーム候補（例えば、ＦＤＤ用の無線フレーム内の０／４／５／９サブフレーム、および／またはＴＤＤ用の無線フレーム内の０／１／２／５／６サブフレーム）に配置され得る。例えば、最初のシンボルは、レガシＷＴＲＵのために使用および／または予約されてよく、残りの１２個のＯＦＤＭシンボルは、（例えば、ＮＢ−ＰＳＳおよび／またはＮＢ−ＳＳＳを搬送するサブフレームでの）ＮＢ−ＰＳＳおよび／またはＮＢ−ＳＳＳ送信のために使用されてよい。残りの１２個のＯＦＤＭシンボルのうちの最初の６個のＯＦＤＭシンボルは、ＮＢ−ＳＳＳおよび／またはＮＢ−ＰＳＳのために使用されてよく、残りの１２個のＯＦＤＭシンボルのうちの最後の６個のＯＦＤＭシンボルは、ＮＢ−ＰＳＳおよび／またはＮＢ−ＳＳＳのために使用されてよい。
【０２２４】
ＮＢ−ｓｙｎｃを搬送するサブフレームにおいて、ＷＴＲＵは、（例えば、最初の２つのＯＦＤＭシンボルを除く）ＯＦＤＭシンボルでセル固有基準信号（ＣＲＳ）が送信されることがないと決定し得る。
【０２２５】
ＮＢ−ｓｙｎｃは、全てのＮSYNC  ｍｓおよび／または全てのＮSYNC無線フレームで送信されてよい。ＮＢ−ＩｏＴ  ＷＴＲＵがＮＢ−ｓｙｎｃを受信した場合、ＮＢ−ＩｏＴ  ＷＴＲＵは、物理セルＩＤ、時間および周波数同期、サブフレーム境界、フレーム境界、並びに／またはＣＰ長のうちの少なくとも１つを取得することができる。
【０２２６】
例えば、ＮSYNC＝４の場合、ＮＢ−ｓｙｎｃは４０ｍｓ毎に送信され得る。
【０２２７】
ＮSYNCは、予め定義された数であってよい。
【０２２８】
ＮSYNCは、動作モードに基づいて決定され得る。例えば、１つまたは複数（例えば３つ）の動作モードが、ＮＢ−ＩｏＴ  ＷＴＲＵに対して使用されてよい。
【０２２９】
第１の動作モードは、スタンドアロン動作モードを含むことができる。第２の動作モードは、ガードバンド動作モードを含むことができる。第３の動作モードは、インバンド動作モードを含むことができる。
【０２３０】
第３の動作モードのＮSYNCは、第１および／または第２の動作モードよりも長くてよく、またはその逆であってもよい。
【０２３１】
ＮSYNCは、１つまたは複数のセル固有パラメータ（例えば、物理セルＩＤ、システム帯域幅など）に基づいて決定され得る。
【０２３２】
ＮＢ−ＰＳＳおよび／またはＮＢ−ＳＳＳは、無線フレーム内で反復して送信され得る。例えば、反復が使用されない場合、ＮＢ−ＰＳＳおよび／またはＮＢ−ＳＳＳは無線フレーム内のサブフレームにおいて送信され得る。反復が使用される場合、ＮＢ−ＰＳＳおよび／またはＮＢ−ＳＳＳは無線フレーム内の２つ以上のサブフレームにわたって送信され得る。
【０２３３】
反復の数は、動作モードに基づいて決定され得る。例えば、反復は、第１および／または第２の動作モードに使用されることなく、第３の動作モードに使用されてよく、またはその逆であってもよい。別の例では、反復は、（例えば、干渉を緩和するために）第２および第３の動作モードに使用されてよく、スタンドアロン動作モードに使用されることがない。
【０２３４】
反復の数は、１つまたは複数のセル固有パラメータ（例えば、物理セルＩＤ、システム帯域幅など）に基づいて決定され得る。
【０２３５】
ＮＢ−ＰＳＳおよび／またはＮＢ−ＳＳＳは、異なるデューティサイクルで送信され得る。例えば、ＮＢ−ＰＳＳはＮSYNC,PSSで送信されてよく、および／またはＮＢ−ＳＳＳはＮSYNC,SSSで送信されてよい。ＮSYNC,PSSおよび／またはＮSYNC,SSSは、整数（例えば、１０、２０または３０）であり得る。ＮＢ−ＰＳＳは、より短いデューティサイクル（例えば、ＮSYNC,PSS＜ＮSYNC,SSS）で送信されてよい。狭帯域セルのための動作モードは、ＮSYNC,PSSおよびＮSYNC,SSSの１つまたは複数に基づいて決定されてよい。
【０２３６】
ＮＢ−ＰＳＳは、デューティサイクル（例えば、ＮSYNC,PSS［ｍｓ］）で（Ｅ）サブフレームおよび／または（Ｅ）フレームのセットにおいて送信され得る。ＮＢ−ＳＳＳは、ＮＢ−ＰＳＳのために使用される（Ｅ）サブフレームおよび／または（Ｅ）フレームのセットのサブセットで送信され得る。サブセットは、動作モードに基づいて決定され得る。例えば、ＷＴＲＵは、動作モードを決定するためにＮＢ−ＳＳＳのために使用されるサブセットを検出する（例えば、ブラインド的に検出する）ことができる。第１のサブセットは、スタンドアロン動作モードおよび／またはガードバンド動作モードを示すために使用され得る。第２のサブセットは、インバンド動作モードを示すために使用され得る。
【０２３７】
狭帯域動作のための物理ブロードキャストチャネルが送信され得る。狭帯域動作のための物理ブロードキャストチャネルは、狭帯域物理ブロードキャストチャネル（ＮＢ−ＰＢＣＨ）と呼ばれることがある。以下のうちの１つまたは複数を適用し得る。
【０２３８】
狭帯域動作のためマスタ情報ブロック（ＭＩＢ）がＮＢ−ＰＢＣＨのために使用され得る。ＭＩＢは、初期アクセスのための狭帯域モノのインターネット（ＮＢ−ＩｏＴ）ＷＴＲＵについての情報（例えば必須情報）を含むことができる。ＭＩＢは、狭帯域ＭＩＢ（ＮＢ−ＭＩＢ）と呼ばれることがある。
【０２３９】
ＮＢ−ＭＩＢはチャネル符号化され得る。１つまたは複数の符号化ビットは、スクランブルシーケンスを使用してスクランブルされ得る。スクランブルシーケンスは、セル固有パラメータ（例えば、物理セルＩＤなど）、および／または動作モード（例えば、ＷＴＲＵは、スクランブルシーケンスから暗黙的に動作モードを示され得る）などの少なくとも１つに基づいて決定され得る。スクランブルシーケンスは、デュプレックスモードに基づいて決定され得る。例えば、ＴＤＤおよび／またはＦＤＤが、使用されるスクランブリングシーケンスに基づいて示されてよい。第１のスクランブリングシーケンスはＦＤＤのために使用され得る。第２のスクランブリングシーケンスはＴＤＤのために使用され得る。ＮＢ−ＭＩＢのコンテンツは、使用されるスクランブリングシーケンスに基づいて決定され得る。例えば、第１のスクランブリングシーケンスが使用される場合、システムパラメータの第１のセットがＮＢ−ＭＩＢを介して送信され得る。第２のスクランブリングシーケンスが使用される場合、システムパラメータの第２のセットがＮＢ−ＭＩＢを介して送信され得る。システムパラメータの第１のセットとシステムパラメータの第２のセットとは、部分的に重なることがある。
【０２４０】
ＮＢ−ＭＩＢの１つまたは複数の符号化ビットが、Ｎｓｕｂ個のサブブロックに分割され、および／または変調され得る。Ｎｓｕｂは、例えば４としてよい。別の例として、Ｎｓｕｂは８としてよい。Ｎｓｕｂ個のサブブロックの各々は、無線フレーム内の１つまたは複数のサブフレームで送信され得る。例えば、１つまたは複数の非ＭＢＳＦＮサブフレームが、無線フレーム内で使用され得る。Ｎｓｕｂ個のサブブロックの各々は、異なる無線フレームで送信され得る。ＮＢ−ＰＢＣＨサイクルは、Ｎｓｕｂ個のサブブロックを含むことができる。例えば、ＷＴＲＵは、各ＮＢ−ＰＢＣＨサイクルにおいてＮＢ−ＰＢＣＨを受信することができる。Ｎｓｕｂ個のサブブロックは、ＮＢ−ＰＢＣＨサイクル内で経時的に均等に分散され得る。
【０２４１】
図９は、ＮＢ−ＭＩＢ９０２の例示的なサブブロック送信９００を示す。ＮＢ−ＭＩＢ９０２は、複数のサブブロックを含むことができる。複数のサブブロックは、時間窓内で送信され得る。例えば、（例えば各）サブブロックは、予め定められた時間期間で送信され得る。
【０２４２】
Ｎｓｕｂ個のサブブロックの各々は、反復して送信され得る。反復の数は、ＮＢ−ｓｙｎｃの反復の数に基づいて決定されてよい。反復の数は、動作モードに基づいて決定されてよい。
【０２４３】
ＮＢ−ＰＢＣＨの時間および／または周波数位置は、（例えば、ＮＢ−ｓｙｎｃの時間／周波数位置に基づいて）決定され得る。例えば、ＮＢ−ＰＢＣＨに対してＮＢ−ｓｙｎｃの同じ周波数位置が使用されてよく、および／またはＮＢ−ＰＢＣＨの時間位置は、ＮＢ−ｓｙｎｃの時間位置からオフセットを有して決定（例えば、定義もしくは構成）されてよい。
【０２４４】
ＮＢ−ｓｙｎｃとＮＢ−ＰＢＣＨとの間のオフセットは、物理セルＩＤに基づいて決定され得る。物理セルＩＤは、ＮＢ−ｓｙｎｃから検出され得る。１つまたは複数の隣接セルの間のＮＢ−ＰＢＣＨの衝突は、オフセットを使用して回避され得る。
【０２４５】
オフセットは、動作モードに基づいて決定されてよい。
【０２４６】
オフセットは、システム帯域幅に基づいて決定されてよい。システム帯域幅は、ＮＢ−ＩｏＴ帯域幅を含むことができる。ＮＢ−ＩｏＴ帯域幅は、スタンドアロンおよび／またはガードバンド動作として考慮され得る。
【０２４７】
１つまたは複数のＮｓｕｂ個のサブブロックは、予め定められたシーケンスで送信され得る。予め定められたシーケンスは、１つまたは複数のシステムパラメータを示すことができる。例えば、ＮＢ−ＭＩＢの１つまたは複数の符号化ビットが、Ｎｓｕｂ個のサブブロックに分割され得る。サブブロックは復号可能であり得る。ＮＢ−ＭＩＢは、１つまたは複数（例えば全て）のＮｓｕｂ個のサブブロックが集約されたときに復号可能であってよい。ＷＴＲＵは、１つまたは複数のシステムパラメータを決定することができる。ＷＴＲＵは、（例えば、送信窓内の）１つまたは複数のＮｓｕｂ個のサブブロックの送信シーケンスに基づいて１つまたは複数のシステムパラメータを決定してよい。
【０２４８】
１つまたは複数のＮｓｕｂ個のサブブロックの送信シーケンスは、１つまたは複数の順列シーケンスに基づくことができる。１つまたは複数の順列シーケンスは、Ｎｓｕｂ長を有することができる。
【０２４９】
例えば、第１の順列シーケンス（例えば［１  ２  ３  ・・・  Ｎｓｕｂ］など）および／または第２の順列シーケンス（例えば［Ｎｓｕｂ  Ｎｓｕｂ−１  ・・・  ３  ２  １］など）が送信シーケンス候補として使用され得る。ビットシステムパラメータは、使用される順列シーケンスに基づいて示され得る。第１の順列シーケンスは、第１の動作モードを示すことができる。第１の動作モードは、インバンド動作を含むことができる。第２の順列シーケンスは、第２の動作モードを示すことができる。第２の動作モードは、スタンドアロン動作および／またはガードバンド動作を含むことができる。
【０２５０】
別の例では、Ｎｐ個の順列シーケンスが送信シーケンス候補として使用され得る。１つまたは複数のビットシステムパラメータ（例えば、
【０２５１】
【数３１】
2020074608.tif 000035
【０２５２】
など）がＮｐ個の順列シーケンスに基づいて示され得る。使用される送信シーケンスに基づいて、動作モード（例えば、インバンド、ガードバンド、またはスタンドアロン）が示され得る。使用される送信シーケンスに基づいて、デュプレックスモード（例えば、ＴＤＤまたはＦＤＤ）が示され得る。使用される送信シーケンスに基づいて、システム帯域幅（例えば、３、５、１０、１５、２０ＭＨｚ）が示され得る。使用される送信シーケンスに基づいて、完全または部分的なシステムフレーム番号（ＳＦＮ）が示され得る。使用される送信シーケンスに基づいて、アンテナポートの数が示され得る。使用される送信シーケンスに基づいて、狭帯域の数が示され得る。使用される送信シーケンスに基づいて、ＮＢ−ＳＩＢｌ送信のスケジューリング情報が示され得る。
【０２５３】
別の例では、Ｎｓｕｂ個のサブブロックは、予め定められたシーケンスで送信され得る。Ｎｓｕｂ個のサブブロックは、１つまたは複数のＮＢ−ＭＩＢコンテンツを示すことができる。例えば、ＮＢ−ＭＩＢに含まれるシステムパラメータは、Ｎｓｕｂ個のサブブロックに使用され得る送信シーケンスに基づいて決定され得る。第１の順列シーケンスが使用される場合、第１のセットのシステムパラメータがＮＢ−ＭＩＢに含まれ得る。第２の順列シーケンスが使用される場合、第２のセットのシステムパラメータがＮＢ−ＭＩＢに含まれ得る。第１のセットのシステムパラメータおよび第２のセットのシステムパラメータは、重なり得る（例えば、部分的に重なり得る）。第１のセットのシステムパラメータは第１の動作モードに関連付けられ得る。第１の動作モードは、インバンド動作モードであり得る。第２のセットのシステムパラメータは第２の動作モードに関連付けられ得る。第２の動作モードは、スタンドアロン動作モードおよび／またはガードバンド動作モードであり得る。アンテナポートの数は、第１と第２の両方のセットのシステムパラメータで示されるシステムパラメータであり得る。第１のセットのシステムパラメータは、システム帯域幅を含むことができる。
【０２５４】
図１０は、サブブロックに対する複数の順列シーケンス１０００の例を示す。例えば、Ｎｓｕｂ個のサブブロックに対する複数の順列シーケンスは、１つまたは複数のシステムパラメータおよび／またはＮＢ−ＭＩＢコンテンツを示すことができる。
【０２５５】
１つまたは複数のダウンリンク制御チャネルが、狭帯域動作のために使用され得る。ダウンリンク制御チャネルタイプは、復調のために使用される基準信号タイプ（例えば、ＣＲＳ、復調基準信号（ＤＭ−ＲＳ）および／またはアンテナポートなど）に基づいて決定され得る。ダウンリンク制御チャネルタイプは、サブフレームおよび／またはＥサブフレーム内のリソース位置に基づいて決定され得る。リソース位置は、ＰＤＣＣＨで使用される１つもしくは複数のリソース要素（例えばレガシＰＤＣＣＨ）領域、および／またはＰＤＳＣＨで使用される１つもしくは複数のリソース要素（例えばレガシＰＤＳＣＨ）領域を含むことができる。ダウンリンク制御チャネルタイプは、リソース要素グループ（ＲＥＧ）タイプに基づいて決定され得る。ＲＥＧタイプは、ＲＥＧタイプ−１および／またはＲＥＧタイプ−２を含むことができる。ＲＥＧタイプ−１は、Ｎ１個のＲＥを含むことができる。ＲＥＧタイプ−２は、Ｎ２個のＲＥを含むことができる。ダウンリンク制御チャネルタイプは、使用される制御チャネル要素（ＣＣＥ）タイプに基づいて決定され得る。
【０２５６】
１つまたは複数のＥサブフレームタイプが、狭帯域動作のために使用され得る。例えば、局所化されたＥサブフレームタイプおよび／または分散されたＥサブフレームタイプが使用されてよい。局所化されたＥサブフレームタイプは、そのＥサブフレームに関連付けられた（例えば、属するまたは対応する）１つまたは複数のサブフレームが同じ周波数位置（例えば、同じＰＲＢインデックス）にあり得る、Ｅサブフレームであってよい。分散されたＥサブフレームタイプは、１つまたは複数の関連付けられたサブフレームが異なる周波数位置（例えば、異なるＰＲＢインデックス）にあり得る、Ｅサブフレームであってよい。
【０２５７】
Ｅサブフレームタイプは、動作モードに基づいて決定され得る。例えば、１つまたは複数（例えば３つ）の動作モードが使用され得る。１つまたは複数の動作モードは、第１の動作モード、第２の動作モード、および／または第３の動作モードを含むことができる。１つまたは複数の動作モードは、同期チャネル、ブロードキャストチャネル（例えば、ＭＩＢおよび／もしくはＳＩＢ）、ＲＲＣシグナリング、並びに／またはダウンリンク制御チャネル（例えば、ＤＣＩ）のうちの少なくとも１つから受信され得る（例えば、それに示され得る）。
【０２５８】
第１の動作モードは、スタンドアロン動作モードを含むことができる。第２の動作モードは、ガードバンド動作モードを含むことができる。第３の動作モードは、インバンド動作モードを含むことができる。
【０２５９】
ＮＢ−ＰＤＳＣＨのＥサブフレームタイプが決定され得る。ＮＢ−ＰＤＳＣＨのＥサブフレームタイプは、関連付けられたＤＣＩ内の表示に基づいて決定されてよい。例えば、ＮＢ−ＰＤＳＣＨは、関連付けられたＮＢ−ＰＤＣＣＨおよび／またはＮＢ−ＥＰＤＣＣＨによってスケジューリングされてよい。ＥサブフレームタイプのＮＢ−ＰＤＳＣＨは、関連付けられたダウンリンク制御チャネルから受信され得る。ＮＢ−ＰＤＣＣＨおよび／またはＮＢ−ＥＰＤＣＣＨは、ＮＢ−（Ｅ）ＰＤＣＣＨと交換可能に使用されてよい。
【０２６０】
ＮＢ−（Ｅ）ＰＤＣＣＨのＥサブフレームと、関連付けられたＮＢ−ＰＤＳＣＨのＥサブフレームとは、異なり得る。
【０２６１】
Ｅサブフレームタイプは、Ｅサブフレームで搬送された情報（例えば情報タイプ）に基づいて決定され得る。例えば、ユニキャストトラフィックを搬送するＥサブフレームが、局所化されたＥサブフレームタイプとして決定され得る。ブロードキャストトラフィックを搬送するＥサブフレームは、分散されたＥサブフレームタイプとして決定され得る。
【０２６２】
分散されたＥサブフレームタイプでの１つまたは複数のサブフレームの周波数位置（例えばＰＲＢインデックス）は、システムパラメータ（例えば、物理セルＩＤ、システム帯域幅、サブフレーム番号、ＳＦＮ番号、Ｅサブフレーム番号、および／またはＥフレーム番号など）のうちの少なくとも１つに基づいて決定され得る。
【０２６３】
ＮＢ−ＰＤＣＣＨが、各サブフレーム内の１つまたは複数の最初のＮPDCCH個のシンボルを使用することができる。例えば、ＮＢ−ＰＤＣＣＨは、Ｅサブフレーム内の各サブフレームにおける１つまたは複数の最初のＮPDCCH個のシンボルを使用してよい。以下のうちの１つまたは複数を適用し得る。
【０２６４】
各サブフレームにおける１つまたは複数の最初のＮPDCCH個のシンボルは、ＮＢ−ＰＤＣＣＨリソースを含むことができる。ＮPDCCHは、１つまたは複数（例えば全て）のサブフレームのために使用される予め定義された数を含むことができる。ＮPDCCHは、上位レイヤシグナリングによって構成されてよい。ＮPDCCHは、トラフィックタイプに応じてシグナリングされてよい。例えば、１つまたは複数のＮPDCCH値は、ユニキャストトラフィック、ページング、再許可要求（re-authorization request：ＲＡＲ）および／またはシステム情報更新のためにシグナリング（例えば、別個にシグナリング）されてよい。ＮPDCCHは、探索空間に応じて構成（例えば、別個に構成）されてよい。例えば、ＮPDCCHの固定および／または予め定義された値が、共通探索空間に対して使用されてよい。ＮPDCCHの構成された値が、ＷＴＲＵ固有探索空間に対して使用されてよい。
【０２６５】
ＮPDCCHは、Ｅサブフレームタイプに基づいて決定されてよい。例えば、ＮPDCCHは、局所化されたＥサブフレームタイプおよび分散されたＥサブフレームタイプに対して（例えば、別個に）構成および／または予め定義されてよい。別の例では、ＮPDCCHが局所化されたＥサブフレームに対して決定された場合、分散されたＥサブフレームに対するＮPDCCHに基づいてオフセットが使用され得る（例えば、ＮPDCCH＋オフセット）。オフセットは、周波数リタイミング時間を含むことができる。ＮPDCCHは、Ｅサブフレーム内のサブフレーム番号に基づいて決定されてよい。ＮPDCCHは、ＮＢ−ＰＤＣＣＨリソース内のＲＥの利用可能な数に基づいて決定されてよい。
【０２６６】
ＮＢ−ＥＰＤＣＣＨおよび／またはＮＢ−ＰＤＣＣＨは、各サブフレームにおけるＮSTARTシンボルからＮEPDCCH個のシンボルを使用することができる。ＮSTARTは、サブフレーム内のＮEPDCCH個のシンボルの開始ＯＦＤＭシンボルとみなされてよい。各サブフレームにおけるＮSTARTシンボルから開始するＮEPDCCH個のシンボルは、ＮＢ−ＥＰＤＣＣＨリソースを含むことができる。ＮEPDCCHは、ＮSTART値に基づいて決定されてよく、またはその逆であってもよい。ＮSTARTは、１つまたは複数（例えば全て）のサブフレームで使用される予め定義された数であってよい。ＮSTARTは、上位レイヤシグナリングによって構成されてよい。ＮSTARTは、トラフィックタイプに応じてシグナリングされてよい。例えば、１つまたは複数のＮSTART値は、ユニキャストトラフィック、ページング、ＲＡＲ、および／またはシステム情報更新のためにシグナリング（例えば別個にシグナリング）されてよい。ＮSTARTは、探索空間に応じて構成（例えば、別個に構成）されてよい。例えば、ＮSTARTの固定および／または予め定義された値が、共通探索空間に対して使用されてよい。ＮSTARTの構成された値が、ＵＥ固有の探索空間に対して使用されてよい。ＮSTARTは、Ｅサブフレームタイプに基づいて決定されてよい。例えば、ＮPDCCHは、局所化されたＥサブフレームタイプおよび／または分散されたＥサブフレームタイプに対して（例えば、別個に）構成および／または予め定義されてよい。ＮSTARTは、Ｅサブフレーム内のサブフレーム番号に基づいて決定されてよい。ＮSTARTは、ＮＢ−ＰＤＣＣＨリソース内のＲＥの利用可能な数に基づいて決定されてよい。
【０２６７】
ＮＢ−（Ｅ）ＰＤＣＣＨのための１つまたは複数の関連付けられたアンテナポート（例えば基準信号）が、動作モードに基づいて決定され得る。例えば、第１の動作モード（例えばスタンドアロン）では、ＮＢ−ＥＰＤＣＣＨのための関連付けられた基準信号は、ＤＭ−ＲＳ（例えば、アンテナポート７〜１０）を含むことができる。ＮＢ−ＰＤＣＣＨのための関連付けられた基準信号は、ＣＲＳ（例えば、アンテナポート０〜３）を含むことができる。第３の動作モード（例えばインバンド動作）では、ＮＢ−ＥＰＤＣＣＨのための関連付けられた基準信号は、ＤＭ−ＲＳとＣＲＳの両方を含むことができる。
【０２６８】
第１の動作モードでのＷＴＲＵは、ＣＲＳが同じＰＲＢに配置され得るが、関連付けられたＤＭ−ＲＳ（例えば、関連付けられたＤＭ−ＲＳのみ）と共にＮＢ−ＥＰＤＣＣＨを受信する（例えば、復号するように試みる）ことができる。
【０２６９】
第３の動作モードでのＷＴＲＵは、（例えば、同じＰＲＢに配置され得る）関連付けられたＤＭ−ＲＳおよび／またはＣＲＳと共にＮＢ−ＥＰＤＣＣＨを受信することができる。同じ数のアンテナポートがＤＭ−ＲＳおよび／またはＣＲＳのために使用され得る。ＮＢ−ＥＰＤＣＣＨに関連付けられたＤＭ−ＲＳポートの数がＮｐの場合、Ｎｐ個のＣＲＳポートが、少なくとも同じＰＲＢにおいて構成（例えば、決定または使用）され得る。ＮＢ−ＩｏＴ  ＷＴＲＵに使用されるＰＲＢのためのＣＲＳポートの数と、ＬＴＥ（例えばレガシＬＴＥ）ＷＴＲＵに使用されるＰＲＢのためのＣＲＳポートの数とは異なり得る。
【０２７０】
ＷＴＲＵは、（例えば、少なくとも同じＰＲＢ内の）第１のＤＭ−ＲＳポートおよび／または第１のＣＲＳポートについてプリコーダが使用され得ることを決定することができる。例えば、ＮＢ−ＥＰＤＣＣＨのための１つまたは複数の関連付けられたＤＭ−ＲＳポートが、アンテナポート７および／または９を含むことができ、同じＰＲＢに配置されたＣＲＳが、アンテナポート０および／または１を含むことができる。ＷＴＲＵは、アンテナポート７および／またはアンテナポート０が同じであり得ること、および／またはアンテナポート９および／またはアンテナポート１が同じであり得ることを決定することができる。
【０２７１】
第２の動作モードのＷＴＲＵは、第１の動作モードのＷＴＲＵと同じに挙動してよい。
【０２７２】
１つまたは複数の関連付けられたアンテナポートは、上位レイヤシグナリングから受信される（例えば、上位レイヤシグナリングにて示される）ことができる。例えば、１つまたは複数のＤＭ−ＲＳポートは、（例えばデフォルトとして）ＮＢ−ＥＰＤＣＣＨに関連付けられ得る。上位レイヤシグナリングは、同じＰＲＢ内に配置された１つまたは複数のＣＲＳポートがＮＢ−ＥＰＤＣＣＨ復調のために使用され得ることを示すことができる。
【０２７３】
上位レイヤシグナリングは、ＮＢ−ＥＰＤＣＣＨ構成情報を含むことが可能なブロードキャストチャネルを含むことができる。
【０２７４】
１つまたは複数のＤＭ−ＲＳポートは、ＮＢ−ＥＰＤＣＣＨに関連付けられ得る。本明細書では、ＤＭ−ＲＳポートは、ＮＢ−ＥＰＤＣＣＨ用の基準信号、狭帯域動作用のＲＳ、ＮＢ−ＩｏＴ用のＲＳ、および／またはＮＢ−ＲＳと交換可能に使用されてよい。
【０２７５】
ＵＣＩ送信は、ＨＡＲＱ−ＡＣＫ情報（例えば、ＨＡＲＱ−ＡＣＫおよび／またはＨＡＲＱ−ＮＡＣＫ）を含むことができる。ＰＵＳＣＨ上のＵＣＩ送信が（例えば、ＰＵＣＣＨなどの専用アップリンク制御チャネルの代わりに）ＨＡＲＱ−ＡＣＫ情報のために使用される場合、（Ｅ）ＰＤＣＣＨは、各ＨＡＲＱ−ＡＣＫ情報送信のためのＵＬリソースをグラントするために利用され得る。各ＨＡＲＱ−ＡＣＫ情報送信のためにＵＬリソースをグラントすることは、非効率的なＵＬリソース利用をもたらすことがある。ＰＵＳＣＨ上のＵＣＩ送信は、ＷＴＲＵのための最小割り当てとして１つのＰＲＢペアを使用することができる。１ビットＨＡＲＱ−ＡＣＫ情報の送信に１つのＰＲＢペアを使用することは、１つのＰＲＢペアが１ビットよりかなり大きい情報を搬送できるので、ＵＬリソースを著しく浪費する可能性がある。異なる（例えば、より効率的な）ＵＣＩ送信方式が、例えばＮＢ−ＩｏＴシステムのために利用され得る。
【０２７６】
例えば、ダウンリンクデータ送信に対応するＨＡＲＱ−ＡＣＫ情報（例えばＰＤＳＣＨ）が、アップリンク基準信号またはシーケンスを使用して送信され得る。アップリンク基準信号などの基準信号は、例えばシーケンスであってよい。ｅＮｏｄｅＢは、第１のダウンリンクデータ送信を、例えばＷＴＲＵに送信することができる。ＷＴＲＵは、例えばＰＤＳＣＨを介して、第１のダウンリンクデータ送信を受信することができる。ＷＴＲＵは、例えばｅＮｏｄｅＢに対して、ダウンリンクデータ送信の受信に応答してＨＡＲＱ−ＡＣＫを送るように決定することができる。ｅＮｏｄｅＢは、第２のダウンリンクデータ送信を、例えばＷＴＲＵに送信することができる。ＷＴＲＵは、第２のダウンリンクデータ送信を正しく受信しないことがある。ＷＴＲＵは、第２のダウンリンクデータ送信が正しく受信されないという条件で、ＨＡＲＱ−ＮＡＣＫを送ることを決定することができる。ＷＴＲＵは、アップリンク基準信号および／またはシーケンスを送信することができる。ＨＡＲＱ−ＡＣＫおよび／またはＨＡＲＱ−ＮＡＣＫは、アップリンク基準信号および／またはシーケンスを介して示され得る。例えば、第１のダウンリンクデータ送信の受信に応答するＨＡＲＱ−ＡＣＫは、第１のアップリンク基準信号および／または第１のアップリンク基準信号の第１のシーケンスを使用して示されてよい。ＨＡＲＱ−ＮＡＣＫは、第２のアップリンク基準信号（または第２のシーケンス）を使用して示されてよい。ＷＴＲＵは、第１のサブフレーム（例えばＥサブフレーム）でダウンリンクデータ送信を受信することができる。ＷＴＲＵは、第２のサブフレーム（例えばＥサブフレーム）でアップリンク基準信号および／または第１のシーケンスを送ることができる。第２のサブフレームは、第１のサブフレームよりも後であり得る。例えば、ＷＴＲＵがサブフレーム（例えばＥサブフレーム）でＰＤＳＣＨを受信した場合、対応するＨＡＲＱ−ＡＣＫ情報は、より後のサブフレーム（例えば、より後のＥサブフレーム）でアップリンク基準信号と共に送信されてよい。対応するＨＡＲＱ−ＡＣＫ情報を搬送するサブフレームに対してＰＵＳＣＨがスケジューリングされない場合、アップリンク基準信号はＰＵＳＣＨなしに送信されてよい。アップリンク基準信号は、復調基準信号（ＤＭ−ＲＳ）および／またはサウンディング基準信号（ＳＲＳ）のうちの１つまたは複数を含むことができる。アップリンク基準信号（ＵＬＲＳ）、アップリンクＤＭ−ＲＳ、ＤＭ−ＲＳ、および／またはＳＲＳという用語は、本明細書では交換可能に使用されてよく、１つのタイプの基準信号に関して説明された例は、他のタイプの基準信号に同様に適用可能であり得る。アップリンク基準信号の１つまたは複数のシーケンスは、ＡＣＫおよび／またはＮＡＣＫなどのＨＡＲＱ−ＡＣＫ情報に関連付けられ得る。例えば、アップリンク信号（例えばアップリンク基準信号）の第１のシーケンスは、ＡＣＫに関連付けられてよく、アップリンク信号の第２のシーケンスは、ＮＡＣＫに関連付けられてよい。従って、ＡＣＫまたはＮＡＣＫは、対応するアップリンク信号シーケンスを使用してシグナリングされてよい。本明細書では、ＨＡＲＱ−ＡＣＫおよびＡＣＫが交換可能に使用されてよく、ＨＡＲＱ−ＮＡＣＫおよびＮＡＣＫが交換可能に使用されてよい。
【０２７７】
アップリンク基準信号、アップリンク信号、シーケンス、アップリンク信号のシーケンス、アップリンク基準信号のシーケンス、基準信号シーケンス、Ｚａｄｏｆｆ−Ｃｈｕシーケンス、アップリンクＨＡＲＱ−ＡＣＫシーケンス、および／またはアップリンクＨＡＲＱ−ＡＣＫ情報シーケンスは、本明細書では交換可能に使用され得る。１つまたは複数のシーケンスは、同じベースシーケンスを使用し得る。１つまたは複数のシーケンスは、巡回シフト（例えば巡回シフトインデックス）によって区別され得る。例えば、第１のシーケンスおよび第２のシーケンスは、異なる巡回シフトおよび／または巡回シフトインデックスを有する同じベースシーケンスを使用することができる。
【０２７８】
ＷＴＲＵは、シーケンス（例えばベースシーケンス）の巡回シフトインデックスを使用してＨＡＲＱ−ＡＣＫ情報を示すことができる。シーケンスは、Ｚａｄｏｆｆ−Ｃｈｕシーケンスであり得る。例えば、アップリンク基準信号および／またはシーケンスを使用して示され得る１つまたは複数の巡回シフトインデックスが、ＨＡＲＱ−ＡＣＫ情報（例えば、ＡＣＫまたはＮＡＣＫ）を送信しまたは示すために使用され得る。例えば、アップリンク基準信号シーケンスは、ＡＣＫを示すために第１の巡回シフトインデックスを使用して送信され得る。アップリンク基準信号シーケンスは、ＮＡＣＫを示すために第２の巡回シフトインデックスを使用して送信され得る。巡回シフトおよび巡回シフトインデックスは、本明細書では交換可能に使用され得る。
【０２７９】
１つまたは複数のＰＲＢにおける、例えば１つまたは複数の巡回シフトのセットからの巡回シフトを使用するアップリンク基準信号の送信は、ダウンリンク送信に関連付けられ得る。ＷＴＲＵは、１つまたは複数の巡回シフトインデックスから巡回シフトインデックスを選択することができる。与えられた巡回シフトインデックスは、対応するダウンリンク送信についてのＡＣＫまたはＮＡＣＫを示すことができる。ｅＮｏｄｅＢは、ＨＡＲＱ−ＡＣＫ情報に使用するための１つまたは複数の巡回シフトインデックスを決定することができる。ｅＮｏｄｅＢは、ＨＡＲＱ−ＡＣＫ情報のために使用され得る１つまたは複数の巡回シフトインデックスを、ＷＴＲＵに対して示すことができる。ｅＮｏｄｅＢは、例えば１つまたは複数のビットを使用して、ダウンリンク制御情報（ＤＣＩ）を介して１つまたは複数の巡回シフトインデックスを示すことができる。例えば、ｅＮｏｄｅＢは、ＨＡＲＱ−ＡＣＫのために使用されるべき第１の巡回シフトインデックスを、ＷＴＲＵに対して示すことができる。ｅＮｏｄｅＢは、ＨＡＲＱ−ＮＡＣＫのために使用されるべき第２の巡回シフトインデックスを、ＷＴＲＵに対して示すことができる。ＷＴＲＵは、ＨＡＲＱ−ＡＣＫのために使用されるべき第１の巡回シフトインデックスおよび／またはＨＡＲＱ−ＮＡＣＫのために使用されるべき第２の巡回シフトインデックスを示すＤＣＩを受信することができる。巡回シフトインデックスは、ＨＡＲＱ−ＡＣＫ情報を示すために、例えば、ＳＣ−ＦＤＭＡシンボルであり得る１つまたは複数のアップリンクシンボルにわたって、１つまたは複数の基準信号に適用され得る。例えば、ＷＴＲＵは、関連付けられたＰＤＳＣＨについてのＡＣＫまたはＮＡＣＫを示すために、巡回シフト（例えば、同じまたは異なる巡回シフト）を使用して１つまたは複数のアップリンク基準信号を送信することができる。１つまたは複数のアップリンク基準信号は、１つまたは複数のアップリンクシンボルで送信され得る。
【０２８０】
アップリンク基準信号の１つまたは複数の巡回シフトインデックスは、符号グループｕおよびベースシーケンスｖを有するＺａｄｏｆｆ−Ｃｈｕシーケンス
【０２８１】
【数３２】
2020074608.tif 000036
【０２８２】
に対する巡回シフトインデックス（α）を含むことができる。
【０２８３】
ＷＴＲＵは、１つまたは複数のアップリンクシンボル（例えばＳＣ−ＦＤＭＡシンボル）を介して、ＨＡＲＱ−ＡＣＫ情報送信のためのアップリンク基準信号を送信することができる。ＨＡＲＱ−ＡＣＫ情報送信のために使用されるアップリンクシンボルの数は、例えばＷＴＲＵによって、ＨＡＲＱ−ＡＣＫ情報ビットの数に基づいて決定され得る。例えば、１つのＨＡＲＱ−ＡＣＫ情報ビットが１つのアップリンクシンボルにおいて送信されてよく、２つのＨＡＲＱ−ＡＣＫ情報ビットが２つのアップリンクシンボルにおいて送信されてよい（例えば、アップリンクシンボル当たり１つのＨＡＲＱ−ＡＣＫ情報ビット）。複数のアップリンクシンボルが使用される場合、２つ以上の連続したアップリンクシンボルが使用され得る。ＷＴＲＵは、ＨＡＲＱ−ＡＣＫ情報送信のために使用されるべきアップリンクシンボルの数を、例えば、上位レイヤシグナリングに基づいて決定することができる。ＨＡＲＱ−ＡＣＫ情報送信のために使用されるアップリンクシンボルの数は、関連付けられたダウンリンク制御チャネルにおけるインジケータに基づいて決定されてもよい。ＨＡＲＱ−ＡＣＫ情報送信のために使用されるアップリンクシンボルの数は、関連付けられたＰＤＳＣＨ送信のためのコードワード（例えば、またはトランスポートブロック）の数に基づいて決定されてもよい。巡回シフトインデックスを有するシーケンスが、１つまたは複数のアップリンクシンボルにわたって送信され得る。直交カバーコード（ＯＣＣ）の長さが、使用されるアップリンクシンボルの数に基づいて決定され得る。
【０２８４】
巡回シフトインデックスのセットが、ＨＡＲＱ−ＡＣＫ情報ビットの数に基づいて決定されてよい。例えば、単一のＨＡＲＱ−ＡＣＫ情報ビットが送信された場合、２つの巡回シフトインデックスがダウンリンク送信に関連付けられ得る。別の例として、２つのＨＡＲＱ−ＡＣＫ情報ビットが送信された場合、４つの巡回シフトインデックスがダウンリンク送信に関連付けられ得る。
【０２８５】
巡回シフトインデックスのセットは、ＰＤＳＣＨのために送信されたコードワードの数に基づいて決定されてもよい。例えば、単一のコードワードがＰＤＳＣＨに関して送信される場合、関連付けられたＨＡＲＱ−ＡＣＫ情報送信は、２つの巡回シフトインデックスのうちの１つを使用してシグナリングされ得る。別の例として、２つ以上のコードワードがＰＤＳＣＨに関して送信される場合、関連付けられたＨＡＲＱ−ＡＣＫ情報送信は、４つ以上の巡回シフトインデックスのうちの１つを使用してシグナリングされ得る。
【０２８６】
巡回シフトインデックスのセットが、送信機で使用されるアンテナポートの数に基づいて決定されてよい。送信機は、送信ＷＴＲＵを含むことができる。例えば、ＨＡＲＱ−ＡＣＫ情報送信のために２つのアンテナポートが使用されるとき、２つの巡回シフトインデックスの２つのセットが使用され得る。第１のセットの２つの巡回シフトインデックスは、ＡＣＫを示すために使用され得る。第２のセットの２つの巡回シフトインデックスは、ＮＡＣＫを示すために使用され得る。決定されたセットにおける各巡回シフトインデックスは、各アンテナポートに関連付けられ得る。
【０２８７】
２つ以上の巡回シフトインデックスのオフセットが、ＨＡＲＱ−ＡＣＫ情報送信のために使用され得る。例えば、第１の巡回シフトインデックスと第２の巡回シフトインデックスとの間のオフセットが、ＨＡＲＱ−ＡＣＫ情報（例えば、ＡＣＫおよび／またはＮＡＣＫ）を決定することができる。巡回シフトインデックスの２つのセットが、ＨＡＲＱ−ＡＣＫ情報送信のために使用され得る。巡回シフトインデックスの２つのセットのうちの第１のセットは、ＡＣＫを示すために使用され得る。巡回シフトインデックスの２つのセットのうちの第２のセットは、ＮＡＣＫを示すために使用され得る。第１の巡回シフトインデックスは、ＡＣＫまたはＮＡＣＫに対して同じであり得る。第２の巡回シフトインデックスは、ＨＡＲＱ−ＡＣＫ情報（例えばＡＣＫおよび／またはＮＡＣＫ）に基づいて決定され得る。第１の巡回シフトインデックスは、第１のアンテナポートを介して送信され得る。第２の巡回シフトインデックスは、第２のアンテナポートを介して送信され得る。
【０２８８】
巡回シフトインデックスは、単一アンテナポート送信についてのＨＡＲＱ−ＡＣＫ情報送信のために使用され得る。巡回シフトインデックスのセットは、複数のアンテナポートについてのＨＡＲＱ−ＡＣＫ送信のために使用され得る。例えば、単一のアンテナポートが使用される場合、巡回シフトインデックスが、ＨＡＲＱ−ＡＣＫ情報（例えば、ＡＣＫまたはＮＡＣＫ）を示すために使用され得る。２つ以上のアンテナポートが使用される場合、巡回シフトインデックスのセットが、ＨＡＲＱ−ＡＣＫ情報（例えば、ＡＣＫおよび／またはＮＡＣＫ）を示すために使用され得る。
【０２８９】
巡回シフトインデックス、ＨＡＲＱ−ＡＣＫリソース、短いＰＵＣＣＨリソース、および／または直交リソースは、本明細書では交換可能に使用され得る。
【０２９０】
Ｎｃｙｃは、与えられたＰＲＢにおいて使用され得るアップリンク基準信号についての巡回シフトインデックスの数を表すことができる。Ｎｃｙｃ巡回シフトインデックスのサブセットが、ＨＡＲＱ−ＡＣＫ情報表示のために使用され得る。ＨＡＲＱ−ＡＣＫ情報表示のために使用するサブセット、例えば、巡回シフトサブセットが、ＰＤＳＣＨ送信のためのＤＣＩにおいて提供および／または受信され得る。
【０２９１】
巡回シフトサブセットは、１つまたは複数の値、ビット、および／またはパラメータを使用して示され得る。例えば、巡回シフトサブセットの第１の巡回シフトインデックスが示されることができ、巡回シフトサブセットにおける残りの巡回シフトは、第１の巡回シフトインデックスからのオフセット、例えば、予め定義されたオフセットに基づいて、または第１の巡回シフトインデックスの関数に基づいて決定されることができる。各巡回シフトサブセットは、サブセットインデックスに関連付けされることができ、サブセットインデックスが示されることができる。ＨＡＲＱ−ＡＣＫおよびＨＡＲＱ−ＮＡＣＫについての巡回シフトインデックスが、示されることができる。
【０２９２】
例えば、Ｎｃｙｃ＝８が、ＨＡＲＱ−ＡＣＫ情報表示のために使用され得る。巡回シフトサブセットは、ＰＤＳＣＨ送信に関連付けられたＤＣＩで示され得る。Ｎｃｙｃ＝８およびｃｅｉｌ（ｌｏｇ２（Ｎｃｙｃ））ビットは、巡回シフトインデックス（α）、および／またはＰＤＳＣＨ送信に対応するＨＡＲＱ−ＡＣＫ情報送信のための開始巡回シフトインデックスを示すことができる。
【０２９３】
巡回シフトインデックスは、巡回シフトグループインデックスまたは巡回シフトサブセットインデックスであり得る。巡回シフトグループインデックスは、（例えば、ＨＡＲＱ−ＡＣＫ情報送信についての）巡回シフトインデックスのセットに関連付けられ得る。例えば、巡回シフトグループインデックスは、Ｎｃｙｃ巡回シフトインデックス内の２つの巡回シフトインデックスに関連付けられ得る。ＷＴＲＵは、ＡＣＫを示すために、第１の巡回シフトインデックスを有する時間／周波数リソースにおけるアップリンク基準信号を送信することができる。ＷＴＲＵは、ＮＡＣＫを示すために、第２の巡回シフトインデックスを有する時間／周波数リソースにおけるアップリンク基準信号を送信することができる。表３および表４は、直交カバーコード（ＯＣＣ）有りまたは無しの巡回シフトグループを使用するＨＡＲＱ−ＡＣＫ送信の例を示す。例えば、ＷＴＲＵが、ＰＤＳＣＨ送信のための関連付けられたＤＣＩにおけるシグナリングビット「００」を受信した場合、ＷＴＲＵは、ＡＣＫを示すために巡回シフト０を使用し、ＮＡＣＫを示すために巡回シフト５を使用することができる。ＷＴＲＵは、ＨＡＲＱ−ＡＣＫ情報送信のために使用され得る２つのアップリンク基準信号のためにＯＣＣを使用することができる。ＷＴＲＵは、ＤＣＩ（例えば、関連付けられたＰＤＳＣＨ送信のためのＤＣＩ）における表示に基づいて、どのＯＣＣを使用するかを決定することができる。例えば、ＷＴＲＵが、ＰＤＳＣＨ送信のための関連付けられたＤＣＩにおいてシグナリングビット「００」を受信した場合、ＷＴＲＵは、ＯＣＣ［１  １］を使用することができる。
【０２９４】
【表３】
2020074608.tif 000037
【０２９５】
【表４】
2020074608.tif 000038
【０２９６】
巡回シフトインデックスは、例えば、ＨＡＲＱ−ＡＣＫ情報表示に使用するための巡回シフトインデックスのセットにおける、開始巡回シフトインデックスであり得る。例えば巡回シフトインデックスのセット内の、後続の巡回シフトインデックスが、開始巡回シフトインデックスの関数として決定され得る。後続の巡回シフトインデックスは、開始巡回シフトインデックスからのオフセットを使用して決定されてよい。例えば、第１の巡回シフトインデックスであり得る開始巡回シフトインデックスα＝０である場合、第２の巡回シフトインデックスは、α＋ｎ、またはα＋ｎ  ｍｏｄ  Ｎｃｙｃとすることができる。「ｎ」の値は、予め定義されてよい（例えば、ｎ＝４）。「ｎ」の値は、（例えば、動的に）構成されおよび／または示されてよい。巡回シフトインデックス、巡回シフトグループインデックス、および／または開始巡回シフトインデックスという用語は、本明細書では交換可能に使用されてよく、巡回シフトインデックスに関して説明された例は、巡回シフトグループインデックスおよび／または開始巡回シフトインデックスに同様に適用可能であり得る（逆も同様である）。
【０２９７】
アップリンク基準信号についての巡回シフトインデックスは、（例えば、ＰＤＣＣＨまたは別のダウンリンク制御チャネル上で搬送される）ＰＤＳＣＨのための関連付けられたＤＣＩで示され得る。ＰＤＳＣＨに対応するＨＡＲＱ−ＡＣＫ情報は、１つまたは複数の直交カバーコード（ＯＣＣ）によって示され得る。表５は、ＯＣＣがＨＡＲＱ−ＡＣＫ情報を示すために使用されるときに使用する巡回シフトを示す例を示す。
【０２９８】
【表５】
2020074608.tif 000039
【０２９９】
アップリンク基準信号についての巡回シフトインデックスは、ＰＤＳＣＨのための関連付けられたＤＣＩで示され得る。ＰＤＳＣＨに対応するＨＡＲＱ−ＡＣＫ情報は、アップリンク基準信号（例えばＤＭ−ＲＳ）シンボルのサブセットにおけるアップリンク基準信号を送信することによって示され得る。
【０３００】
例えば、２つのシンボル（例えばＳＣ−ＦＤＭＡシンボル）がアップリンク基準信号送信、例えばＤＭ−ＲＳ送信のために使用される場合、ＷＴＲＵは、第１のシンボルで巡回シフトインデックスを使用してアップリンク基準信号を送信することができる。例では、第１のシンボルがＡＣＫ／ＮＡＣＫ表示のために使用される場合、ＷＴＲＵは、第２のシンボルにおいてアップリンク基準信号を送信しなくてよい。
【０３０１】
ＰＵＳＣＨのためのＤＣＩで示された第１の巡回シフトインデックスは、ＨＡＲＱ−ＡＣＫ情報送信のために使用されるべき巡回シフトを示し得るＰＤＳＣＨのための関連付けられたＤＣＩにおける第２の巡回シフトインデックスに優先し得る。例えば、ＰＵＳＣＨ送信が、ＰＤＳＣＨに対応するＨＡＲＱ−ＡＣＫ情報送信に使用されるのと同じサブフレームにスケジューリングされる場合、ＰＵＳＣＨ  ＤＣＩによって示される巡回シフトが、ＰＵＳＣＨ  ＤＣＩにおけるＨＡＲＱ−ＡＣＫ情報について示された巡回シフトに優先してよい。第１の巡回シフトインデックスは、ＨＡＲＱ−ＡＣＫ情報を示すための巡回シフトのサブセットを決定するために使用され得る。第２の巡回シフトインデックスは、第１の巡回シフトインデックスに優先する、および／または第１の巡回シフトインデックスと置き換わることができる。
【０３０２】
ＡＣＫ／ＮＡＣＫを示すために使用されるべき巡回シフトインデックス、巡回シフトグループインデックス、および／または開始巡回シフトインデックスは、１つまたは複数のファクタに基づいて暗黙的に決定され得る。例えば、巡回シフトインデックス、巡回シフトグループインデックス、および／または開始巡回シフトインデックスは、ＡＣＫ／ＮＡＣＫに対応するＰＤＳＣＨ送信のために使用されるＥサブフレーム内のＰＲＢインデックスおよび／または開始ＰＲＢインデックスに基づいて暗黙的に決定されてよい。巡回シフトインデックス、巡回シフトグループインデックス、および／または開始巡回シフトインデックスは、ＰＤＳＣＨ送信のための関連付けられた（Ｅ）ＰＤＣＣＨの（Ｅ）ＣＣＥインデックス、開始（Ｅ）ＣＣＥインデックス、および／または（Ｅ）ＣＣＥ集約レベルに基づいて暗黙的に決定されてよい。巡回シフトインデックス、巡回シフトグループインデックス、および／または開始巡回シフトインデックスは、ＷＴＲＵ−ＩＤ（例えば、Ｃ−ＲＮＴＩ、ＩＭＳＩ、ｓ−ＴＭＳＩ）に基づいて暗黙的に決定されてよい。
【０３０３】
ＨＡＲＱ−ＡＣＫ情報送信は、ＰＵＳＣＨ上のＵＣＩに基づいて決定され得る。サブＲＢリソース割り当て（ここでは、例えば、ＷＴＲＵに割り当てられたサブキャリアの数（Ｍｓｕｂ）が、Ｎｓｕｂと等しいまたはＮｓｕｂよりも小さい（Ｍｓｕｂ≦Ｎｓｕｂ））が、ＮＢ−ＩｏＴ  ＷＴＲＵのために使用され得る。Ｎｓｕｂは、例えば、１２（例えば、１つのＲＢ）と等しくてよい。サブＲＢ、サブＰＲＢ、単一サブキャリア、および／または単一トーンという用語は、本明細書では交換可能に使用されてよく、これらの用語の１つに関して説明された例は、他の１つまたは複数に同様に適用可能であり得る。レガシＬＴＥアップリンクリソース割り当ては、ＲＢベースのリソース割り当てを含むことができる。ＲＢベースのリソース割り当てにおけるアップリンクリソース割り当て粒度は、Ｎｓｕｂサブキャリアに基づくことができる。
【０３０４】
（例えば、ＵＬ−ＳＣＨを有するまたは有しない）ＰＵＳＣＨ上のＲＢベースのＵＣＩが、時間領域に拡張され得る。ＰＵＳＣＨ上のＲＢベースのＵＣＩは、ＵＣＩ送信のために使用されるサブキャリアの数（例えばＭｓｕｂ）に基づいて、時間領域に拡張されてよい。ＰＵＳＣＨ上のＵＣＩのＲＥレベルに関するチャネルマッピングが、ＮＢ−ＰＵＳＣＨのサブＲＢリソース割り当てのために割り当て、決定、構成、および／または使用されるサブキャリアの数（例えばＭｓｕｂ）に基づいて、拡張されてよい。例えば、ＰＵＳＣＨ上のＵＣＩは、Ｋｓｕｂ個のサブフレームにわたって拡張されてよい。Ｋｓｕｂは、ＭｓｕｂおよびＮｓｕｂの関数として決定され得る（例えば、Ｋｓｕｂ＝Ｎｓｕｂ／Ｍｓｕｂ）。レガシシステムとしての同じチャネル符号化および多重化が使用されてよい。
【０３０５】
図１１は、Ｍｓｕｂ＝ＮｓｕｂおよびＮｓｙｍ＝Ｍｓｙｍの場合のＰＵＳＣＨ上の例示的なＵＣＩ送信１１００（例えば、単一のサブフレーム内の単一のＰＲＢペアで送信されるＵＣＩ）を示す。ＰＲＢペアは、周波数領域におけるサブキャリア、および／または時間領域におけるＳＣ−ＦＤＭＡシンボルを含むことができる。
【０３０６】
図１２は、Ｍｓｕｂ＜Ｎｓｕｂの場合のＰＵＳＣＨ上のＵＣＩの例示的な時間拡張１２００を示す。ＰＲＢペア（例えば、図１１に示されたＰＲＢペアなど）は、周波数領域において２つ以上の部分に分割され得る。例えば、ＰＲＢペアは、周波数領域において６つの部分に分割されてよい。周波数領域における２つ以上の部分が２つ以上のサブフレームにわたって送られ得る。例えば、周波数領域における６つの部分が６つのサブフレームにわたって送られてよい。
【０３０７】
２つのサブキャリア（例えば、Ｍｓｕｂ＝２）が関連付けられたＮＢ−ＰＤＣＣＨからＷＴＲＵのために割り当てられる場合、ＲＢ（例えば、単一のＲＢ）がＫｓｕｂに分割されてよく、および／または、各サブフレームに対するＵＣＩを含む２つ以上のサブキャリアが送信されてよい。例えば、図１２に示された例では、図１１で単一のサブフレームで送信されたようにＵＣＩの同様の量を送信するために、２つのサブキャリアが、６つのサブフレームにわたってＵＣＩ送信のために使用される（例えばＭｓｕｂ＝２、Ｎｓｕｂ＝１２、Ｋｓｕｂ＝６）。
【０３０８】
（例えば、ＵＬ−ＳＣＨを有するまたは有しない）ＰＵＳＣＨ上のＲＢベースのＵＣＩが、時間領域に拡張され得る。ＰＵＳＣＨ上のＲＢベースのＵＣＩの時間領域拡張は、ＵＣＩ送信のためのサブフレームにおける使用されるシンボルの数（Ｍｓｙｍ）に基づくことができる。ＰＵＳＣＨ上のＵＣＩのＲＥレベルに関するチャネルマッピングが、ＮＢ−ＰＵＳＣＨのために割り当て、決定、構成、または使用されるシンボルの数に基づいて、拡張されてよい。例えば、ＰＵＳＣＨ上のＵＣＩは、Ｋｓｕｂ個のサブフレームにわたって拡張されてよい。Ｋｓｕｂは、Ｍｓｙｍおよび／またはＮｓｙｍの関数として決定され得る（例えば、Ｋｓｕｂ＝Ｎｓｙｍ／Ｍｓｙｍ）。Ｎｓｙｍは、サブフレームで使用されるシンボルの数に基づいて、予め定義され、構成され、および／または可変数であってよい。Ｎｓｙｍは、サブフレーム当たりのシンボルの数を表すことができる。例えば、Ｎｓｙｍの値は、拡張された巡回プレフィックスが使用されるか（例えば、Ｎｓｙｍ＝１２）、またはノーマル巡回プレフィックスが使用されるか（例えば、Ｎｓｙｍ＝１４）に依存してよい。例えば、図１３に示される例では、図１１において単一のサブフレームで送信されたように同様の量のＵＣＩを送信するために、サブフレーム当たり２つのシンボルが１２個のサブキャリアにわたってＵＣＩ送信のために使用される。図１３に示される例では、時間領域拡張が、７つのサブフレーム（例えば、Ｍｓｙｍ＝２、Ｎｓｙｍ＝１４、Ｋｓｕｂ＝７）にわたって発生できる。図１３は、Ｍｓｙｍ＜Ｎｓｙｍの場合のＰＵＳＣＨ上のＵＣＩの例示的な時間拡張１３００を示す。
【０３０９】
ＨＡＲＱ−ＡＣＫ情報は、アップリンクパイロットタイムスロット（ＵｐＰＴＳ）で送られ得る。ＨＡＲＱ−ＡＣＫ情報は、ＴＤＤの特殊なサブフレームにおいてＵｐＰＴＳで送信され得る。サブフレームｎで終了され得るＮＢ−ＰＤＳＣＨ送信の場合、サブフレームｎ＋ｋの後の最初の特殊なサブフレームにおけるＵｐＰＴＳが、ＨＡＲＱ−ＡＣＫ情報送信のために使用され得る。変数「ｋ」は、予め定義された数であり得る。
【０３１０】
ＵｐＰＴＳは、ＳＲＳ送信および／または短縮されたＲＡＣＨ送信のために使用され得る。短縮されたＲＡＣＨ送信は、小さなセルに適用可能（例えば、それのみ適用可能）であり得る。短縮されたＲＡＣＨ送信は、ＮＢ−ＩｏＴシステムのために使用されなくてよい。ＵｐＰＴＳ上のＨＡＲＱ−ＡＣＫ情報送信がＳＲＳ送信と衝突する場合、ＨＡＲＱ−ＡＣＫ情報送信が優先されてよく、および／またはＳＲＳ送信が破棄されてよい。
【０３１１】
１つまたは複数のダウンリンクＥサブフレームが、ＵｐＰＴＳに関連付けられ得る。例えば、２つ以上のＥサブフレームからの１つまたは複数のＨＡＲＱ−ＡＣＫ情報ビットが、ＵｐＰＴＳ内で多重化され得る。１つまたは複数のＨＡＲＱ−ＡＣＫ情報ビットは、ＦＤＭ様式および／またはＣＤＭ様式で多重化されてよい。１つまたは複数のＨＡＲＱ−ＡＣＫ情報ビットは、ＵｐＰＴＳリソースにバンドルされてよい。２つ以上の特殊なサブフレームがＥサブフレームに使用される場合、１つまたは複数のＨＡＲＱ−ＡＣＫ情報ビットが、Ｅサブフレームにおいて２つ以上のＵｐＰＴＳにわたって多重化されてよく、および／またはＥサブフレームにおける２つ以上のＵｐＰＴＳのうちのＵｐＰＴＳが、ＨＡＲＱ−ＡＣＫ情報送信のために使用されてよく、および／または２つ以上のＵｐＰＴＳのうちの残りのＵｐＰＴＳが、レガシＷＴＲＵ（例えば、ＳＲＳおよび／または短縮されたＲＡＣＨ）のために使用されてよい。
【０３１２】
図１４は、ＵｐＰＴＳにおける例示的なＨＡＲＱ−ＡＣＫ情報送信１４００を示す。ダウンリンクＥサブフレームは、１つまたは複数（例えば６つ）のダウンリンクサブフレームを含むことができる。１つまたは複数のダウンリンクサブフレームは、特殊なサブフレームを含むことができる（例えば、ＴＤＤ構成１が想定される）。
【０３１３】
図１５は、ＨＡＲＱ−ＡＣＫ情報送信のための例示的な変調シンボル１５００を示す。ＢＰＳＫおよび／またはＱＰＳＫは、ＡＣＫ、ＮＡＣＫ、および／またはＤＴＸ情報を搬送するために使用され得る。ＢＰＳＫは、単一のＨＡＲＱ−ＡＣＫ情報のために使用され得る。ＱＰＳＫは、複数のＨＡＲＱ−ＡＣＫ情報のために使用され得る。１つまたは複数のＥサブフレームは、変調シンボルに関連付けられ得る。２つのＥサブフレームが変調シンボルに関連付けられる場合、第１のＥサブフレームが変調シンボルの虚部に関連付けられてよく、および／または第２のＥサブフレームが変調シンボルの実部に関連付けられてよい。
【０３１４】
図１６は、２つのシンボルを有するＵｐＰＴＳにおける例示的なＨＡＲＱ−ＡＣＫチャネル１６００を示す。１つまたは複数（例えば、１つまたは２つ）のシンボルが、ＵｐＰＴＳにおけるＵＣＩに利用可能であり得る。２つのシンボルが利用可能な場合、１つまたは複数のＨＡＲＱ−ＡＣＫ情報は、図１６に示されるように巡回シフトインデックスによって多重化され得る。第１のシンボルは、基準信号のために使用され得る。第２のシンボルは、ＨＡＲＱ−ＡＣＫ情報のために使用され得る。ＵｐＰＴＳおよび／または第１のＥサブフレーム内で２つのシンボルが利用可能でない場合、第２のＥサブフレームの特殊なサブフレームにおける隣接ＵｐＰＴＳが（例えば、ＨＡＲＱ−ＡＣＫチャネルを構築するために）組み合わされ得る。
【０３１５】
図１６に示されるように、ｄ0は、ＨＡＲＱ−ＡＣＫ情報を示すシンボル（例えば、図１５などの変調シンボル）であり得る。
【０３１６】
【数３３】
2020074608.tif 000040
【０３１７】
は、符号グループｕおよびベースシーケンスｖを有するＺａｄｏｆｆ−Ｃｈｕシーケンスを表すことができる。
【０３１８】
【数３４】
2020074608.tif 000041
【０３１９】
は、
【０３２０】
【数３５】
2020074608.tif 000042
【０３２１】
の巡回シフトを表すことができる。
【０３２２】
図１７は、１つのシンボルを有するＵｐＰＴＳにおける例示的なＨＡＲＱ−ＡＣＫチャネル１７００を示す。シンボル（例えば、単一のシンボル）がＵｐＰＴＳにおけるＨＡＲＱ−ＡＣＫに利用可能である場合、ＨＡＲＱ−ＡＣＫチャネルが生成（例えば構築）され得る。６の長さを有するＺａｄｏｆｆ−Ｃｈｕに基づくシーケンスが、ＨＡＲＱ−ＡＣＫチャネルのために使用され得る。
【０３２３】
図１８は、シンボルにおけるＨＡＲＱ−ＡＣＫ情報およびＲＳ多重化１８００の例を示す。ＨＡＲＱ−ＡＣＫチャネルは、シンボル内のＨＡＲＱ−ＡＣＫ情報および／または基準信号を多重化することによって決定および／または使用されることができ、α1およびα2は、図１６および／または図１７におけるのと同じであり得る。
【０３２４】
単一トーンベースのＨＡＲＱ−ＡＣＫ情報送信が使用されてよい。１つまたは複数のタイプのＨＡＲＱ−ＡＣＫ情報送信が（例えば、アップリンク送信で）使用されてよい。第１のＨＡＲＱ−ＡＣＫ情報送信は、単一サブキャリア送信に基づくことができる。第２のＨＡＲＱ−ＡＣＫ情報送信は、複数サブキャリア送信に基づくことができる。単一サブキャリア送信は、アップリンク送信において複数のサブキャリアのうちの１つを使用することができる。サブキャリアおよび／またはトーンは本明細書で交換可能に使用され得る。
【０３２５】
ＨＡＲＱ−ＡＣＫ情報送信タイプは、使用されるＰＲＡＣＨリソースに基づいて決定され得る。例えば、１つまたは複数のＰＲＡＣＨリソースが構成されてよい。１つまたは複数のＰＲＡＣＨリソースのうちのＰＲＡＣＨリソースが、単一トーンおよび／またはマルチトーンベースの送信のためのＷＴＲＵの能力に関連付けられ得る。単一トーンベースの送信能力を有するＷＴＲＵは、単一トーンベースの送信に関連付けられたＰＲＡＣＨリソースを決定することができる。マルチトーンベースの送信能力を有するＷＴＲＵは、マルチトーンベースの送信に関連付けられたＰＲＡＣＨリソースを決定することができる。単一トーンベースの送信に関連付けられたＰＲＡＣＨリソースは、単一トーンベースの送信であってよい。マルチトーンベースの送信に関連付けられたＰＲＡＣＨリソースは、マルチトーンベースの送信であってよい。マルチトーンベースの送信に関連付けられたＰＲＡＣＨリソースは、単一トーンベースの送信であってもよい。
【０３２６】
ＨＡＲＱ−ＡＣＫ情報送信タイプは、使用される動作モードに基づいて決定され得る。例えば、単一トーンベースのＨＡＲＱ−ＡＣＫ情報送信は、第１の動作モードのために使用され得る。マルチトーンベースのＨＡＲＱ−ＡＣＫ情報送信は、第２の動作モードのために使用され得る。動作モードは、インバンドモード、ガードバンドモードおよび／またはスタンドアロンモードのうちの１つまたは複数に対応することができる。動作モードは、カバレッジレベルに基づくことができる。例えば、１つまたは複数のカバレッジレベルが使用または定義され得る。１つまたは複数のカバレッジレベルの各々が、動作モードに関連付けられ得る。第１の動作モードは通常のカバレッジ動作モードであり得る。第２の動作モードはカバレッジ拡張動作モードあり得る。動作モードは、ダウンリンク送信に関連付けられたダウンリンク制御チャネル（例えば、ＰＤＳＣＨ）において示され得る。
【０３２７】
単一トーンベースのアップリンクＨＡＲＱ−ＡＣＫ情報送信は、トーンインデックス選択を含むことができる。例えば、１つまたは複数のトーンインデックスが、単一トーンベースのＨＡＲＱ−ＡＣＫ情報送信に対して決定され得る。１つまたは複数のトーンインデックスは、割り当てられたダウンリンクリソースに基づいて決定され得る。例えば、単一トーンベースのＨＡＲＱ−ＡＣＫ情報送信に関連付けられた１つまたは複数（例えば２つ）のトーンインデックスは、ＮＢ−ＰＤＳＣＨをスケジューリングするためにＮＢ−ＰＤＣＣＨに使用される第１のＣＣＥインデックスに基づいて決定されてもよい。単一トーンベースのＨＡＲＱ−ＡＣＫ情報送信に関連付けられた１つまたは複数のトーンインデックスは、ＮＢ−ＰＤＳＣＨをスケジューリングするためにＮＢ−ＰＤＣＣＨに使用される第１のサブフレームおよび／またはＳＦＮインデックスに基づいて決定されてもよい。単一トーンベースのＨＡＲＱ−ＡＣＫ情報送信に関連付けられた１つまたは複数のトーンインデックスは、ＷＴＲＵ−ＩＤ（例えば、Ｃ−ＲＮＴＩ、ｓ−ＴＭＳＩなど）に基づいて決定されてもよい。単一トーンベースのＨＡＲＱ−ＡＣＫ情報送信に関連付けられた１つまたは複数のトーンインデックスは、ＮＢ−ＰＤＳＣＨに使用される第１のサブフレームおよび／またはＳＦＮインデックスに基づいて決定されてもよい。
【０３２８】
２つ以上のインデックスが単一トーンベースのＨＡＲＱ−ＡＣＫ情報送信に関連付けられているとき、ＷＴＲＵは、どのトーンをＨＡＲＱ−ＡＣＫ情報送信に使用するかを決定することができる。ＷＴＲＵは、ＡＣＫおよび／またはＮＡＣＫに基づいて、どのトーンをＨＡＲＱ−ＡＣＫ情報送信に使用するかを決定してよい。例えば、第１のトーンは、関連付けられたＮＢ−ＰＤＳＣＨ送信についてＡＣＫを示すために使用されてよい。第２のトーンは、関連付けられたＮＢ−ＰＤＳＣＨ送信についてＮＡＣＫを示すために使用されてよい。トーンおよびトーンシーケンスは、本明細書では交換可能に使用され得る。
【０３２９】
ＨＡＲＱ−ＡＣＫ情報送信のための１つまたは複数のトーンインデックスは、ＮＢ−ＰＤＳＣＨをスケジューリングするために使用される関連付けられたＮＢ−ＰＤＣＣＨを介して示され得る。
【０３３０】
１つまたは複数の狭帯域は、ＮＢ−ＩｏＴのために使用され得る。１つまたは複数の狭帯域は、単一ＰＲＢに対応することができる。１つまたは複数の狭帯域についての動作モードが、決定、構成、および／または使用され得る。１つまたは複数の狭帯域についての動作モードは、１つまたは複数の狭帯域周波数位置に基づいて決定され得る。
【０３３１】
各狭帯域についての動作モードは、決定（例えば構成）され得る。
【０３３２】
ＷＴＲＵは、１つまたは複数の狭帯域位置において１つまたは複数のＮＢ−Ｓｙｎｃ信号を受信し、監視し、および／または復号を試みることができる。ＷＴＲＵは、狭帯域で受信されたＮＢ−Ｓｙｎｃチャネルに基づいて、（例えば各）狭帯域についての動作モードを決定することができる。
【０３３３】
１つまたは複数の狭帯域は、ＷＴＲＵに関連付けられ得る。ＷＴＲＵは、１つまたは複数の検出、構成および／または決定された狭帯域から一次ＮＢを決定することができる。一次ＮＢは、予め定められた動作モードに基づいて決定され得る。
【０３３４】
１つまたは複数の狭帯域が２つ以上の動作モードに関連付けられた場合、１つまたは複数の狭帯域のうちの狭帯域が一次ＮＢとして決定および／または使用され得る。例えば、インバンド動作モード（例えば、またはスタンドアロンまたはガードバンド）に関連付けられた狭帯域が、一次ＮＢとして決定および／または使用されてよい。
【０３３５】
一次ＮＢは、物理ランダムアクセスチャネル（ＰＲＡＣＨ）プリアンブルが送信されるＮＢに基づいて決定されてもよい。一次ＮＢは、受信されたランダムアクセス応答（ＲＡＲ）に基づいて決定されてもよい。
【０３３６】
ＷＴＲＵは、一次狭帯域についてＮＢ−Ｓｙｎｃ信号を受信し、監視し、および／または復号を試みることができる。
【０３３７】
１つまたは複数の二次狭帯域は、（例えば一次狭帯域を介して）構成され得る。
【０３３８】
ブロードキャストチャネル（例えば、ＭＩＢおよび／もしくはＳＩＢ）並びに／または上位レイヤシグナリングは、１つまたは複数の二次狭帯域の構成情報を含むことができる。構成情報は、完全または部分的な構成情報を含むことができる。
【０３３９】
ブロードキャストチャネルで受信されたシステム帯域幅は、１つまたは複数の二次狭帯域を決定（例えば、暗黙的に決定）することができる。
【０３４０】
１つまたは複数の二次狭帯域のうちの（例えば各）二次狭帯域の動作モードは、（例えば、構成情報によって）示され得る。
【０３４１】
１つまたは複数の二次狭帯域は、一次狭帯域に関連付けられた動作モードとして決定（例えば想定）され得る。
【０３４２】
１つまたは複数の一次狭帯域が使用され得る。１つまたは複数の狭帯域のうちの一次狭帯域が、動作モードに対して使用、構成、および／または決定され得る。例えば、異なる動作モードを有する２つ以上の狭帯域が使用される場合、２つ以上の狭帯域が一次狭帯域として決定され得る。
【０３４３】
１つまたは複数の一次狭帯域が、動作モードに対して使用、決定、および／または構成され得る。
【０３４４】
動作モードに対する１つまたは複数の二次狭帯域は、同じ動作モードを有する１つまたは複数の一次狭帯域によって構成され得る。
【０３４５】
ＷＴＲＵは、単一の動作モードを使用し得る。ＷＴＲＵは、（例えば、ＷＴＲＵが、異なる動作モードを伴う２つ以上の狭帯域を受信、検出、および／または決定した場合、）１つまたは複数のＮＢ−Ｓｙｎｃチャネルのより高い信号強度に基づいて、２つ以上の狭帯域のうちの狭帯域を選択することができる。ＷＴＲＵは、（例えば、ＷＴＲＵが、異なる動作モードを伴う２つ以上の狭帯域を受信、検出、および／または決定した場合、）ダウンリンク基準信号のより高い受信された信号強度に基づいて、（例えば、２つ以上の狭帯域から）狭帯域を選択することができる。
【０３４６】
ＷＴＲＵは、動作モードの優先規則に基づいて、（例えば、２つ以上の狭帯域から）狭帯域を選択することができる。例えば、ＷＴＲＵは、２つ以上の狭帯域を検出することができる。第１の狭帯域は、第１の動作モードに基づくことができる。第２の狭帯域は、第２の動作モードに基づくことができる。ＷＴＲＵは、優先規則に基づいて、第１の狭帯域および／または第２の狭帯域を選択することができる。インバンド動作モードが、ガードバンド動作モードよりも高い優先度を有してよい。優先規則は、２つ以上の狭帯域のＮＢ−Ｓｙｎｃチャネルに関連付けられた信号強度の差が、予め定義された範囲（例えば、予め定義された閾値）内であるときに適用し得る。
【０３４７】
周波数ホッピングが、２つ以上の狭帯域の間で適用され得る。１つまたは複数の狭帯域が、ＷＴＲＵに対するＵＬおよび／またはＤＬ送信のために使用され得る。１つまたは複数の狭帯域は、同じ動作モードおよび／または異なる動作モードを使用し得る。
【０３４８】
１つまたは複数の狭帯域は、ＷＴＲＵに対して構成され得る。１つまたは複数の構成された狭帯域は、ＵＬおよび／またはＤＬ送信の時間に使用され得る。
【０３４９】
狭帯域位置および／またはインデックスは、時間経過と共に変更されてよい。狭帯域位置および／またはインデックスは、スケジューリングのためのダウンリンク制御情報に基づいて決定されてもよい。狭帯域位置および／またはインデックスは、予め定義されたホッピングパターンに基づいて決定されてもよい。狭帯域位置および／またはインデックスは、周波数ホッピング表示に基づいて決定されてもよい。
【０３５０】
モード内狭帯域ホッピングは、同じ動作モードの狭帯域を有する狭帯域ホッピング含むことができる。モード間狭帯域ホッピングは、異なる動作モードの狭帯域にわたる狭帯域ホッピングを含むことができる。狭帯域ホッピングおよび周波数ホッピングは、本明細書では交換可能に使用され得る。
【０３５１】
ｅＮＢおよび／またはＷＴＲＵは、モード間狭帯域ホッピング能力を示すことができる。例えば、ｅＮＢは、モード間狭帯域ホッピングのサポートおよび／またはモード間狭帯域ホッピングの構成を（例えば、上位レイヤシグナリングを介して）示すことができる。ＷＴＲＵは、モード間狭帯域ホッピングの能力を示すことができる。
【０３５２】
異なる動作モードを有する２つ以上の狭帯域の間の時間および／または周波数同期が、表示に基づいて決定され得る。この表示は、モード間狭帯域ホッピングサポートの構成を含むことができる。ＷＴＲＵは、（例えば、モード間狭帯域ホッピングがサポートされる場合、）使用される狭帯域内で時間および／または周波数が同期されることを決定（例えば想定）することができる。ＷＴＲＵは、構成された狭帯域内で時間および／または周波数が同期されないことを決定（例えば想定）することができる。
【０３５３】
モード内狭帯域ホッピングおよび／またはモード間狭帯域ホッピングは、ＷＴＲＵに対して使用され得る。
【０３５４】
異なる復帰時間が、狭帯域ホッピングのために使用され得る。モード内狭帯域ホッピングおよび／またはモード間狭帯域ホッピングに応じて、異なる復帰時間が決定され得る。例えば、狭帯域位置が第１の狭帯域から第２の狭帯域に変更されたとき、第１の狭帯域と第２の狭帯域が同じ動作モードであり得る場合に、第１の復帰時間（Ｔ＿ｒｅ１）が使用され得る。第１の狭帯域と第２の狭帯域が異なる動作モードであり得る場合第２の復帰時間（Ｔ＿ｒｅ２）が使用され得る。第１の復帰時間（Ｔ＿ｒｅ１）と第２の復帰時間（Ｔ＿ｒｅ２）は異なってよい。復帰時間は、予め定義された値であってよい。復帰時間は、上位レイヤシグナリングを介して構成されてよい。復帰時間は、ＷＴＲＵ能力表示に基づいて決定されてよい。復帰時間Ｔ＿ｒｅ１は、同じ動作モードを有する２つ以上の狭帯域の間で周波数ホッピングが使用される（例えば、両方の狭帯域がインバンド動作モードである）場合に使用され得る。復帰時間Ｔ＿ｒｅ２は、異なる動作モードを有する２つ以上の狭帯域の間で周波数ホッピングが使用される（例えば、第１の狭帯域がインバンド動作モードであり、第２の狭帯域がガードバンド動作モードである）場合に使用され得る。復帰時間は、ギャップ（例えば、狭帯域ホッピング間の時間ギャップ）を含むことができる。復帰時間は、第１のＵＬおよび／またはＤＬ送信をスキップすることによって使用されてよい。復帰時間は、１つまたは複数のＵＬおよび／またはＤＬ送信の終了をスキップすることによって使用されてもよい。
【０３５５】
アップリンク送信のための送信電力（例えば、異なる最大送信電力）が、狭帯域インデックスに関連して使用されてもよい。第１のＰｍａｘ（例えば、Ｐｍａｘ，１）は、第１の動作モードを有する狭帯域における最大アップリンク送信電力を含むことができる。第２のＰｍａｘ（例えば、Ｐｍａｘ，２）は、第２の動作モードを有する狭帯域における最大アップリンク送信電力を含むことができる。Ｐｍａｘは、１つまたは複数の（例えば各）動作モードに対する予め定義されおよび／または構成された値を含むことができる。Ｐｍａｘは、アップリンク送信のための関連付けられたＤＣＩで示され得る。
【０３５６】
アップリンク（例えば、別個のアップリンク）電力制御ループが、狭帯域インデックスおよび／または狭帯域の動作モードに応じて使用され得る。第１の電力制御ループは、第１の動作モードを有する１つまたは複数の狭帯域のために使用され得る。第２の電力制御ループは、第２の動作モードを有する１つまたは複数の狭帯域のために使用され得る。
【０３５７】
関連付けられた基準信号タイプが、（例えば、狭帯域インデックスおよび／または狭帯域の動作モードに基づいて）決定され得る。アンテナポート番号が、（例えば、狭帯域インデックスおよび／または狭帯域の動作モードに基づいて）決定され得る。
【０３５８】
アップリンク送信用のタイミングアドバンス値が、（例えば、狭帯域インデックスおよび／または狭帯域の動作モードに基づいて）決定され得る。
【０３５９】
ＷＴＲＵは、構成された１つまたは複数の（例えば各）動作モードについてＲＡＣＨプロセスを実行することができる。タイミングアドバンス値は、１つまたは複数の（例えば各）動作モードについて決定され、構成され、および／または示され得る。
【０３６０】
測定基準信号（例えば、またはリソース）が、ＮＢ−ＩｏＴ  ＷＴＲＵのために定義されていないことがある。例えば、同期信号（例えば、ＮＢ−Ｓｙｎｃ信号）を含む１つまたは複数のサブフレームは、ＮＢ−ＩｏＴ  ＷＴＲＵに利用可能な基準信号を含まないことがある。
【０３６１】
ＮＢ−Ｓｙｎｃ信号は、狭帯域一次同期信号（ＮＢ−ＰＳＳ）および／または狭帯域二次同期信号（ＮＢ−ＳＳＳ）のうちの１つまたは複数を含むことができる。
【０３６２】
ＷＴＲＵは、受信された１つまたは複数の基準リソースに基づいて、チャネル品質情報（例えば、チャネル品質に関連付けられた情報）を決定（例えば、測定および／または推定）することができる。１つまたは複数の基準リソースは、狭帯域動作のための基準信号（例えば、ＮＢ−ＲＳ）、レガシＷＴＲＵ送信および／もしくは非狭帯域動作のための基準信号（例えば、ＣＲＳ、ＤＭ−ＲＳ、ＣＳＩ−ＲＳ）、並びに／または狭帯域動作のための同期信号（例えば、ＮＢ−Ｓｙｎｃ）のうちの１つまたは複数を含むことができる。
【０３６３】
決定されたチャネル品質情報は、周期的および／または非周期的にアップリンクで送られる（例えば、報告または送信される）ことができる。
【０３６４】
決定されたチャネル品質情報は、基準信号受信電力（ＲＳＲＰ）を含むことができる。決定されたチャネル品質情報は、基準信号受信品質（ＲＳＲＱ）を含むことができる。決定されたチャネル品質情報は、受信信号強度インジケータ（ＲＳＳＩ）を含むことができる。決定されたチャネル品質情報は、チャネル品質インジケータ（ＣＱＩ）を含むことができる。決定されたチャネル品質情報は、ランクインジケータ（ＲＩ）を含むことができる。決定されたチャネル品質情報は、プリコーディング行列インジケータ（ＰＭＩ）を含むことができる。
【０３６５】
例えば、ＷＴＲＵは、狭帯域内で受信または送信された１つまたは複数の基準信号および／またはリソースに基づいて、チャネル品質情報（例えば、チャネル品質に関連付けられた情報）を決定することができる。第１の基準信号および／またはリソースは、狭帯域内で受信または送信され得る。第１の基準信号および／またはリソースは、ＮＢ−ＲＳと呼ばれることがある。ＮＢ−ＲＳポートの数（例えば、１または２）は、狭帯域動作に関連付けられたブロードキャストチャネル（例えばＮＢ−ＭＩＢ）において決定されおよび／または示され得る。ＮＢ−ＲＳポートの数は、関連付けられたダウンリンク制御チャネル（例えば、ＮＢ−ＰＤＣＣＨ）によって動的に示され得る。第２の基準信号および／またはリソースは、狭帯域よりも広い帯域幅で送信または受信され得る。第２の基準信号は、レガシ基準信号（例えばＣＲＳ）と呼ばれることがある。狭帯域内のＣＲＳは、第２の基準信号として使用（例えば、それのみとして使用）され得る。ＣＲＳの１つまたは複数のパラメータがＷＴＲＵに送信され得る。１つまたは複数のパラメータは、ＣＲＳについての（例えば、中央ＰＲＢインデックスに対する）狭帯域位置情報を含むことができる。ＣＲＳの１つまたは複数のパラメータは、スクランブリングシーケンス初期化のために使用されるセルＩＤを含むスクランブリングシーケンス関連情報を含むことができる。第２の基準信号は、（例えば、表示に基づいて）第１の基準信号と同じ数のアンテナポートを使用することができる。
【０３６６】
第１の基準リソースは、（例えば、第１の基準リソースが測定リソースで利用可能な場合に）チャネル品質情報測定のために使用され得る。
【０３６７】
第２の基準リソースは、第１の基準リソースのためのアンテナポートの数が第２の基準リソースのためのアンテナポートの数と同じ場合、チャネル品質情報測定のために（例えば、第１の基準リソースと共に）使用され得る。第２の基準リソースは、第１の基準リソースのためのスクランブリングシーケンス初期化のために使用される第１のセルＩＤが第２の基準リソースのためのスクランブリングシーケンス初期化のために使用される第２のセルＩＤと同じ場合、（例えば、第１の基準リソースと共に）使用され得る。
【０３６８】
インジケータは、ブロードキャストチャネルでシグナリングされ得る。例えば、インジケータは、同じ物理セルＩＤ（ＰＣＩ）インジケータであり得る。インジケータは、同じセルＩＤが第１の基準リソースおよび／または第２の基準リソースのために使用されるかどうかを示すことができる。インジケータがＴＲＵＥにセットされた場合、スクランブリングシーケンス初期化のためのセルＩＤが、１つまたは複数の基準リソースについて同じであり得る。インジケータがＴＲＵＥにセットされた場合、アンテナポートの数が、１つまたは複数の基準リソースについて同じであり得る。インジケータがＴＲＵＥにセットされた場合、同じ送信電力が１つまたは複数の基準リソースに対して想定され得る。例えば、各対応するアンテナポートの送信電力が想定され得る（例えば、第１の基準リソースの第１のアンテナポートと第２の基準リソースの第２のアンテナポートとの送信電力が同じであり得る）。
【０３６９】
ＷＴＲＵは、第１の基準リソースの第１のアンテナポートと第２の基準リソースの第２のアンテナポートとが、チャネル品質情報測定に関して同じであり得ることを決定（例えば想定）することができる。
【０３７０】
ＷＴＲＵは、復調および／または測定のために１つまたは複数の追加の基準リソースを使用する能力を示すことができる。例えば、ＷＴＲＵは、第２の基準リソースとしてＣＲＳベースのチャネル推定をサポートする能力を示すことができる。
【０３７１】
ＷＴＲＵは、復調のために第１の基準リソースおよび／または第２の基準リソースを使用することができる。ＷＴＲＵは、測定のみに第２の基準リソースおよび／または第１の基準リソースを使用してもよい。
【０３７２】
第２の基準リソースは、動作モードのサブセットにおいて使用（例えば、それのみで使用）され得る。例えば、第２の基準リソースは、インバンド動作モードにおける復調および／または測定のために使用されてよい。第２の基準リソースは、１つまたは複数の他の動作モード（例えば、ガードバンドおよびスタンドアロン動作モードなど）で利用不可能であり得る。
【０３７３】
第１のインジケータ（例えば、同じＰＣＩインジケータ）は、第２の基準リソースが復調のために使用され得るかを示すために使用されてよく、第２のインジケータは、第２の基準リソースが測定のために使用され得るかを示すために使用されてよい。第１のインジケータがＴＲＵＥに設定され、第２のインジケータがＦＡＬＳＥに設定された場合、第２の基準リソースは、復調のために使用されてよく、ＷＴＲＵは、第２の基準リソースを復調以外の目的（例えば、チャネル品質測定）に使用しないと決定することができる。第１のインジケータがＦＡＬＳＥに設定され、第２のインジケータがＴＲＵＥに設定された場合、第２の基準リソースは測定のために使用されてよい。例えば、第１のインジケータがＦＡＬＳＥに設定され、第２のインジケータがＴＲＵＥに設定された場合、第２の基準リソースは測定のために使用されてよいが、復調のような他の目的には使用されない。第１のインジケータと第２のインジケータの両方がＴＲＵＥにセットされた場合、第２の基準リソースは復調および／または測定のために使用されてよい。第１のインジケータと第２のインジケータは、同じインジケータであり得る。第１のインジケータは、ブロードキャストチャネル（例えば、ＮＢ−ＭＩＢ）を介して示され得る。第２のインジケータは、上位レイヤシグナリング（例えば、ＲＲＣシグナリング）を介して示され得る。
【０３７４】
ＮＢ−ＲＳポート、ＮＢ−ＲＳ、ＮＢ基準信号、狭帯域基準信号、および／またはＮＢ−ＲＳアンテナポートは、本明細書では交換可能に使用され得る。ＣＲＳポート、ＣＲＳ、および／またはＣＲＳアンテナポートは、本明細書では交換可能に使用され得る。
【０３７５】
ＷＴＲＵは、時間および／または周波数リソースにおける１つまたは複数の基準リソース（例えば測定リソース）の利用可能性に基づいて、チャネル品質情報の測定のために１つまたは複数の基準リソースを使用することができる。例えば、測定リソース（例えば、特定の時間／周波数リソース）が予め定められてよい。ＷＴＲＵは、測定リソース内の１つまたは複数の基準リソースの利用可能性に基づいて、チャネル品質情報測定を実行することができる。測定リソースは、構成された狭帯域において特定のサブフレームとして予め定められてもよい。
【０３７６】
第１の基準リソース（例えばＮＢ−ＲＳ）は、ＮＢ−ＰＤＳＣＨがスケジューリングされた場合に利用可能であり得る。第１の基準リソースは、ＮＢ−ＰＤＣＣＨ探索空間が測定リソース内で構成された場合に利用可能であり得る。第１の基準リソースの利用可能性は、ＮＢ−ＰＤＳＣＨスケジューリングおよび／またはＮＢ−ＰＤＣＣＨ探索空間構成に基づいて決定されてよい。
【０３７７】
第２の基準リソース（例えば、ＮＢ−Ｓｙｎｃ）は、ＮＢ−Ｓｙｎｃが測定リソース内で送信された場合に利用可能であり得る。第２の基準リソースの利用可能性は、ＮＢ−Ｓｙｎｃ構成に基づいて決定されてよい。
【０３７８】
第３の基準リソース（例えば、レガシ基準信号、ＣＲＳ）は、動作モードに基づいて測定リソース内で利用可能であり得る。
【０３７９】
第１の基準リソースが測定リソースで利用可能でない場合、第２の基準リソースがチャネル品質情報を測定するために使用され得る。第２の基準リソースがレガシ基準信号（例えばＣＲＳ）である場合、ＰＤＣＣＨ領域におけるレガシ基準信号（例えば、サブフレーム内の最初のＮ個のシンボル）が、サブフレームの第１のサブセット（例えば、潜在的なＭＢＳＦＮサブフレーム）で使用され得る。第２の基準リソースがレガシ基準信号である場合、サブフレーム内のレガシ基準信号は、サブフレームの第２のサブセット（例えば、非ＭＢＳＦＮサブフレーム）で使用され得る。サブフレームの第１のセット（例えば、潜在的なＭＢＳＦＮサブフレーム）は、第１のフレーム構造（例えばＦＤＤ）でのサブフレーム｛１，２，３，６，７，８｝および／または第２のフレーム構造（例えばＴＤＤ）でのサブフレーム｛３，４，７，８，９｝を含むことができる。サブフレームの第２のサブセット（例えば、非ＭＢＳＦＮサブフレーム）は、潜在的なＭＢＳＦＮサブフレームでないサブフレームであり得る。
【０３８０】
測定リソースにおける１つまたは複数の基準リソースの利用可能性は、動的に示され得る。例えば、ｅＮＢによって測定報告がトリガされた場合に、測定リソースにおけるＮＢ−ＲＳの存在がトリガ情報で示されてよい。
【０３８１】
上記では特徴および要素が特定の組み合わせで説明されているが、各々の特徴または要素が、単独でまたは他の特徴および要素との任意の組み合わせで使用され得ることは、当業者には理解されよう。さらに、本明細書で説明された方法は、コンピュータまたはプロセッサによる実行のためにコンピュータ可読媒体に組み込まれるコンピュータプログラム、ソフトウェア、またはファームウェアで実装され得る。コンピュータ可読媒体の例は、（有線または無線接続を介して送信される）電子信号、およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、並びにＣＤ−ＲＯＭディスクおよびデジタル多用途ディスク（ＤＶＤ）などの光媒体を含むがこれらに限定されない。ソフトウェアと関連するプロセッサは、ＷＴＲＵで使用するための無線周波数トランシーバ、ＷＴＲＵ、端末、基地局、ＲＮＣ、または任意のホストコンピュータを実装するために使用され得る。
【図１Ａ】
2020074608.tif 000043
【図１Ｂ】
2020074608.tif 000044
【図１Ｃ】
2020074608.tif 000045
【図１Ｄ】
2020074608.tif 000046
【図１Ｅ】
2020074608.tif 000047
【図２】
2020074608.tif 000048
【図３】
2020074608.tif 000049
【図４】
2020074608.tif 000050
【図５】
2020074608.tif 000051
【図６】
2020074608.tif 000052
【図７】
2020074608.tif 000053
【図８】
2020074608.tif 000054
【図９】
2020074608.tif 000055
【図１０】
2020074608.tif 000056
【図１１】
2020074608.tif 000057
【図１２】
2020074608.tif 000058
【図１３】
2020074608.tif 000059
【図１４】
2020074608.tif 000060
【図１５】
2020074608.tif 000061
【図１６】
2020074608.tif 000062
【図１７】
2020074608.tif 000063
【図１８】
2020074608.tif 000064